(57)【要約】  送信機ワイヤレス端末が、共有された通信チャネルを通して、受信機ワイヤレス端末とのピアツーピア通信リンクを確立するように構成されたアドホックピアツーピアネットワークがもたらされる。送信機ワイヤレス端末は、送信機と受信機ワイヤレス端末間の通信チャネルに対するチャネル利得の関数として、送信電力をスケーリングしうる。スケーリングされた送信電力は、通信チャネルを通したリンクスケジューリングを実行するために、送信機と受信機ワイヤレス端末によって使用されうる。例えば、スケーリングされた送信電力は、共有された通信チャネルを使用している隣接する送信機ワイヤレス端末との送信機譲歩を実行するために、送信機ワイヤレス端末によって使用されうる。同様に、スケーリングされた送信電力は、共有された通信チャネルを使用している隣接する受信機ワイヤレス端末との受信機譲歩を実行するために、受信機ワイヤレス端末によって使用されうる。【選択図】    図３４
2010533445.tif 000002
【特許請求の範囲】
【請求項１】
第１の移動ワイヤレス端末および第２のワイヤレス端末間のピアツーピア通信チャネルに対するチャネル利得を取得することと、
前記チャネル利得の関数として送信電力を決定することと、
データトラフィック信号を、前記決定された送信電力で、前記第２のワイヤレス端末に送信することとを具備し、第１の移動ワイヤレス端末上で動作出来る方法。
【請求項２】
データトラフィック信号を送信するのに先立って、前記決定された送信電力に比例するパイロット電力で、パイロット信号を送信することと、
前記第２のワイヤレス端末から送信レートフィードバックを受信することと、
前記データトラフィック信号中で使用されるであろうデータレートを、前記決定された送信電力と前記受信された送信レートフィードバックとの関数として決定することとをさらに具備する請求項１記載の方法。
【請求項３】
チャネル利得が、少なくとも１００ミリ秒の時間間隔において測定されたチャネル利得の平均値である請求項１記載の方法。
【請求項４】
前記通信チャネルを使用しようとしている他のワイヤレス端末による前記通信チャネルを通したトラフィック需要に従って、送信電力を変動させることをさらに具備する請求項１記載の方法。
【請求項５】
時間間隔において使用されるであろう前記決定された送信電力を調整することと、
前記時間間隔における前記第２のワイヤレス端末への前記データトラフィック信号の合計スループットを測定することと、
後続の時間間隔において使用されるであろう前記決定された送信電力の調整を決定することとをさらに具備する請求項１記載の方法。
【請求項６】
前記時間間隔において使用されるであろう前記決定された送信電力を増加させることと、
前記時間間隔における前記第２のワイヤレス端末への前記データトラフィック信号の前記合計スループットが増加したかを決定することと、
前記時間間隔における前記第２のワイヤレス端末への前記データトラフィック信号の前記合計スループットが増加したと決定した場合、前記後続の時間間隔において、前記決定された送信電力をさらに増加させることと、
前記時間間隔における前記第２のワイヤレス端末への前記データトラフィック信号の前記合計スループットが減少したと決定した場合、前記後続の時間間隔において、前記決定された送信電力を減少させることとをさらに具備する請求項５記載の方法。
【請求項７】
前記時間間隔において使用されるであろう前記決定された送信電力を減少させることと、
前記時間間隔における前記第２のワイヤレス端末への前記データトラフィック信号の前記合計スループットが増加したかを決定することと
前記時間間隔における前記第２のワイヤレス端末への前記データトラフィック信号の前記合計スループットが増加したと決定した場合、前記後続の時間間隔において、前記決定された送信電力をさらに減少させることと、
前記時間間隔における前記第２のワイヤレス端末への前記データトラフィック信号の前記合計スループットが減少したと決定した場合、前記後続の時間間隔において、前記決定された送信電力を増加させることとをさらに具備する請求項５記載の方法。
【請求項８】
前記決定された送信電力が、前記チャネル利得に反比例する請求項１記載の方法。
【請求項９】
前記決定された送信電力が、前記チャネル利得の平方根に反比例する請求項１記載の方法。
【請求項１０】
複数の他のワイヤレス端末間で前記通信チャネルが、分散リンクスケジューリングスキームに従って、共有されている請求項２記載の方法。
【請求項１１】
前記決定された送信電力に基づいて、前記通信チャネルを通して、前記第１の移動ワイヤレス端末および前記第２のワイヤレス端末間の通信リンクに対するリンクスケジューリングを実行することをさらに具備する請求項１０記載の方法。
【請求項１２】
リンクスケジューリングを実行することは、
第３のワイヤレス端末と通信中の第４のワイヤレス端末に向けられているトラフィック要求応答信号を、隣接する第３のワイヤレス端末から受信することと、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定することとをさらに含む請求項１１記載の方法。
【請求項１３】
前記データトラフィック信号を送信するに先立って、前記決定された送信電力で、前記第２のワイヤレス端末にトラフィック送信要求信号を送信することと、
前記第２のワイヤレス端末からトラフィック要求応答信号を受信することとをさらに具備する請求項１２記載の方法。
【請求項１４】
可変電力送信機と、
受信機と、
ピアツーピア通信チャネルを通して送信機および受信機によりピアツーピア通信を実行するように適合された処理回路とを具備し、
前記処理回路は、
第１の移動ワイヤレス端末および第２のワイヤレス端末間の前記ピアツーピア通信チャネルに対するチャネル利得を取得し、
前記チャネル利得の関数として送信電力を決定し、
前記決定された送信電力で、前記第２のワイヤレス端末に、データトラフィック信号を送信するように構成されている第１のワイヤレス移動端末。
【請求項１５】
データトラフィック信号を送信するのに先立って、前記決定された送信電力に比例するパイロット電力で、パイロット信号を送信し、
前記第２のワイヤレス端末から送信レートフィードバックを受信し、
前記データトラフィック信号中で使用されるであろうデータレートを、前記決定された送信電力と前記受信された送信レートフィードバックとの関数として決定するように前記処理回路がさらに構成されている請求項１４記載の端末。
【請求項１６】
チャネル利得が、少なくとも百（１００）ミリ秒の時間間隔において測定されたチャネル利得の平均値である請求項１４記載の端末。
【請求項１７】
前記通信チャネルを使用しようとしている他のワイヤレス端末による前記通信チャネルを通したトラフィック需要に従って、前記送信電力を変動させるように前記処理回路がさらに構成されている請求項１４記載の端末。
【請求項１８】
時間間隔において使用されるであろう前記決定された送信電力を調整し、
前記時間間隔における前記第２のワイヤレス端末への前記データトラフィック信号の合計スループットを測定し、
後続の時間間隔において使用されるであろう前記決定された送信電力の前記調整を決定するように前記処理回路がさらに構成された請求項１４記載の端末。
【請求項１９】
前記時間間隔において使用されるであろう前記決定された送信電力を増加させ、
前記時間間隔における前記第２のワイヤレス端末への前記データトラフィック信号の合計スループットが増加したかを決定し、
前記時間間隔における前記第２のワイヤレス端末への前記データトラフィック信号の合計スループットが増加したと決定した場合、前記後続の時間間隔において、前記決定された送信電力をさらに増加させ、
前記時間間隔における前記第２のワイヤレス端末への前記データトラフィック信号の合計スループットが減少したと決定した場合、前記後続の時間間隔において、前記決定された送信電力を減少させるように前記処理回路がさらに構成されている請求項１８記載の端末。
【請求項２０】
前記時間間隔において使用されるであろう前記決定された送信電力を減少させ、
前記時間間隔における前記第２のワイヤレス端末への前記データトラフィック信号の合計スループットが増加したかを決定し、
前記時間間隔における前記第２のワイヤレス端末への前記データトラフィック信号の前記合計スループットが増加したと決定した場合、前記後続の時間間隔において、前記決定された送信電力をさらに減少させ、
前記時間間隔における前記第２のワイヤレス端末への前記データトラフィック信号の合計スループットが減少したと決定した場合、前記後続の時間間隔において、前記決定された送信電力を増加させるように前記処理回路がさらに構成されている請求項１８記載の端末。
【請求項２１】
前記第１のワイヤレス端末の前記決定された送信電力が、前記チャネル利得に反比例するように規定されている請求項１４記載の端末。
【請求項２２】
前記第１のワイヤレス端末の前記決定された送信電力が、前記チャネル利得の平方根に反比例するように規定されている請求項１４記載の端末。
【請求項２３】
前記通信チャネルが、分散リンクスケジューリングスキームに従って、複数の他のワイヤレス端末間で共有されている請求項１５記載の端末。
【請求項２４】
通信リンクに関係した、スケーリングされた送信電力と優先度の少なくとも１つに基づいて、前記通信チャネルを通して、前記第１の移動ワイヤレス端末および前記第２のワイヤレス端末間の通信リンクに対するリンクスケジューリングを実行するように前記処理回路がさらに構成されている請求項２３記載の端末。
【請求項２５】
第３のワイヤレス端末と通信中の第４のワイヤレス端末に向けられているトラフィック要求応答信号を、隣接する第３のワイヤレス端末から受信し、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定するように前記処理回路がさらに構成されている請求項２３記載の端末。
【請求項２６】
前記データトラフィック信号を送信するに先立って、前記決定された送信電力で、前記第２のワイヤレス端末にトラフィック送信要求信号を送信し、
前記第２のワイヤレス端末からトラフィック要求応答信号を受信するように前記処理回路がさらに構成されている請求項２５記載の端末。
【請求項２７】
第１の移動ワイヤレス端末および第２のワイヤレス端末間のピアツーピア通信チャネルに対するチャネル利得を取得する手段と、
前記チャネル利得の関数として送信電力を決定する手段と、
データトラフィック信号を、前記決定された送信電力で、前記第２のワイヤレス端末に送信する手段とを具備する第１の移動ワイヤレス端末。
【請求項２８】
前記データトラフィック信号を送信するのに先立って、前記決定された送信電力に比例するパイロット電力で、パイロット信号を送信する手段と、
前記第２のワイヤレス端末から送信レートフィードバックを受信する手段と、
前記データトラフィック信号中で使用されるであろうデータレートを、前記決定された送信電力と前記受信された送信レートフィードバックとの関数として決定する手段とをさらに具備する請求項２７記載の端末。
【請求項２９】
前記通信チャネルを使用しようとしている他のワイヤレス端末による前記通信チャネルを通したトラフィック需要に従って、送信電力を変動させる手段をさらに具備する請求項２７記載の端末。
【請求項３０】
時間間隔において使用されるであろう前記決定された送信電力を調整する手段と、
前記時間間隔における前記第２のワイヤレス端末への前記データトラフィック信号の合計スループットを測定する手段と、
後続の時間間隔において使用されるであろう前記決定された送信電力の調整を決定する手段とをさらに具備する請求項２７記載の端末。
【請求項３１】
前記決定された送信電力が、前記チャネル利得に反比例する請求項２７記載の端末。
【請求項３２】
前記決定された送信電力に基づいて、前記通信チャネルを通して、前記第１の移動ワイヤレス端末および前記第２のワイヤレス端末間の通信リンクに対するリンクスケジューリングを実行する手段をさらに具備する請求項２８記載の端末。
【請求項３３】
リンクスケジューリングを実行することは、
第３のワイヤレス端末と通信中の第４のワイヤレス端末に向けられているトラフィック要求応答信号を、隣接する第３のワイヤレス端末から受信する手段と、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定する手段とをさらに含む請求項３２記載の端末。
【請求項３４】
前記データトラフィック信号を送信するに先立って、前記決定された送信電力で、前記第２のワイヤレス端末にトラフィック送信要求信号を送信する手段と、
前記第２のワイヤレス端末からトラフィック要求応答信号を受信する手段とをさらに具備する請求項３３記載の端末。
【請求項３５】
第１の移動ワイヤレス端末に対する送信電力スケーリングを容易化する回路であり、
第１の移動ワイヤレス端末および第２のワイヤレス端末間のピアツーピア通信チャネルに対するチャネル利得を取得し、
前記チャネル利得の関数として送信電力を決定し、
データトラフィック信号を、前記決定された送信電力で、前記第２のワイヤレス端末に送信するように適合されている回路。
【請求項３６】
前記データトラフィック信号を送信するのに先立って、前記決定された送信電力に比例するパイロット電力で、パイロット信号を送信し、
前記第２のワイヤレス端末から送信レートフィードバックを受信し、
前記データトラフィック信号中で使用されるであろうデータレートを、前記決定された送信電力と前記受信された送信レートフィードバックとの関数として決定するようにさらに適合されている請求項３５記載の回路。
【請求項３７】
時間間隔において使用されるであろう前記決定された送信電力を調整し、
前記時間間隔における前記第２のワイヤレス端末への前記データトラフィック信号の合計スループットを測定し、
後続の時間間隔において使用されるであろう前記決定された送信電力の調整を決定するようにさらに適合されている請求項３５記載の回路。
【請求項３８】
前記決定された送信電力に基づいて、前記通信チャネルを通して、前記第１の移動ワイヤレス端末および前記第２のワイヤレス端末間の通信リンクに対するリンクスケジューリングを実行するようにさらに適合されている請求項３６記載の回路。
【請求項３９】
リンクスケジューリングを実行することは、
第３のワイヤレス端末と通信中の第４のワイヤレス端末に向けられているトラフィック要求応答信号を、隣接する第３のワイヤレス端末から受信することと、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定することとをさらに含む請求項３８記載の回路。
【請求項４０】
リンクスケジューリングを実行することは、
前記データトラフィック信号を送信するに先立って、前記決定された送信電力で、前記第２のワイヤレス端末にトラフィック送信要求信号を送信することと、
前記第２のワイヤレス端末からトラフィック要求応答信号を受信することとをさらに含む請求項３９記載の回路。
【請求項４１】
プロセッサによって命令が実行されたとき、プロセッサに、
第１の移動ワイヤレス端末および第２のワイヤレス端末間のピアツーピア通信チャネルに対するチャネル利得を取得させ、
前記チャネル利得の関数として送信電力を決定させ、
データトラフィック信号を、前記決定された送信電力で、前記第２のワイヤレス端末に送信させるような、第１のワイヤレス端末に対する送信電力スケーリングを容易化する命令を具備する機械読み出し可能な媒体。
【請求項４２】
データトラフィック信号を送信するのに先立って、前記決定された送信電力に比例するパイロット電力で、前記パイロット信号を送信させ、
前記第２のワイヤレス端末から送信レートフィードバックを受信させ、
前記データトラフィック信号中で使用されるであろうデータレートを、前記決定された送信電力と前記受信された送信レートフィードバックとの関数として決定させる命令をさらに具備する請求項４１記載の機械読み出し可能な媒体。
【請求項４３】
通信チャネルを通して、通信チャネルを使用しようとしている他のワイヤレス端末によるトラフィック需要に従って、前記送信電力を調整させる命令をさらに具備する請求項４１記載の機械読み出し可能な媒体。
【請求項４４】
時間間隔において使用されるであろう前記決定された送信電力を調整させ、
前記時間間隔における前記第２のワイヤレス端末への前記データトラフィック信号の合計スループットを測定させ、
後続の時間間隔において使用されるであろう前記決定された送信電力の前記調整を決定させる命令をさらに具備する請求項４１記載の機械読み出し可能な媒体。
【請求項４５】
前記決定された送信電力に基づいて、前記通信チャネルを通して、前記第１の移動ワイヤレス端末および前記第２のワイヤレス端末間の通信リンクに対するリンクスケジューリングを実行させる命令をさらに具備する請求項４２記載の機械読み出し可能な媒体。
【請求項４６】
リンクスケジューリングを実行することは、
第３のワイヤレス端末と通信中の第４のワイヤレス端末に向けられているトラフィック要求応答信号を、隣接する第３のワイヤレス端末から受信することと、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定することとを含む請求項４５記載の機械読み出し可能な媒体。
【請求項４７】
リンクスケジューリングを実行することは、
前記データトラフィック信号を送信するに先立って、前記決定された送信電力で、前記第２のワイヤレス端末にトラフィック送信要求信号を送信することと、
前記第２のワイヤレス端末からトラフィック要求応答信号を受信することとを含む請求項４６記載の機械読み出し可能な媒体。
【発明の詳細な説明】
【関連出願】
【０００１】
本出願は、“ピアツーピア通信における電力スケーリングに対する方法および装置”と題する２００７年７月１０日に出願された米国仮特許出願第６０／９４８，９７８号に対して、３５Ｕ．Ｓ．Ｃ．§１１９に基づく優先権の利益を主張し、その譲受人に譲渡され、参照によりここに明確に組み込まれている。
【発明の分野】
【０００２】
様々な実施形態は、無線通信に対する方法および装置に向けられ、さらに特定的に、ピアツーピア通信に関係した方法および装置に関する。
【背景】
【０００３】
アドホックピアツーピアネットワークのような、ネットワークインフラが存在しない無線ネットワークにおいては、他のピア端末と通信リンクを確立するとき、端末は沢山の難題と直面する。１つの難題は、端末が丁度オンとなったり、あるいは新規の領域に移動したとき、端末は、２つの端末間で通信を開始する前に、近傍に他の端末が存在しないかを、第１に見つけ出さなくてはならないであろう。
【０００４】
上記の識別と獲得問題に対する一般的な解は、端末に対し、通信プロトコルに従って、送信および／または受信をさせることである。しかし、アドホックネットワークは沢山の難題をもたらす。端末は、例えば、ネットワークインフラ欠如という理由によって、しばしば共通のタイミングレファレンスを有さないであろう。そのため、第１の端末が信号を送信しており、第２の端末が受信モードにないとき、送信された信号は、第２の端末が、第１の端末の存在を検出するのに役立たない。
【０００５】
重要なことに、電力効率は、ワイヤレス端末のバッテリー寿命に大きな影響を与え、従って、無線システムにおいて、別の難題をもたらす。現行のピアツーピアシステムは、簡単化のために、典型的に、単純な固定電力アレンジメントを採用する。そのようなアレンジメントにおいて、送信機は、意図した受信機の距離とチャネル状況とに無関係で、固定のトラフィック送信電力を使用する。固定の電力システムは、しかしながら、信号干渉に起因した、不十分な電力効率および減少した総合的スループットをこうむる。
【０００６】
追加的に、複数のワイヤレス端末は、アドホックピアツーピア通信を確立するために、周波数スペクトラムを共有する環境において動作されうる。そのようなアドホックピアツーピア通信は、集中化コントローラによって集中的に管理されるわけではないので、複数の近くのワイヤレス端末間での、ピアツーピアリンク同士の干渉が難題である。
【０００７】
その結果、集中化コントローラの助けなしに、異なるワイヤレス端末間のアドホックピアツーピア通信リンクを、スケジューリングおよび／または優先順位づけするための道が必要である。
【概要】
【０００８】
１つの実施形態において、第１の移動ワイヤレス端末上で動作する方法がもたらされる。第１の移動ワイヤレス端末と第２のワイヤレス端末との間で、ピアツーピア通信チャネルに対するチャネル利得が取得される。送信電力は、チャネル利得の関数として決定される。データトラフィック信号は、それから、決定された送信電力で第２のワイヤレス端末に送信される。幾つかの実施形態において、チャネル利得は、少なくとも１００ミリ秒時間間隔において測定された、チャネル利得の平均値でありうる。加えて、幾つかの実施形態において、決定された送信電力は、チャネル利得に反比例とすることが出来、一方、他の実施形態において、決定された送信電力は、チャネル利得の平方根に反比例とすることが出来る。方法は、（ａ）データトラフィック信号を送信するに先立って、決定された送信電力に比例するパイロット電力で、パイロット信号を送信すること、（ｂ）第２のワイヤレス端末から、送信レートフィードバックを受信すること、（ｃ）データトラフィック信号において使用されるデータレートを、決定された送信電力と受信した送信レートフィードバックとの関数として決定すること、および／または（ｄ）通信チャネルを通して、通信チャネルを使用しようとしている他のワイヤレス端末によるトラフィック需要に従って、送信電力を変化させることを、さらに含むことが出来る。方法は、（ａ）時間間隔において使用されるであろう、決定された送信電力を調整すること、（ｂ）時間間隔における、第２のワイヤレス端末へのデータトラフィック信号の合計スループットを測定すること、および／または（ｃ）後続の時間間隔において使用されるであろう、決定された送信電力の調整を決定することを、さらに含むことが出来る。
【０００９】
幾つかの実施形態において、方法は、（ａ）時間間隔において使用されるであろう、決定された送信電力を増加すること、（ｂ）時間間隔における、第２のワイヤレス端末へのデータトラフィック信号の合計スループットを増加するかを決定すること、（ｃ）時間間隔における、第２のワイヤレス端末へのデータトラフィック信号の合計スループットを増加すると決定された場合、後続の時間間隔において、決定された送信電力を、さらに増加すること、および／または（ｄ）時間間隔における、第２のワイヤレス端末へのデータトラフィック信号の合計スループットを減少すると決定された場合、後続の時間間隔において、決定された送信電力を減少することを、さらに含むことが出来る。他の実施形態において、方法は、（ａ）時間間隔において使用されるであろう、決定された送信電力を減少すること、（ｂ）時間間隔における、第２のワイヤレス端末へのデータトラフィック信号の合計スループットを増加するかを決定すること、（ｃ）時間間隔における、第２のワイヤレス端末へのデータトラフィック信号の合計スループットを増加すると決定された場合、後続の時間間隔において、決定された送信電力を、さらに減少すること、および／または（ｄ）時間間隔における、第２のワイヤレス端末へのデータトラフィック信号の合計スループットを減少すると決定された場合、後続の時間間隔において、決定された送信電力を増加することを、さらに含むことが出来る。
【００１０】
幾つかの実施形態において、通信チャネルは、分散リンクスケジューリングスキームに従って、複数の他のワイヤレス端末間で共有することが出来る。方法は、通信チャネルを通して、決定された送信電力に基づいて、第１の移動ワイヤレス端末と第２のワイヤレス端末間の通信リンクに対するリンクスケジューリングを実行することを、さらに含むことが出来る。リンクスケジューリングを実行することは、（ａ）隣接する第３のワイヤレス端末から、第３のワイヤレス端末と通信する第４のワイヤレス端末に向けられたトラフィック要求応答信号を受信すること、および／または（ｂ）第４のワイヤレス端末から受信したトラフィック要求応答信号の電力と、第１の移動ワイヤレス端末の送信電力との関数としての、パイロット信号およびデータトラフィック信号を送信するか、否かを決定することを、さらに含むことが出来る。方法は、（ａ）データトラフィック信号の送信に先立って、決定された送信電力で、トラフィック送信要求信号を第２のワイヤレス端末に送信すること、および／または（ｂ）第２のワイヤレス端末からトラフィック要求応答信号を受信することを、さらに含むことが出来る。
【００１１】
他の実施形態において、第１の移動ワイヤレス端末は、可変電力を有する送信機、受信機、および、ピアツーピア通信チャネルを通して、送信機と受信機とによりピアツーピア通信を実行するように適合された処理回路を含むことが出来る。処理回路は、（ａ）第１の移動ワイヤレス端末と第２のワイヤレス端末間のピアツーピア通信チャネルに対するチャネル利得を取得し、（ｂ）チャネル利得の関数として、送信電力を決定し、および／または（ｃ）決定された送信電力で、データトラフィック信号を第２のワイヤレス端末に送信するように構成することが出来る。幾つかの実施形態において、チャネル利得は、少なくとも１００ミリ秒の時間間隔において測定されたチャネル利得の平均値でありうる。加えて、幾つかの実施形態においては、第１の移動ワイヤレス端末の決定された送信電力は、（ａ）チャネル利得に反比例し、一方、他の実施形態では、（ｂ）チャネル利得の平方根の関数となるように規定することが出来る。処理回路は、さらに、（ａ）データトラフィック信号を送信するのに先立って、決定された送信電力に比例するパイロット電力で、パイロット信号を送信し、（ｂ）第２のワイヤレス端末から、送信レートフィードバックを受信し、および／または（ｃ）データトラフィック信号において使用されるデータレートを、決定された送信電力と受信した送信レートフィードバックとの関数として決定するように構成することが出来る。処理回路は、さらに、通信チャネルを通して、通信チャネルを使用しようとしている他のワイヤレス端末によるトラフィック需要に従って、送信電力を変動するように構成することが出来る。処理回路は、さらに、（ａ）時間間隔において使用されるであろう、決定された送信電力を調整し、（ｂ）時間間隔における、第２のワイヤレス端末へのデータトラフィック信号の合計スループットを測定し、および／または（ｃ）後続の時間間隔において使用されるであろう、決定された送信電力の調整を決定するように構成することが出来る。
【００１２】
幾つかの実施形態において、処理回路は、さらに、（ａ）時間間隔において使用されるであろう、決定された送信電力を増加し、（ｂ）時間間隔における、第２のワイヤレス端末へのデータトラフィック信号の合計スループットを増加するかを決定し、（ｃ）時間間隔における、第２のワイヤレス端末へのデータトラフィック信号の合計スループットを増加すると決定された場合、後続の時間間隔において、決定された送信電力を、さらに増加し、および／または（ｄ）時間間隔における、第２のワイヤレス端末へのデータトラフィック信号の合計スループットを減少すると決定された場合、後続の時間間隔において、決定された送信電力を減少するように構成することが出来る。他の実施形態において、処理回路は、さらに、（ａ）時間間隔において使用されるであろう、決定された送信電力を減少し、（ｂ）時間間隔における、第２のワイヤレス端末へのデータトラフィック信号の合計スループットを増加するかを決定し、（ｃ）時間間隔における、第２のワイヤレス端末へのデータトラフィック信号の合計スループットを増加すると決定された場合、後続の時間間隔において、決定された送信電力を、さらに減少し、および／または（ｄ）時間間隔における、第２のワイヤレス端末へのデータトラフィック信号の合計スループットを減少すると決定された場合、後続の時間間隔において、決定された送信電力を増加するように構成することが出来る。
【００１３】
幾つかの実施形態において、通信チャネルは、分散リンクスケジューリングスキームに従って、複数の他のワイヤレス端末間で共有することが出来る。処理回路は、通信チャネルを通して、スケーリングされた送信電力および通信リンクに関係した優先度の少なくとも１つに基づいて、第１の移動ワイヤレス端末と第２のワイヤレス端末間の通信リンクに対するリンクスケジューリングを実行するようにさらに構成することが出来る。処理回路は、さらに、（ａ）隣接する第３のワイヤレス端末から、第３のワイヤレス端末と通信する第４のワイヤレス端末に向けられたトラフィック要求応答信号を受信し、および／または（ｂ）第４のワイヤレス端末から受信したトラフィック要求応答信号の電力と、第１の携行可能なワイヤレス端末の送信電力との関数として、パイロット信号およびデータトラフィック信号を送信するかを決定するように構成することが出来る。処理回路は、さらに、（ａ）データトラフィック信号の送信に先立って、決定された送信電力で、トラフィック送信要求信号を第２のワイヤレス端末に送信し、および／または（ｂ）第２のワイヤレス端末からトラフィック要求応答信号を受信するように構成することが出来る。
【００１４】
その結果、第１の移動ワイヤレス端末は、（ａ）第１の移動ワイヤレス端末および第２のワイヤレス端末間のピアツーピア通信チャネルに対するチャネル利得を取得する手段、（ｂ）チャネル利得の関数として、送信電力を決定する手段、および／または（ｃ）決定された送信電力で、データトラフィック信号を第２のワイヤレス端末に送信する手段を含むことが出来る。幾つかの実施形態において、決定された送信電力は、チャネル利得に反比例とすることが出来る。端末は、さらに、（ａ）データトラフィック信号を送信するのに先立って、決定された送信電力に比例するパイロット電力で、パイロット信号を送信する手段、（ｂ）第２のワイヤレス端末から、送信レートフィードバックを受信する手段、および／または（ｃ）データトラフィック信号において使用されるデータレートを、決定された送信電力と受信した送信レートフィードバックとの関数として決定する手段を含むことが出来る。端末は、さらに、通信チャネルを通して、通信チャネルを使用しようとしている他のワイヤレス端末によるトラフィック需要に従って、送信電力を変動する手段を含むことが出来る。端末は、さらに、（ａ）時間間隔において使用されるであろう、決定された送信電力を調整する手段、（ｂ）時間間隔における、第２のワイヤレス端末へのデータトラフィック信号の合計スループットを測定する手段、および／または（ｃ）後続の時間間隔において使用されるであろう、決定された送信電力の調整を決定する手段を含むことが出来る。端末は、通信チャネルを通して、決定された送信電力に基づいて、第１の移動ワイヤレス端末と第２のワイヤレス端末間の通信リンクに対するリンクスケジューリングを実行する手段を、さらに含むことが出来る。リンクスケジューリングを実行する手段は、（ａ）隣接する第３のワイヤレス端末から、第３のワイヤレス端末と通信する第４のワイヤレス端末に向けられたトラフィック要求応答信号を受信する手段、および／または（ｂ）第４のワイヤレス端末から受信したトラフィック要求応答信号の電力と、第１の移動ワイヤレス端末の送信電力との関数として、パイロット信号およびデータトラフィック信号を送信するかを決定する手段を、さらに含むことが出来る。端末は、（ａ）データトラフィック信号の送信に先立って、決定された送信電力で、トラフィック送信要求信号を第２のワイヤレス端末に送信する手段、および／または（ｂ）第２のワイヤレス端末からトラフィック要求応答信号を受信する手段を、さらに含むことが出来る。
【００１５】
別の実施形態において、（ａ）第１の移動ワイヤレス端末および第２のワイヤレス端末間のピアツーピア通信チャネルに対するチャネル利得を取得し、（ｂ）チャネル利得の関数として、送信電力を決定し、および／または（ｃ）決定された送信電力で、データトラフィック信号を第２のワイヤレス端末に送信するように適合された、第１の移動ワイヤレス端末に対する送信電力スケーリングを容易化する回路が開示されている。回路は、さらに、（ａ）データトラフィック信号を送信するのに先立って、決定された送信電力に比例するパイロット電力で、パイロット信号を送信し、（ｂ）第２のワイヤレス端末から、送信レートフィードバックを受信し、および／または（ｃ）データトラフィック信号において使用されるデータレートを、決定された送信電力と受信した送信レートフィードバックとの関数として決定するように適合することが出来る。回路は、さらに、（ａ）時間間隔において使用されるであろう、決定された送信電力を調整し、（ｂ）時間間隔における、第２のワイヤレス端末へのデータトラフィック信号の合計スループットを測定し、および／または（ｃ）後続の時間間隔において使用されるであろう、決定された送信電力の調整を決定するように適合することが出来る。
【００１６】
幾つかの実施形態において、回路は、さらに、通信チャネルを通して、決定された送信電力に基づいて、第１の移動ワイヤレス端末と第２のワイヤレス端末間の通信リンクに対するリンクスケジューリングを実行するように適合することが出来る。リンクスケジューリングステップを実行することは、（ａ）隣接する第３のワイヤレス端末から、第３のワイヤレス端末と通信する第４のワイヤレス端末に向けられたトラフィック要求応答信号を受信すること、および／または（ｂ）第４のワイヤレス端末から受信したトラフィック要求応答信号の電力と、第１の移動ワイヤレス端末の決定された送信電力との関数として、パイロット信号およびデータトラフィック信号を送信するかを決定することを、さらに含むことが出来る。リンクスケジューリングステップを実行することは、（ａ）データトラフィック信号の送信に先立って、決定された送信電力で、トラフィック送信要求信号を第２のワイヤレス端末に送信すること、および／または（ｂ）第２のワイヤレス端末からトラフィック要求応答信号を受信することを、さらに含むことが出来る。
【００１７】
別の実施形態において、機械読み出し可能な媒体は、第１のワイヤレス端末に対する送信電力スケーリングを容易化する命令を含み、媒体はプロセッサによって実行されたとき、プロセッサに、（ａ）第１の移動ワイヤレス端末および第２のワイヤレス端末間のピアツーピア通信チャネルに対するチャネル利得を取得させ、（ｂ）チャネル利得の関数として、送信電力を決定させ、（ｃ）決定された送信電力で、データトラフィック信号を第２のワイヤレス端末に送信させ、（ｄ）データトラフィック信号を送信するのに先立って、決定された送信電力に比例するパイロット電力で、パイロット信号を送信させ、（ｅ）第２のワイヤレス端末から、送信レートフィードバックを受信させ、（ｆ）データトラフィック信号において使用されるデータレートを、決定された送信電力と受信した送信レートフィードバックとの関数として決定させ、および／または（ｇ）通信チャネルを通して、通信チャネルを使用しようとしている他のワイヤレス端末によるトラフィック需要に従って、送信電力を調整させる。機械読み出し可能な媒体は、（ａ）時間間隔において使用されるであろう、決定された送信電力を調整し、（ｂ）時間間隔における、第２のワイヤレス端末へのデータトラフィック信号の合計スループットを測定し、および／または（ｃ）後続の時間間隔において使用されるであろう、決定された送信電力の調整を決定するための命令を、さらに含むことが出来る。
【００１８】
幾つかの実施形態において、機械読み出し可能な媒体は、通信チャネルを通して、決定された送信電力に基づいて、第１の移動ワイヤレス端末と第２のワイヤレス端末間の通信リンクに対するリンクスケジューリングを実行する命令を、さらに含むことが出来る。リンクスケジューリングを実行することは、（ａ）隣接する第３のワイヤレス端末から、第３のワイヤレス端末と通信する第４のワイヤレス端末に向けられたトラフィック要求応答信号を受信すること、および／または（ｂ）第４のワイヤレス端末から受信したトラフィック要求応答信号の電力と、第１の移動ワイヤレス端末の決定された送信電力との関数として、パイロット信号およびデータトラフィック信号を送信するかを決定することを、さらに含むことが出来る。リンクスケジューリングを実行することは、（ａ）データトラフィック信号の送信に先立って、決定された送信電力で、トラフィック送信要求信号を第２のワイヤレス端末に送信すること、および／または（ｂ）第２のワイヤレス端末からトラフィック要求応答信号を受信することを含むことも出来る。
【図面の簡単な説明】
【００１９】
同様の参照文字が全体を通して対応したものを特定している図面を参照すると、以下の詳細な記述から様々な特徴、特質、および利点が明白となろう。
【図１】図１は、実現された例示的なアドホック通信ネットワークを例解する。
【図２】図２は、共通タイミングレファレンスが無いとき、アドホックネットワークにおける例示的なユーザ誤検出問題を例解する。
【図３】図３は、各ビーコン信号バーストが１つのビーコンシンボルを含むような、３つの例示的なビーコン信号バーストを含んだ、ビーコン信号を通信するために使用される例示的エアーリンクリソースを例解する。
【図４】図４は、ビーコンシンボルおよびデータ／制御信号間の、例示的な相対的送信電力レベルを例解する。
【図５】図５は、ビーコン信号バースト送信の、１つの例示的な実施形態を例解する。
【図６】図６は、１つの例示的な実施形態を例解し、ここでは、ある指定された時間間隔中にビーコン信号バーストの受信が起こり、一方、他の時間間隔では、電力を温存するために、受信機はオフである。
【図７】図７は、２つの端末がビーコン信号バーストの送信および受信を実現するとき、いかにしてユーザ誤検出問題が解決されるかを記述するために使用される。
【図８】図８は、ある端末中で実現された状態ダイアグラムの、１つの例示的な実施形態を例解する。
【図９】図９は、実現された例示的なワイヤレス端末の、詳細な例示を例解する。
【図１０】図１０は、携行可能なワイヤレス端末の例示的な動作方法のフローチャート図である。
【図１１】図１１は、携行可能なワイヤレス端末の例示的な動作方法のフローチャート図である。
【図１２】図１２は、携行可能なワイヤレス端末、例えば、バッテリー電力の移動ノードの例示的な動作方法のフローチャート図である。
【図１３】図１３は、携行可能なワイヤレス端末、例えば、バッテリー電力の移動ノードの例示的な動作方法のフローチャート図である。
【図１４】図１４は、携行可能なワイヤレス端末からの例示的なビーコンシグナリングを例解する図を含む。
【図１５】図１５は、異なるワイヤレス端末が、異なるビーコンバースト信号を含む、異なるビーコン信号を送信することを例解する。
【図１６】図１６は、幾つかの実施形態の特徴を例解する、図および対応するレジェンドであり、ここでは、ビーコン信号送信単位は、複数のＯＦＤＭシンボル送信単位を含む。
【図１７】図１７は、ビーコンバースト信号のシーケンスを具備する例示的なビーコン信号の例解、および幾つかの実施形態のタイミング関係の例解のために使用される図である。
【図１８】図１８は、ビーコンバースト信号のシーケンスを具備する例示的なビーコン信号の例解、および幾つかの実施形態のタイミング関係の例解のために使用される図である。
【図１９】図１９は、ワイヤレス端末がビーコン信号を送信する動作モードにおける、例示的な、ワイヤレス端末によるエアーリンクリソース分割を例解する図である。
【図２０】図２０は、例示的なワイヤレス端末動作モードに対する、例示的なビーコン信号送信以外の用途に関係した、エアーリンクリソース部分を記述し、ここでは、ワイヤレス端末はビーコン信号を送信し、またユーザデータ、例えば、アクティブな動作モードを受信、および／または送信することが出来る。
【図２１】図２１は、２つの例示的なワイヤレス端末動作モードを例解し、ここでは、ワイヤレス端末は、例えば、非アクティブなモードおよびアクティブなモードといったビーコン信号を送信している。
【図２２】図２２は、２つのビーコンバーストを含む、例示的な第１の時間間隔における、例示的なワイヤレス端末エアーリンクリソース実用化を例解する図および対応するレジェンドを含む。
【図２３】図２３は、２つのビーコンバーストを含む、例示的な第１の時間間隔における、例示的なワイヤレス端末エアーリンクリソース実用化を例解する図および対応するレジェンドを含む。
【図２４】図２４は、ビーコン信号に関する代替的な記述表示を例解する。
【図２５】図２５は、例示的な携行可能なワイヤレス端末、例えば、移動ノードの図である。
【図２６】図２６は、通信デバイス、例えば、バッテリー電力のワイヤレス端末の例示的な動作方法のフローチャート図である。
【図２７】図２７は、例示的な携行可能なワイヤレス端末、例えば、移動ノードの図である。
【図２８】図２８は、あるアドホックネットワーク中にあり、お互いの存在に気づき、ワイヤレス端末ビーコン信号を介してタイミング同期化が達成された、２つのワイヤレス端末に関する例示的な予定表、イベントのシーケンス、および動作を例解する図である。
【図２９】図２９は、２つのワイヤレス端末間で、ビーコン信号に基づく、例示的な同期化タイミングを、例示的な実施形態に応じて例解する。
【図３０】図３０は、２つのワイヤレス端末間で、ビーコン信号に基づく、例示的な同期化タイミングを、例示的な別の実施形態に応じて例解する。
【図３１】図３１は、２つのワイヤレス端末間で、ビーコン信号に基づく、例示的な同期化タイミングを、例示的な別の実施形態に応じて例解する。
【図３２】図３２は、ワイヤレス端末によって使用され、ピアツーピア通信リンクを確立、および／または維持することが出来るタイミングシーケンスの一例を例解する。
【図３３】図３３は、複数のワイヤレス端末が、リンクスケジューリングスキームに従って、可変電力ピアツーピア通信リンクとネゴシエートしうる環境を例解するブロック図である。
【図３４】図３４は、複数のワイヤレス端末が通信チャネルを共有し、リンクスケジューリングを容易化する、アドホックピアツーピアネットワーク中にある、様々なワイヤレス端末の動作を例解するフロー図である。
【図３５】図３５は、２つのワイヤレス端末間のピアツーピア通信リンクに対して、いかに通信電力スケーリングを実現することが出来るかを例解するフロー図である。
【図３６】図３６は、ピアツーピア通信リンクを通して可変電力送信に向いて構成されたワイヤレス端末を例解するブロック図である。
【図３７】図３７は、可変電力ピアツーピアネットワークにおいて、チャネル制御ネゴシエーションに対して、第１の（送信機）ワイヤレス端末で動作される例示的な方法を例解するフロー図である。
【図３８】図３８は、ピアツーピア通信リンクを通して第２の（送信機）ワイヤレス端末の可変電力送信を容易化するように構成された、第１の（受信機）ワイヤレス端末を例解するフロー図である。
【図３９】図３９は、可変電力ピアツーピアネットワークにおいて、チャネル制御ネゴシエーションに対して、第１の（受信機）ワイヤレス端末で動作される例示的な方法を例解する。
【詳細な説明】
【００２０】
以下の記述において、構成の完全な理解をもたらすために、特別な詳細が示される。しかし、構成が、これらの特別な詳細無しでも実施出来ることは、本技術分野の当業者によって理解されるであろう。例えば、不必要な詳細で、構成が不明瞭とならないように、回路はブロック図で示されうる。他の例においては、構成が不明瞭とならないように、よく知られた回路、構造、および手法は、詳細に示されるであろう。
【００２１】
構成は、フローチャートや、フロー図や、構造図や、ブロック図で描写される、プロセスによって記述出来るということにも注目されたい。フロー図は、動作をシーケンシャルプロセスで記述するであろうが、沢山の動作は、並行あるいは同時に実行することが出来る。加えて、動作の順番は、再アレンジすることが出来る。プロセスは、動作が完了したとき、終了される。プロセスは、方法、機能、プロシージャ、サブルーチン、サブプログラム、等と対応する。プロセスが機能と対応するとき、プロセスの終了は、コーリング機能あるいは主機能への、機能の復帰に対応する。
【００２２】
１つあるいはそれより多くの例、および／または構成において、記述された機能は、ハードウェア、ソフトウェア、ファームウェア、あるいはこれらの何らかの組み合わせにおいて実現されてもよい。ソフトウェアで実現された場合、機能は、コンピュータ読み取り可能な媒体上の１つあるいはそれより多くの命令またはコードとして記憶または送信されてもよい。コンピュータ読み取り可能な媒体は、１つの場所から別の場所へのコンピュータプログラムの転送を容易化する何らかの媒体を含む、コンピュータ記憶媒体および通信媒体の双方を含む。記憶媒体は、一般目的あるいは特定目的のコンピュータによってアクセスすることができる、何らかの利用可能な媒体であってもよい。一例として、制限ではなく、このようなコンピュータ読み取り可能な媒体は、ＲＡＭ、ＲＯＭ、ＥＥＰＲＯＭ、ＣＤ−ＲＯＭ、または他の光ディスク記憶デバイス、磁気ディスク記憶デバイスまたは他の磁気記憶媒体デバイス、汎用目的あるいは特定目的のコンピュータや、汎用目的あるいは特定目的のプロセッサによってアクセスできる命令またはデータ構造の構造で、所望のプログラムコードを実行または記憶するために使用することができる他の何らかの媒体を含むことができるが、これらに限定されるものではない。また、あらゆる接続は、適切に、コンピュータ読み取り可能媒体と呼ばれる。例えば、ウェブサイト、サーバ、あるいは、同軸ケーブル、ファイバーケーブル、撚り対ケーブル、デジタル加入者回線（ＤＳＬ）を用いている他のリモートソース、あるいは、赤外線、無線、およびマイクロ波のようなワイヤレス技術から、ソフトウェアが伝送された場合、同軸ケーブル、ファイバ光ケーブル、撚り対、ＤＳＬ、あるいは、赤外線、無線、およびマイクロ波のようなワイヤレス技術は、媒体の定義に含まれる。ディスク（ＤｉｓｋおよびＤｉｓｃ）は、コンパクトディスク（ＣＤ）、レーザディスク（登録商標）、光ディスク、デジタル多用途ディスク（ＤＶＤ）、フロッピー（登録商標）ディスク、ブルーレイ（登録商標）ディスクを含んでいる。Ｄｉｓｋは、一般的に、磁気的にデータを再生するが、Ｄｉｓｃは、データを光学的にレーザによって再生する。上記を組み合わせたものも、コンピュータ読み取り媒体の範囲内に含められるべきである。
【００２３】
さらに、記憶媒体は、読み出し専用メモリ（ＲＯＭ）、ランダムアクセスメモリ（ＲＡＭ）、磁気的ディスク記憶媒体、光学的記憶媒体、フラッシュメモリデバイス、および／または情報記憶用の他の機械読み出し可能な媒体を含む、１つあるいはそれより多くのデータを記憶するデバイスを意味しうる。
【００２４】
さらに、構成は、ハードウェア、ソフトウェア、ファームウェア、ミドルウェア、マイクロコード、あるいは、それらの任意の組み合わせによって実現することが出来る。ソフトウェア、ファームウェア、ミドルウェア、あるいはマイクロコードにおいて実現されたとき、必要なタスクを実行するための、プログラムコードあるいはコードセグメントは、記憶媒体あるいは他の記憶装置のようなコンピュータ読み出し可能な媒体中に記憶することが出来る。プロセッサは、必要なタスクを実行することが出来る。コードセグメントは、プロシージャ、機能、サブプログラム、プログラム、ルーチン、サブルーチン、モジュール、ソフトウェアパッケージ、クラス、あるいは任意の命令の組み合わせ、データ構造、あるいはプログラムステートメントを表示しうる。コードセグメントは、情報、アーギュメント、パラメータ、あるいはメモリコンテントを、伝達および／または受信することによって、別のセグメントあるいはハードウェア回路に結合することが出来る。メモリ共有、メッセージ伝達、トークン伝達、ネットワーク伝送、等を含む任意の適切な手段を介して、情報、アーギュメント、パラメータ、データ等は、伝達、発送あるいは伝送することが出来る。
【００２５】
１つの特徴は、共有された通信チャネルを通して、受信機ワイヤレス端末と、ピアツーピア通信リンクを確立するように構成された送信機ワイヤレス端末をもたらす。送信機ワイヤレス端末は、その送信電力を、送信機および受信機ワイヤレス端末間の通信チャネルに対するチャネル利得の関数として、スケーリングすることが出来る。スケーリングされた送信電力は、通信チャネルを通して、リンクスケジューリングを実行するために、送信機および受信機ワイヤレス端末によって使用されうる。例えば、スケーリングされた送信電力は、共有した通信チャネルを実用する、別の隣接する送信機ワイヤレス端末との送信機譲歩を実行するために、送信機ワイヤレス端末によって使用されうる。同様に、スケーリングされた送信電力は、共有した通信チャネルを利用する、別の隣接した受信機ワイヤレス端末との受信機譲歩を実行するために、受信機ワイヤレス端末によって使用されうる。
【００２６】
アドホック通信システム
図１は、実現された例示的なアドホック通信ネットワーク１００を例解する。２つのワイヤレス端末、即ち、第１のワイヤレス端末１０２および第２のワイヤレス端末１０４が、ある地理的領域１０６に存在する。通信の目的のために、２つのワイヤレス端末によって使用されるであろう、あるスペクトラム帯域が利用可能である。２つのワイヤレス端末は、ピアツーピア通信リンクを確立するために、利用可能なスペクトラム帯域を使用する。
【００２７】
アドホックネットワークは、ネットワークインフラを保有しないであろうから、ワイヤレス端末は、共通のタイミングレファレンスあるいは周波数レファレンスは保有しないであろう。このため、アドホックネットワークにおいて難題が生じる結果となる。詳述するために、それぞれの端末が、他の端末の存在をいかにして検出するかの問題を考えよう。
【００２８】
記述の目的のため、以下では、ある所定の時刻において、ワイヤレス端末は、送信か受信のいずれかしか出来ず、両方は出来ないと仮定する。本技術分野で通常のスキルをもった当業者は、端末が、同一時刻に送信および受信の両方ができるような場合、同様の原理を、そのケースに応用出来ることを理解するであろう。
【００２９】
図２は、２つの端末が、お互いを見つけ出すのに使用するであろう、１つの可能なスキームを記述するために用いられる図２００を含む。第１の端末は、ある信号を、時間間隔２０２において送信し、時間間隔２０４において、信号を受信する。そうしている間に、第２の端末は、ある信号を、時間間隔２０６において送信し、時間間隔２０８において、信号を受信する。もし、第１のワイヤレス端末が、同一の時間に送信と受信の両方が出来る場合、時間間隔２０２および２０４は、お互いにオーバーラップするであろうということに注目すべきである。
【００３０】
２つの端末は、共通のタイミングレファレンスを有していないので、２つの端末のＴＸ（送信）およびＲＸ（受信）タイミングは、同期化されていないということに注目すべきである。特に、図２は、時間間隔２０４と２０６とはオーバーラップしていないことを示している。第１のワイヤレス端末が、傾聴しているとき、第２のワイヤレス端末は、送信しておらず、第２のワイヤレス端末が、送信しているとき、第１のワイヤレス端末は、傾聴していない。従って、第１のワイヤレス端末は、第２のワイヤレス端末の存在を検出しない。同様に、時間間隔２０２および２０８はオーバーラップしていない。従って、第２のワイヤレス端末も、第１のワイヤレス端末の存在を検出しない。
【００３１】
上記検出失敗問題を克服する道はある。例えば、ワイヤレス端末は、ＴＸおよびＲＸプロシージャが挙行される時間間隔をランダムにすることが出来、いずれ、２つの端末はお互いを確率論的に検出する。しかし、代償は、遅れと、その結果のバッテリー電力の消費である。加えて、電力消費は、ＴＸおよびＲＸプロシージャにおける電力要求によっても決定される。例えば、別の形の信号よりも、１つの形の信号を検出するために、より少ない処理電力が要求されるであろう。
【００３２】
新規な信号ＴＸおよびＲＸプロシージャが実現され、別端末の存在を検出する遅れ、および、その遅れに関連した電力消費を減らすために使用されることは、様々な実施形態の１つの特徴である。
【００３３】
様々な実施形態に応じて、ワイヤレス端末は、幾つかの実施形態において、利用可能なエアーリンク通信リソースの全体量の、例えば、０．１％より多くない、小さなフラクションを占有する、ビーコン信号と呼ばれる特別な信号を送信する。エアーリンク通信リソースは、最小あるいは基礎送信単位、例えば、直交周波数分割マルチプレクシング（ＯＦＤＭ）システムにおけるＯＦＤＭトーンシンボルの形で測定される。エアーリンク通信リソースは、自由度の形で測定される。ここで、自由度とは、通信に使用することが出来る最小単位のリソースである。例えば、コード分割多元アクセス（ＣＤＭＡ）システムにおいて、自由度は、拡散されたコード、シンボル期間に対応した時間でありうる。一般的に、所定のシステムにおける自由度は、お互いに直交である。
【００３４】
周波数分割マルチプレクシングシステム、例えば、ＯＦＤＭシステムの例示的な実施形態を考えよう。そのシステムにおいて、情報はシンボル毎の態様で送信される。シンボル送信期間において、合計の利用可能な帯域幅は、多数のトーンに分割され、各トーンは、情報を運ぶために使用することが出来る。
【００３５】
図３は、例示的なＯＦＤＭシステムにおける利用可能なリソースを示す図３００を含む。水平軸３０１は、時間を表示し、垂直軸３０２は、周波数を表示する。垂直な列は、所定のシンボル期間における各トーンを表示する。各小さなボックス３０４は、トーンシンボルを表示し、これは、単一の送信シンボル期間にわたる、単一トーンのエアーリンクリソースである。ＯＦＤＭシンボルにおける最小の送信単位はトーンシンボルである。
【００３６】
ビーコン信号は、ビーコン信号バースト（３０８、３１０、３１２）のシーケンスを含み、これらは、時間を通して、順番に送信される。ビーコン信号バーストは、小さい数のビーコンシンボルを含む。この例において、各ビーコン信号バースト（３０８、３１０、３１２）は、１個のビーコンシンボルと十九（１９）個のゼロを含む。この例において、各ビーコンシンボルは、１つの送信期間にわたる単一トーンである。ビーコン信号バーストは、少ない数、例えば、１つあるいは２つの送信シンボル期間にわたる同一トーンのビーコンシンボルを含む。図３は、３つの小さな黒いボックスを示し、それら（３０６）の各々はビーコンシンボルを表示する。このケースにおいて、ビーコンシンボルは、１つのトーンシンボルのエアーリンクリソースを使用する。即ち、１つのビーコンシンボル送信単位は、ＯＦＤＭトーンシンボルである。別の実施形態において、ビーコンシンボルは、２つの連続するシンボル期間を通して送信される１個のトーンを具備し、ビーコンシンボル送信単位は、２つの近接したＯＦＤＭトーンシンボルを具備する。
【００３７】
ビーコン信号は、合計最小送信単位の小部分を占める。注目しているスペクトラムの合計トーン数をＮと表示する。任意の合理的に長い時間間隔、例えば、１あるいは２秒間において、シンボル期間の数をＴと想定する。そうすると、合計最小送信単位は、Ｎ＊Ｔである。様々な実施形態に応じて、時間間隔において、ビーコン信号によって占められるトーンシンボル数は、Ｎ＊Ｔより著しく小さい、例えば、幾つかの実施形態に応じて、Ｎ＊Ｔの０．１％より大きくない。
【００３８】
ビーコン信号バーストにおけるビーコンシンボルのトーンは、１つのバーストから別のバーストまで、変動（ホップ）する。幾つかの実施形態に応じて、ビーコンシンボルのトーンホッピングパターンは、幾つかの実施形態において、ワイヤレス端末の関数であり、端末の特定化あるいはワイヤレス端末が所属するタイプの特定化として使用することが出来、ある時は使用される。一般的に、ビーコン信号中の情報は、どの最小送信単位がビーコンシンボルを運ぶかを決定することによってデコードされうる。トーンホッピングシーケンスに加えて、例えば、所定ビーコン信号バーストにおけるビーコンシンボルのトーンの周波数、所定バーストにおけるビーコンシンボル数、ビーコン信号バーストの期間、および／またはバースト間の間隔の中に、情報を含むことが出来る。
【００３９】
ビーコン信号は、送信電力の観点からも特徴付けることが出来る。幾つかの実施形態に応じて、最小送信単位あたりのビーコン信号の送信電力は、ずっと高く、例えば、幾つかの実施形態において、端末送信機が通常のデータセッションにあるとき、自由度あたりのデータおよび制御信号の平均送信電力よりも、少なくとも１０ｄＢ高い。幾つかの実施形態に応じて、最小送信単位あたりのビーコン信号の送信電力は、例えば、端末送信機が通常のデータセッションにあるとき、自由度あたりのデータおよび制御信号の平均送信電力よりも、少なくとも１６ｄＢ高い。例えば、図４の図４００は、ワイヤレス端末がデータセッションにある、即ち、端末が、注目しているスペクトラムを使用してデータおよび制御情報を送っている、合理的に長い時間間隔、例えば、１あるいは２秒間において、各トーンシンボルで使用される送信電力をプロットしている。水平軸４０１で示されるトーンシンボルの順番は、本議論の目的にとっては重要ではない。小さな垂直の矩形棒４０４は、ユーザデータおよび／または制御情報を運ぶ個々のトーンシンボルの電力を表示する。比較のため、高い黒の矩形棒４０６も、ビーコントーンシンボルの電力を表示するために含まれている。
【００４０】
別の実施形態において、ビーコン信号は、断続的な時間間隔で送信されるビーコン信号バーストのシーケンスを含む。ビーコン信号バーストは、１つあるいはそれより多く（小さな数）の時間ドメインインパルスを含む。時間ドメインインパルス信号は、着目している、あるスペクトラム帯域幅にわたり、ごく小さな送信時間期間を占める特殊な信号である。例えば、利用可能な帯域幅が３０ｋＨｚである通信システムにおいて、時間ドメインインパルス信号は、短い期間に対し、３０ｋＨｚの重要部分を占める。任意の合理的に長い時間間隔、例えば、数秒間において、時間ドメインインパルスの合計期間は、小さな部分、例えば、幾つかの実施形態において、合計時間期間の０．１％より大きくない部分である。さらに、インパルス信号が送信される時間間隔における、自由度あたりの送信電力は、かなり高い。例えば、幾つかの実施形態では、送信機が通常のデータセッションにあるとき、自由度あたりの平均送信電力よりも１０ｄＢ高い。１つの実施形態において、インパルス信号が送信される時間間隔における、自由度あたりの送信電力は、送信機が通常のデータセッションにあるとき、自由度あたりの平均送信電力よりも、少なくとも１６ｄＢ高い。
【００４１】
図４は、送信電力が、１つのトーンシンボルから別のトーンシンボルまで、変化しうることを示す。トーンシンボルあたりの平均送信電力（４０８）は、Ｐａｖｇで示される。様々な実施形態に応じて、ビーコン信号のトーンシンボルあたりの送信電力は、ずっと高く、例えば、Ｐａｖｇよりも少なくとも１０ｄＢ高い。１つの実施形態において、ビーコン信号のトーンシンボルあたりの送信電力は、Ｐａｖｇよりも少なくとも１６ｄＢ高い。１つの例示的な実施形態において、ビーコン信号のトーンシンボルあたりの送信電力は、ずっと高く、例えば、Ｐａｖｇよりも少なくとも２０ｄＢ高い。
【００４２】
１つの実施形態において、所定の端末に対して、ビーコン信号のトーンシンボルあたりの送信電力は、一定である。即ち、電力は、時間あるいはトーンによって変動しない。別の実施形態において、ビーコン信号のトーンシンボルあたりの送信電力は、複数の端末、あるいは、ネットワークにおける各端末に対してすら、同一である。
【００４３】
図５の図５００は、ビーコン信号バースト送信の１つの実施形態を例解する。ワイヤレス端末は、近傍に他の端末が無いと決定しても、あるいは、他の端末をすでに検出していてさえも、また、それらと通信リンクを確立していたとしても、ビーコン信号バースト、例えば、ビーコン信号バーストＡ５０２、ビーコン信号バーストＢ５０４、ビーコン信号バーストＣ５０６、等を送信し続ける。
【００４４】
端末は、２つの連続するビーコン信号バーストの間に、複数のシンボル期間があるように、ビーコン信号バーストを断続的な（即ち、非連続的な）態様で送信する。一般的に、ビーコン信号バーストの時間期間は、ずっと短く、例えば、幾つかの実施形態において、Ｌ５０５で示される２つの連続するビーコン信号バースト間のシンボル期間数よりも、少なくとも五十（５０）倍短い。１つの実施形態において、Ｌの値は、固定され一定であり、そのケースでは、ビーコン信号は周期的である。幾つかの実施形態において、Ｌの値は、同一であり、各端末に対して知られている。別の実施形態において、Ｌの値は、例えば、予め決められたあるいは擬似ランダムパターンに従って、時間と共に変化する。例えば、数は、定数Ｌ０とＬ１との間に分布したランダム数のような数でありうる。
【００４５】
図６の図６００は、ある指定された時間間隔の間にビーコン信号バーストの受信が起こりえて、一方、他の時間間隔の間は、電力を節約するために、ビーコン信号バーストの受信機はオフであるような、１つの例示的な実施形態を例解する。ワイヤレス端末は、注目しているスペクトラムを傾聴し、異なる端末によって送信されるであろうビーコン信号を検出しようとしている。ワイヤレス端末は、オンタイムと呼ばれる数シンボル期間の時間間隔に対して、継続して傾聴モードにありうる。オンタイム６０２に続いて、オフタイム６０６となり、ワイヤレス端末は電力節約モードで、いかなる信号も受信しない。オフタイムにおいて、ワイヤレス端末は、受信モジュールを完全にオフにする。オフタイム６０６が終了するとき、端末はオンタイム６０４に再開し、ビーコン信号の検出を開始する。上記手順は繰り返す。
【００４６】
望ましくは、オンタイム間隔の長さは、オフタイムの間隔よりも短い。１つの実施形態において、オンタイム間隔は、オフタイム間隔の少なくとも五分の１（１／５）でありうる。１つの実施形態において、オンタイム間隔の各々の長さは、同一であり、また、オフタイム間隔の各々の長さも、同一である。
【００４７】
幾つかの実施形態において、オフタイム間隔の長さは、第１の端末が、第１のワイヤレス端末の近傍に、別の（２番目の）ワイヤレス端末が実際に存在するかを検出するための、潜在的要求に依存する。オンタイム間隔の長さは、第１のワイヤレス端末が、オンタイム間隔において、少なくとも１つのビーコン信号バーストを検出する大きな確率を有するように決定される。１つの実施形態において、オンタイム間隔の長さは、ビーコン信号バーストの送信期間と、連続するビーコン信号バースト間の期間との、少なくとも１つの関数である。例えば、オンタイム間隔の長さは、少なくとも、ビーコン信号バーストの送信期間と、連続するビーコン信号バースト間の期間との和である。
【００４８】
図７の図７００は、２つの端末が、実現されたビーコン信号の送信および受信プロシージャを使用するとき、端末が、第２の端末の存在を、いかにして検出するかを例解する。水平軸７０１は、時間を表示する。第１のワイヤレス端末７２０は、第２のワイヤレス端末７２４が、現れる前に、アドホックネットワークに到達する。第１のワイヤレス端末７２０は、送信機７２２を使用して、ビーコン信号バースト７１０、７１２、７１４、等のシーケンスを含むビーコン信号の送信を開始する。第１のワイヤレス端末７２０が、既にバースト７１０を送信した後に、第２のワイヤレス端末７２４が現れる。受信機７２６を含む第２のワイヤレス端末７２４が、オンタイム間隔７０２を開始すると想定する。オンタイム間隔は、ビーコン信号バースト７１２の送信期間、および、バースト７１２と７１４間の期間をカバーするのに十分に大きいことに注目されたい。それゆえ、たとえ第１および第２のワイヤレス端末（７２０、７２４）が、共通のタイミングレファレンスを有しなくても、第２のワイヤレス端末７２４は、オンタイム間隔７０２において、ビーコン信号バースト７１２の存在を検出することが出来る。
【００４９】
図８は、例示的な状態図８００の１つの実施形態を例解する。
【００５０】
ワイヤレス端末がオンとされたとき、ワイヤレス端末は８０２の状態に入る。ここにおいて、端末は、送信されるであろう次のビーコン信号の開始時刻を決定する。加えて、端末は、受信機に対する、次のオンタイム間隔の開始時刻を決定する。ワイヤレス端末は、開始時刻を管理するための送信機タイマーおよび受信機タイマーを使用することが出来、幾つかの実施形態においては使用される。ワイヤレス端末は、いずれかのタイマーが満了するまで待つ。いずれかのタイマーが瞬間的に満了するであろうということは、ワイヤレス端末がオンとされたとき、端末は、ビーコン信号バーストを送信あるいは検出するという意味であることに注目されたい。
【００５１】
ＴＸタイマーの満了とともに、端末は８０４の状態に入る。ワイヤレス端末は、バーストによって使用されるであろう周波数トーンを含むバーストの信号形を決定し、ビーコン信号バーストを送信する。ひとたび送信が行われれば、端末は、８０２の状態に戻る。
【００５２】
ＲＸタイマーの満了とともに、端末は８０６の状態に入る。ワイヤレス端末は、傾聴モードにあり、ビーコン信号バーストをサーチする。もし、オンタイム間隔が終了したとき、ワイヤレス端末が、ビーコン信号バーストを見つけ出せなかった場合、端末は、８０２の状態に戻る。もし、ワイヤレス端末が、新規のワイヤレス端末のビーコン信号バーストを検出し、もし、端末が新規端末と通信を行おうとするならば、端末は、８０８の状態に進む。８０８の状態において、ワイヤレス端末は、新規端末のタイミングおよび／または周波数を、検出したビーコン信号から引き出し、それから、自身のタイミングおよび／または周波数を、新規のワイヤレス端末のタイミングおよび／または周波数に同期させる。例えば、ワイヤレス端末は、時間および／または周波数におけるビーコンロケーションを、新規ワイヤレス端末のタイミングフェーズおよび／または周波数を見積もるための基礎として、使用することが出来る。この情報は、２つのワイヤレス端末を同期させるために使用することが出来る。
【００５３】
ひとたび同期化が行われると、ワイヤレス端末は、追加信号を新規の端末に送ることが出来、通信リンクを確立（８１０）することが出来る。ワイヤレス端末および新規のワイヤレス端末は、それから、ピアツーピア通信セッションを設定することが出来る。ワイヤレス端末が、別の端末と通信リンクを確立できたとき、端末は、他の端末、例えば、新規のワイヤレス端末が端末を検出できるように、ビーコン信号を断続的に送信し続ける。加えて、ワイヤレス端末は、新規ワイヤレス端末を検出するために、周期的にオンタイム間隔に入る。
【００５４】
図９は、例示的なワイヤレス端末９００、例えば、実現された携行可能な移動ノードの詳細な例解をもたらす。図９に描写された例示的なワイヤレス端末９００は、図１において描写された端末１０２および１０４のいずれか１つによって使用可能な、装置の詳細な表示である。図９の実施形態において、端末９００は、プロセッサ９０４、無線通信インターフェースモジュール９３０、ユーザ入力／出力インターフェース９４０、およびバス９０６によって共に結合されたメモリ９１０を含む。それに応じて、バス９０６を介して、様々な端末９００の部品は、情報、信号およびデータを交換することが出来る。端末９００の部品９０４、９０６、９１０、９３０、９４０は、ハウジング９０２の内部に位置している。
【００５５】
無線通信インターフェースモジュール９３０は、ワイヤレス端末９００の内部部品が、外部デバイスおよび別のワイヤレス端末、に／から、信号を送信および受信出来るメカニズムをもたらす。無線通信インターフェースモジュール９３０は、例えば、デュプレクサ９３８や、ワイヤレス端末９００を他の端末と結合するために、例えば、無線通信チャネルを介して使用されるアンテナ９３６と接続される、受信機モジュール９３２および送信機モジュール９３４を含む。
【００５６】
例示的なワイヤレス端末９００は、ユーザ入力デバイス９４２、例えばキーパッド、および、ユーザ出力デバイス９４４、例えばディスプレイを含むことも出来、これらのデバイスはユーザ入力／出力インターフェース９４０を介して、バス９０６に結合される。このようにして、ユーザ入力／出力デバイス９４２、９４４は、ユーザ入力／出力インターフェース９４０およびバス９０６を介して、端末９００の他の部品と、情報、信号およびデータを交換することが出来る。ユーザ入力／出力インターフェース９４０および関係したデバイス９４２、９４４は、様々なタスクを達成するためにユーザがワイヤレス端末を動作することの出来る、メカニズムもたらす。特に、ユーザ入力デバイス９４２およびユーザ出力デバイス９４４は、ユーザが、ワイヤレス端末９００、およびワイヤレス端末９００のメモリ９１０中で実行されるアプリケーション、例えば、モジュール、プログラム、ルーチン、および／または機能を制御できるようにする機能性をもたらす。
【００５７】
様々なモジュール、例えば、メモリ９１０中に含まれるルーチンの制御下におけるプロセッサ９０４は、様々なシグナリングおよび処理を実行するためのワイヤレス端末９００の動作を制御する。メモリ９１０中に含まれるモジュールは、スタートアップ時あるいは他のモジュールによって呼び出されたとき、実行される。モジュールは、実行されたとき、データ、情報および信号を交換することが出来る。モジュールは、実行されたとき、データおよび情報を共有することも出来る。図９の実施形態において、例示的なワイヤレス端末９００のメモリ９１０は、シグナリング／制御モジュール９１２およびシグナリング／制御データ９１４を含む。
【００５８】
シグナリング／制御モジュール９１２は、信号の受信および送信に関係した処理、例えば、メッセージ、状態情報管理のための記憶、検索、および処理を制御する。シグナリング／制御データ９１４は、状態情報、例えばパラメータ、ステータスおよび／または端末の動作に関係した他の情報を含む。特に、シグナリング／制御データ９１４は、ビーコン信号構成情報９１６、例えば、ビーコン信号バーストが送信されるシンボル期間と、使用される周波数トーンを含むビーコン信号バーストの信号形、ならびに、受信機のオンタイムおよびオフタイム構成情報９１８、例えば、オンタイム間隔の開始と終了時刻を含む。モジュール９１２は、データ９１４をアクセス、および／または修正、例えば、構成情報９１６および９１８を更新する。モジュール９１２は、ビーコン信号バーストの発生および送信用モジュール９１１、ビーコン信号バースト検出用モジュール９１３、ならびに、受信したビーコン情報の関数として、タイミングおよび／または周波数の同期化情報を、決定および／または実現するための同期化モジュール９１５も含む。
【００５９】
図１０は、携行可能なワイヤレス端末の例示的な動作方法のフローチャート１０００の図である。例示的な方法の動作は、ステップ１００２において開始する。ここで、ワイヤレス端末はオンとされ、初期化され、ステップ１００４に進む。ステップ１００４において、ワイヤレス端末は、第１の時間間隔の間、ビーコン信号とユーザデータを送信するように動作される。ステップ１００４は、サブステップ１００６およびサブステップ１００８を含む。
【００６０】
サブステップ１００６において、ワイヤレス端末は、ビーコン信号バーストのシーケンスを含み、各ビーコン信号バーストは１つあるいはそれより多くのビーコンシンボルを含み、各ビーコンシンボルはビーコンシンボル送信単位を占め、１つあるいはそれより多くのビーコンシンボルは各ビーコン信号バーストの間、ビーコン信号を送信するように動作される。様々な実施形態において、ビーコン信号を送信するための送信電力は、バッテリー電力源からくる。ビーコン信号バーストにおけるビーコンシンボル数は、利用可能なビーコンシンボル送信単位の十（１０）％より少ないパーセントを占めるであろう。１つの実施形態において、ビーコン信号バーストのシーケンスで送信される各ビーコン信号バーストは、同一の期間を有するであろう。他の実施形態において、ビーコン信号バーストのシーケンスで送信される、少なくとも幾つかのビーコン信号バーストは、異なる長さの期間を有する。
【００６１】
サブステップ１００６は、サブステップ１０１０を含む。サブステップ１０１０において、ビーコン信号バーストのシーケンスにおける隣接する２つのビーコン信号バースト間の時間間隔が、この隣接する２つのビーコン信号バーストのいずれかの期間の少なくとも五（５）倍であるような間隔で、ワイヤレス端末は、当該ビーコン信号バーストを送信するように動作される。１つの実施形態において、第１の時間間隔の間に発生するビーコン信号バースト間の時間スペーシングは、第１の時間間隔の間に、周期的態様で発生するビーコン信号バースト間の時間スペーシングと一定である。幾つかの、そのような実施形態において、第１の時間間隔の間のビーコン信号バースト期間は、一定である。１つの実施形態において、第１の時間間隔の間に発生するビーコン信号バースト間の時間スペーシングは、第１の時間間隔の間に、予め定められたパターンに応じて発生するビーコン信号バースト間の時間スペーシングとは変動する。幾つかの、そのような実施形態において、第１の時間間隔の間のビーコン信号バースト期間は、一定である。１つの実施形態において、予め定められたパターンは、送信ステップを実行するワイヤレス端末に依存して変動する。様々な実施形態において、予め定められたパターンは、システムにおける全てのワイヤレス端末について同一である。１つの実施形態において、パターンは、擬似ランダムパターンである。
【００６２】
サブステップ１００８において、第１の時間間隔の間、ワイヤレス端末は、ユーザデータを送信するように動作される。当該ユーザデータは、第１の時間間隔の間に送信されるビーコンシンボルの、ビーコンシンボルあたりの平均電力レベルよりも、少なくとも五十（５０）％低いシンボルあたりの平均電力レベルで送信されるデータシンボルを使用して、送信される。ある面において、各ビーコンシンボルの、シンボル送信あたりの平均電力レベルは、第１の時間間隔の間にデータを送信するために使用されるシンボルの、シンボルあたりの平均送信電力レベルよりも、少なくとも十（１０）％高い。ある面において、各ビーコンシンボルの、シンボル送信あたりの平均電力レベルは、第１の時間間隔の間にデータを送信するために使用されるシンボルの、シンボルあたりの平均送信電力レベルよりも、少なくとも十六（１６）％高い。
【００６３】
様々な実施形態において、ビーコン信号は、ＯＦＤＭトーンシンボルを使用して送信することが出来、複数のビーコンシンボルバーストを含むビーコン信号は、時間期間の間にワイヤレス端末によって使用される送信リソースの壱（１）％より少ないパーセントを占める。幾つかの、そのような実施形態において、ビーコンシンボルは、当該時間期間の一部分におけるトーンシンボルの十分の１（０．１）パーセントより少ないパーセントを占め、１個のビーコン信号バーストと、引き続くビーコン信号バースト間の１個の間隔を含んでいる。
【００６４】
サブステップ１００８において、ワイヤレス端末は、第１の時間の期間の間にワイヤレス端末によって使用される送信リソースのトーンシンボルの少なくとも１０％で、ユーザデータを送信するように動作される。幾つかの、そのような実施形態において、第１の時間の期間において発生するビーコン信号バースト時間期間の時間期間量は、第１の時間の期間において、連続する２つのビーコン信号バースト間で発生する時間期間量よりも少なくとも五十（５０）倍短い。
【００６５】
ある面において、携行可能なワイヤレス端末は、ＯＦＤＭ送信機を含み、送信機はビーコン信号を送信する。そしてビーコン信号は、周波数と時間の組み合わせであるリソースを使用して通信される。ある面において、携行可能なワイヤレス端末は、ＣＤＭＡ送信機を含み、送信機はビーコン信号を送信する。そしてビーコン信号は、コードと時間の組み合わせであるリソースを使用して通信される。
【００６６】
図１１は、携行可能なワイヤレス端末、例えば、バッテリー電力の移動ノードの例示的な動作方法のフローチャート１１００の図である。動作は、ステップ１１０２において開始する。ここで、携行可能なワイヤレス端末はオンとされ、初期化される。動作は、ステップ１１０２からステップ１１０４に進む。ステップ１１０４において、携行可能なワイヤレス端末は、ビーコン信号バーストのシーケンスを含むビーコン信号を送信するように動作され、各ビーコン信号バーストは１つあるいはそれより多くのビーコンシンボルを含み、各ビーコンシンボルはビーコンシンボル送信単位を占め、１つあるいはそれより多くのビーコンシンボルは各ビーコン信号バーストの間、送信される。幾つかの、そのような実施形態において、ビーコンシンボルはＯＦＤＭトーンシンボルを使用して送信される。そして、ビーコンシンボルは、時間期間の間に、ワイヤレス端末によって使用される送信リソースのトーンシンボルの壱（１）％より少ないパーセントを占め、複数のビーコンシンボルバーストを含んでいる。動作は、ステップ１１０４からステップ１１０６に進む。
【００６７】
ステップ１１０６において、携行可能なワイヤレス端末は、時間の期間の間に、ワイヤレス端末によって使用され、多数のビーコンシンボルバーストを含むトーンシンボルの、少なくとも十（１０）％で、ユーザデータを送信するように動作される。幾つかの、そのような実施形態において、時間の期間において発生するビーコン信号バーストの時間期間は、第１の時間の期間において、連続する２つのビーコン信号バースト間で発生する時間期間よりも、少なくとも五十（５０）倍短い。
【００６８】
図１２は、携行可能なワイヤレス端末、例えば、バッテリー電力の移動ノードの例示的な動作方法のフローチャート１２００の図である。動作は、ステップ１２０１において開始する。ここで、携行可能なワイヤレス端末はオンとされ、初期化される。動作は、ステップ１２０１からステップ１２０２に進む。ここで、ワイヤレス端末は、ワイヤレス端末がビーコン信号を送信すべきかをチェックする。もしステップ１１０２において、例えば、ワイヤレス端末は動作モードあるいは動作状態にあり、ワイヤレス端末はビーコン信号を送信すべきと決定されたら、動作はステップ１２０２からステップ１２０４に進む。さもなくば、動作は、ステップ１２０２の入力に戻り、ワイヤレス端末がビーコン信号を送信すべきか、別のチェックを行う。
【００６９】
ステップ１２０４において、ワイヤレス端末は、ビーコン信号バーストを送信する時刻か否かをチェックする。もしステップ１２０４において、例えば、ビーコン信号バーストを送信すべき時刻であると決定されたら、動作はステップ１２０６に進む。ステップ１２０６において、ワイヤレス端末は、１つあるいはそれより多くのビーコンシンボルを含むビーコン信号バーストを送信し、各ビーコンシンボルは、ビーコンシンボル送信単位を占める。動作はステップ１２０６からステップ１２０２に進む。
【００７０】
ステップ１２０４において、ビーコン信号バーストを送信する時刻ではないと決定されたら、動作はステップ１２０８に進む。ステップ１２０８において、ワイヤレス端末は、潜在的なユーザデータ送信の時刻であるか否かを決定する。ステップ１２０８において、潜在的なユーザデータ送信に対して割り当てられた時間であると決定されたら、動作はステップ１２０８からステップ１２１０に進む。さもなくば、動作はステップ１２０８からステップ１２０２に進む。
【００７１】
ステップ１２１０において、ワイヤレス端末は、ワイヤレス端末がユーザデータを送信すべきかを決定する。もし、ワイヤレス端末はユーザデータを送信すべきと決定したら、動作はステップ１２１０からステップ１２１２に進む。ステップ１２１２において、ワイヤレス端末は、ワイヤレス端末によって送信されるビーコンシンボルの、ビーコンシンボルあたりの平均電力レベルよりも、すくなくとも五十（５０）％低いシンボルあたりの平均電力レベルで送信されるデータシンボルを使用して、ユーザデータを送信する。ステップ１２１０において、もし、ワイヤレス端末はユーザデータを、今の時刻では送信すべきでない、例えば、ワイヤレス端末は送信されるために待機しているユーザデータのバックログを有しない、および／またはワイヤレス端末がデータを送ろうと希望するピアノードが、ユーザデータを受信する準備が出来ていないと決定したら、動作はステップ１２０２に戻る。
【００７２】
図１３は、携行可能なワイヤレス端末、例えば、バッテリー電力の移動ノードの例示的な動作方法のフローチャート１３００の図である。動作は、ステップ１３０２において開始する。ここで、ワイヤレス端末はオンとされ、初期化される。動作は、ステップ１３０２から始まり、ステップ１３０４、１３０６、１３０８、接続ノードＡ１３１０および接続ノードＢ１３１２に進む。
【００７３】
継続ベースで実行されうるステップ１３０４において、ワイヤレス端末は、タイミングのトラック、現時点の時間情報１３１４の出力を実行する。現時点の時間情報１３１４は、例えば、ワイヤレス端末によって使用される循環タイミング構造におけるインデックス値を特定する。
【００７４】
ステップ１３０６において、ワイヤレス端末は、ワイヤレス端末がビーコン信号を送信すべきか否かを決定する。ワイヤレス端末は、モードおよび／またはステータス情報１３１６、および／または優先度情報１３１８を、ワイヤレス端末がビーコン信号を送信すべきか否かを決定するに際して、使用する。もし、ステップ１３０６において、ワイヤレス端末が、ワイヤレス端末はビーコン信号を送信すべきと決定したら、動作はステップ１３２０に進む。ステップ１３２０において、ワイヤレス端末は、ビーコンアクティブフラグ１３２４を設定する。しかし、もし、ステップ１３０６において、ワイヤレス端末が、ワイヤレス端末はビーコン信号を送信すべきでないと決定したら、動作はステップ１３２２に進む。ステップ１３２２において、ワイヤレス端末は、ビーコンアクティブフラグ１３２４をクリアする。動作は、ステップ１３２０あるいはステップ１３２２から１３０６に戻る。ステップ１３０６において、ワイヤレス端末は、再びワイヤレス端末がビーコン信号を送信すべきか否かについてのテストを行う。
【００７５】
ステップ１３０８において、ワイヤレス端末は、ワイヤレス端末がデータ送信のためにクリアされるべきか否かを決定する。ワイヤレス端末は、モードおよび／またはステータス情報１３２６、優先度情報１３２８、および／またはピアノード情報１３３０、例えば、ピアワイヤレス端末が受容的でユーザデータを受信できるか否かを示す情報を、ワイヤレス端末がデータ送信のためにクリアされるべきか否かを決定するに際して、使用する。もし、ワイヤレス端末が、ステップ１３０８において、ワイヤレス端末は、ユーザデータを送信するためにクリアされると決定したら、動作はステップ１３３２に進む。ステップ１３３２において、ワイヤレス端末は、データ送信フラグ１３３６を設定する。しかし、もし、ワイヤレス端末が、ステップ１３０８において、ワイヤレス端末は、ユーザデータを送信するためにクリアされないとしたら、動作はステップ１３３４に進む。ステップ１３３４において、ワイヤレス端末は、データ送信フラグ１３３６をクリアする。動作は、ステップ１３３２あるいはステップ１３３４から、ステップ１３０８に戻る。ステップ１３０８において、ワイヤレス端末は、再びワイヤレス端末がデータ送信のためにクリアされるべきか否かについてのテストを行う。
【００７６】
接続ノードＡ１３１０に戻れば、動作は、接続ノードＡ１３１０からステップ１３３８に進む。ステップ１３３８において、ワイヤレス端末は、現時点の時間情報１３１４が、時間構造情報１３４０に関し、ビーコンバースト間隔を示しているか、および、ビーコンアクティブフラグ１３２４が設定されたか否かをチェックする。もし、その時間が、ビーコンバースト間隔であり、ビーコンアクティブフラグが設定されたことを示した場合、動作は、ステップ１３３８から、ステップ１３４２に進む。さもなくば、動作は、別の条件のテストのために、ステップ１３３８の入力に後戻りする。
【００７７】
ステップ１３４２において、ワイヤレス端末は、ビーコン信号バーストを発生し、当該ビーコン信号バーストは、１つあるいはそれより多くのビーコンシンボルを含み、各ビーコンシンボルは、ビーコンシンボル送信単位を占める。ワイヤレス端末は、ビーコン信号バーストを発生するに際して、現時点の時間情報１３１４と、記憶されたビーコン信号定義情報１３４４とを実用する。ビーコン信号定義情報１３４４は、例えば、バースト信号定義情報、および／またはパターン情報を含む。ビーコン信号バースト情報は、ビーコンシンボルを運ぶために使用されるであろう潜在的ＯＦＤＭトーンシンボルのセット内にあり、ワイヤレス端末に対して発生されたビーコンバースト信号に対応するビーコンシンボルを運ぶために使用される、ＯＦＤＭトーンシンボルのサブセットを特定する情報を含む。１つの実施形態において、１つのビーコン信号バーストに対するトーンサブセットは、例えば、予め定められたホッピングパターンに対応し、同一ビーコン信号内にある、１つのビーコン信号バーストから次のビーコン信号バーストまで、異なることが出来、時々、実際に異なる。１つの実施形態において、ビーコン信号情報は、発生されたビーコンバースト信号のビーコントーンシンボルによって搬送されるシンボル値変調を特定する情報を含む。１つの実施形態において、ビーコン信号バーストのシーケンスは、例えば、特定のワイヤレス端末に対応して、ビーコン信号を規定するために使用される。ある面において、ビーコンシンボルのパターン、例えば、ビーコンバースト信号内にある特定のパターンは、ビーコン信号を規定するために実用される。
【００７８】
動作は、ステップ１３４２からステップ１３４６に進む。ステップ１３４６において、ワイヤレス端末は、発生されたビーコンバースト信号を送信する。ワイヤレス端末は、送信されたビーコンバースト信号内にある、ビーコンシンボルの送信電力レベルを決定するために、記憶されたビーコンシンボル電力レベル情報１３４８を使用する。動作は、そして、ステップ１３４６からステップ１３３８に進む。
【００７９】
接続ノードＢ１３１２に戻れば、動作は、接続ノードＢ１３１２からステップ１３５０に進む。ステップ１３５０において、ワイヤレス端末は、現時点の時間情報１３１４が、時間構造情報１３４０に関し、データ送信間隔を示しているか、データ送信フラグ１３３６が設定されたか否か、および、ワイヤレス端末がユーザバックログ情報１３５２によって示されたように送信されるデータを有するかをチェックする。もし、それが、データ送信間隔であることを示し、データ送信フラグ１３３６が設定されたとしたら、動作は、ステップ１３５０から、ステップ１３５４に進む。さもなくば、動作は、別の条件のテストのために、ステップ１３５０の入力に後戻りする。
【００８０】
ステップ１３５４において、ワイヤレス端末は、ユーザデータ１３５６を含む信号を発生する。ユーザデータ１３５６は、例えば、オーディオ、イメージ、ファイル、および／または、ワイヤレス端末のピアに対して意図されたテキストデータ／情報を含む。
【００８１】
動作は、ステップ１３５４から、ステップ１３５８に進む。ステップ１３５８において、ワイヤレス端末はユーザデータを含む発生された信号を送信する。ワイヤレス端末は、送信されるユーザデータシンボルの送信電力レベルを決定するために、記憶されたユーザデータシンボル電力レベル情報１３６０を使用する。動作は、ステップ１３５８から、ステップ１３５０に進む。ステップ１３５０において、ワイヤレス端末は、ユーザデータ送信に付属したチェックを実行する。
【００８２】
ある面において、ビーコン信号バースト内にあるビーコンシンボル数は、利用可能なビーコン信号送信単位の十（１０）％より少ないパーセントを占めるであろう。様々な実施形態において、ユーザデータシンボルは、送信されるビーコンシンボルの、ビーコンシンボルあたりの平均電力レベルよりも、少なくとも五十（５０）％低いシンボルあたりの平均電力レベルで送信される。
【００８３】
図１４は、携行可能なワイヤレス端末からの例示的なビーコンシグナリングを、例示的な実施形態に応じて、例解する図１４００を含む。図１４００において、同一のビーコンバースト信号、ビーコンバースト１が、ビーコン無しバースト間隔の間で繰り返される。各ビーコン信号バーストは、１つあるいはそれより多くのビーコンシンボルを含み、各ビーコンシンボルは、ビーコンシンボル送信単位を占め、１つあるいはそれより多くのビーコンシンボルが、各ビーコン信号バーストの間、送信される。周波数、例えば、ＯＦＤＭトーンが、垂直軸１４０２の上にプロットされ、一方、時間が、水平軸１４０４の上にプロットされる。以下のシーケンスは、図１４００の中で例解される。：ビーコンバースト１信号１４０６を含むビーコンバースト１信号間隔、非バースト間隔１４０８、ビーコンバースト１信号１４１０を含むビーコンバースト１信号間隔、非バースト間隔１４１２、ビーコンバースト１信号１４１４を含むビーコンバースト１信号間隔、非バースト間隔１４１６、ビーコンバースト１信号１４１８を含むビーコンバースト１信号間隔、非バースト間隔１４２０。この例において、各ビーコンバースト信号（１４０６、１４１０、１４１４、１４１８）は、ビーコン信号（１４２２、１４２４、１４２６、１４２８）に対応する。加えて、この例において、各ビーコンバースト信号（１４２２、１４２４、１４２６、１４２８）は、同一であり、各ビーコンバースト信号は、同一のビーコンシンボルを含む。
【００８４】
図１４は、また、携行可能なワイヤレス端末からの例示的なビーコン信号を例解する図１４５０を含む。図１４５０において、ビーコン信号は、ビーコンバースト信号のシーケンスを含む合成信号である。各ビーコン信号バーストは、１つあるいはそれより多くのビーコンシンボルを含み、各ビーコンシンボルは、ビーコンシンボル送信単位を占め、１つあるいはそれより多くのビーコンシンボルは、各ビーコン信号バーストの間、送信される。周波数、例えば、ＯＦＤＭトーンが、垂直軸１４５２の上にプロットされ、一方、時間が、水平軸１４５４の上にプロットされる。以下のシーケンスは、図１４５０の中で例解される。：ビーコンバースト１信号１４５６を含むビーコンバースト１信号間隔、非バースト間隔１４５８、ビーコンバースト２信号１４６０を含むビーコンバースト２信号間隔、非バースト間隔１４６２、ビーコンバースト３信号１４６４を含むビーコンバースト３信号間隔、非バースト間隔１４６６、ビーコンバースト１信号１４６８を含むビーコンバースト１信号間隔、非バースト間隔１４７０。この例において、ビーコン信号１４７２は、ビーコンバースト１信号１４５６、ビーコンバースト２信号１４６０、ビーコンバースト３信号１４６４を含む合成信号である。加えて、この例において、各ビーコンバースト信号（ビーコンバースト１信号１４５６、ビーコンバースト２信号１４６０、ビーコンバースト３信号１４６４）は、異なり、例えば、各ビーコンバースト信号は、他の２つのビーコンバースト信号に対応する、いずれのセットともマッチしないビーコン信号のセットを含む。
【００８５】
ある面において、ビーコンシンボルは、１つのビーコン信号バーストと、引き続くビーコン信号バースト間の１つの間隔とを含むエアーリソースの、０．３％より少ないパーセントを占める。幾つかの、そのような実施形態において、ビーコンシンボルは、１つのビーコン信号バーストと、引き続くビーコン信号バースト間の１つの間隔とを含むエアーリソースの、０．１％より少ないパーセントを占める。幾つかの実施形態におけるエアーリソースは、予め定められた時間間隔に対するトーンのセットに対応したＯＦＤＭトーンシンボルのセットを含む。
【００８６】
図１５は、異なるワイヤレス端末が、異なるビーコンバースト信号を含む異なるビーコン信号を送信することを例解する。ワイヤレス端末から送信された異なるビーコン信号は、ワイヤレス端末の特定化のために使用することが出来、時々、実際に使用される。例えば、図１５００は、ワイヤレス端末Ａと関係したビーコンバースト信号の表示を含み、一方、図１５５０は、ワイヤレス端末Ｂと関係したビーコンバースト信号の表示を含むことを考えてみよう。レジェンド１５０２は、図１５００と対応し、レジェンド１５５２は、図１５５０と対応する。
【００８７】
レジェンド１５０２は、ＷＴ Ａに対するビーコンバースト信号に関して、格子ボックス１５１０がビーコンシンボル送信単位を表示し、一方、大きなレター“Ｂ”１５１２がビーコン送信単位によって運ばれるビーコンシンボルを表示することを示す。図１５００において、垂直軸１５０４は、周波数、例えば、ＯＦＤＭトーンインデックスを表示し、一方、水平軸１５０６は、ビーコンバースト信号内のビーコン送信単位時間インデックスを表示する。ビーコンバースト信号１５０８は、百（１００）個のビーコンシンボル送信単位１５１０を含む。それらのビーコンシンボル送信単位の２つは、ビーコンシンボル“Ｂ”１５１２を運ぶ。第１のビーコンシンボルは、周波数インデックス＝３および時間インデックス＝０を有し、第２のビーコンシンボルは、周波数インデックス＝９および時間インデックス＝６を有する。他のビーコンシンボル送信単位は、不使用のままである。従って、この例では、ビーコンバーストの送信リソースの２％が、ビーコンシンボルを運ぶために使用される。幾つかの実施形態において、ビーコンシンボルは、ビーコンバーストの送信リソースの１０％より少ないパーセントを占める。
【００８８】
レジェンド１５５２は、ＷＴ Ｂに対するビーコンバースト信号に関して、格子ボックス１５１０がビーコンシンボル送信単位を表示し、一方、大きなレター“Ｂ”１５１２がビーコン送信単位によって運ばれるビーコンシンボルを表示することを示す。図１５５０において、垂直軸１５５４は、周波数、例えば、ＯＦＤＭトーンインデックスを表示し、一方、水平軸１５５６は、ビーコンバースト信号内のビーコン送信単位時間インデックスを表示する。ビーコンバースト信号１５５８は、１００個のビーコンシンボル送信単位１５１０を含む。それらのビーコンシンボル送信単位の２つは、ビーコンシンボル“Ｂ”１５１２を運ぶ。第１のビーコンシンボルは、周波数インデックス＝３および時間インデックス＝２を有し、第２のビーコンシンボルは、周波数インデックス＝７および時間インデックス＝６を有する。他のビーコンシンボル送信単位は、不使用のままである。従って、この例では、ビーコンバーストの送信リソースの２％が、ビーコンシンボルを運ぶために使用される。
【００８９】
図１６は、幾つかの実施形態を例解する図１６００および対応するレジェンド１６０２であり、ビーコンシンボル送信単位は、複数のＯＦＤＭシンボル送信単位を含む。この例において、ビーコンシンボル送信単位は、２つの隣接するＯＦＤＭシンボル送信単位を占める。他の実施形態において、ビーコンシンボル送信単位は、異なる数、例えば３とか４のＯＦＤＭ送信単位を占める。ビーコンシンボル送信単位に対して、複数のＯＦＤＭ送信単位を使用するという、この特徴は、例えば、ワイヤレス端末間の正確なタイミング、および／または周波数同期化が存在しないであろう場合において、ビーコン信号を簡易に検出することを容易ならしめる。１つの実施形態において、ビーコンシンボルは、最初のビーコンシンボル部分と、次にくる延長ビーコンシンボル部分を含む。例えば、最初のビーコンシンボル部分は、次にボディー部分がくる巡回プレフィックス部分を含み、延長ビーコンシンボル部分は、ボディー部分の継続である。
【００９０】
レジェンド１６０２は、例示的なビーコンバースト信号１６１０に対して、真四角のボックス１６１２によってＯＦＤＭ送信単位が表示され、一方、太い枠線で矩形のボックス１６１４によってビーコンシンボル送信単位が表示されることを例解する。大きなレター“ＢＳ”１６１６は、ビーコン送信単位によって運ばれるビーコンシンボルを表示する。
【００９１】
図１６００において、垂直軸１６０４は、周波数、例えば、ＯＦＤＭトーンインデックスを表示し、水平軸１６０６は、ビーコンバースト信号内のビーコン送信単位時間を表示し、水平軸１６０８は、ビーコンバースト信号内のＯＦＤＭシンボル時間間隔インデックスを表示する。ビーコンバースト信号１６１０は、１００個のＯＦＤＭシンボル送信単位１６１２および５０個のビーコンシンボル送信単位１６１４を含む。それらのビーコンシンボル送信単位の２つは、ビーコンシンボル“ＢＳ”１６１６を運ぶ。第１のビーコンシンボルは、周波数インデックス＝３、ビーコン送信単位時間インデックス＝０、およびＯＦＤＭ時間インデックス＝０−１を有し、第２のビーコンシンボルは、周波数インデックス＝９、ビーコン送信単位時間インデックス＝３、およびＯＦＤＭ時間インデックス＝６−７を有する。他のビーコンシンボル送信単位は、不使用のままである。従って、この例では、ビーコンバーストの送信リソースの４％が、ビーコンシンボルを運ぶために使用される。幾つかの実施形態において、ビーコンシンボルは、ビーコンバーストの送信リソースの１０％より少ないパーセントを占める。
【００９２】
図１７は、ビーコンバースト信号のシーケンスを具備する、例示的なビーコン信号を例解し、また、幾つかの実施形態のタイミング関係を例解するために使用される図１７００である。図１７００は、周波数、例えば、ＯＦＤＭトーンインデックスを表示している垂直軸１７０２を含み、一方、水平軸１７０４は、時間を表示する。図１７００の例示的なビーコン信号は、ビーコンバースト１信号１７０６、ビーコンバースト２信号１７０８、およびビーコンバースト３信号１７１０を含む。図１７００の例示的なビーコン信号は、例えば、図１４の図１４５０の合成ビーコン信号１４７２でありうる。
【００９３】
ビーコンバースト信号１７０６は、２つのビーコンシンボル１７０７を含み、ビーコンバースト信号１７０８は、２つのビーコンシンボル１７０９を含み、ビーコンバースト信号１７１０は、２つのビーコンシンボル１７１１を含む。この例において、各バーストにおけるビーコンシンボルは、時間／周波数格子中の異なるビーコン送信単位位置で発生する。加えて、この例において、位置の変化は、予め定められたトーンホッピングシーケンスに応じる。
【００９４】
時間軸１７０４に沿って、ビーコンバースト１信号１７０６に対応するビーコンバースト１信号時間間隔ＴB1１７１２、続くバースト時間間隔間ＴBB1/2１７１８、続くビーコンバースト２信号１７０８に対応するビーコンバースト２信号時間間隔ＴB2１７１４、続くバースト時間間隔間ＴBB2/3１７２０、続くビーコンバースト３信号１７１０に対応するビーコンバースト３信号時間間隔ＴB3１７１６、がある。この例において、ビーコンバースト間の時間は、隣接するバーストの時間よりも、少なくとも５倍大きい。例えば、ＴBB1/2≧５ＴB1およびＴBB1/2≧５ＴB2；ＴBB2/3≧５ＴB2およびＴBB2/3≧５ＴB3。この例において、ビーコンバースト（１７０６、１７０８、１７１０）の各々は、同一の時間期間、例えば、ＴB1＝ＴB2＝ＴB3を有する。
【００９５】
図１８は、ビーコンバースト信号のシーケンスを具備する、例示的なビーコン信号を例解し、また、幾つかの実施形態のタイミング関係を例解するために使用される図１８００である。図１８００は、周波数、例えば、ＯＦＤＭトーンインデックスを表示している垂直軸１８０２を含み、一方、水平軸１８０４は、時間を表示する。図１８００の例示的なビーコン信号は、ビーコンバースト１信号１８０６、ビーコンバースト２信号１８０８、およびビーコンバースト３信号１８１０を含む。図１８００の例示的なビーコン信号は、例えば、図１４の図１４５０の合成ビーコン信号１４７２でありうる。
【００９６】
ビーコンバースト信号１８０６は、２つのビーコンシンボル１８０７を含み、ビーコンバースト信号１８０８は、２つのビーコンシンボル１８０９を含み、ビーコンバースト信号１８１０は、２つのビーコンシンボル１８１１を含む。この例において、各バーストにおけるビーコンシンボルは、時間／周波数格子中の異なるビーコン送信単位位置で発生する。加えて、この例において、位置の変化は、予め定められたトーンホッピングシーケンスに応じる。
【００９７】
時間軸１８０４に沿って、ビーコンバースト１信号１８０６に対応するビーコンバースト１信号時間間隔ＴB1１８１２、続くバースト時間間隔間ＴBB1/2１８１８、続くビーコンバースト２信号１８０８に対応するビーコンバースト２信号時間間隔ＴB2１８１４、続くバースト時間間隔間ＴBB2/3１８２０、続くビーコンバースト３信号１８１０に対応するビーコンバースト３信号時間間隔ＴB3１８１６、がある。この例において、ビーコンバースト間の時間は、隣接するバーストの時間よりも、少なくとも５倍大きい。例えば、ＴBB1/2≧５ＴB1およびＴBB1/2≧５ＴB2；ＴBB2/3≧５ＴB2およびＴBB2/3≧５ＴB3。この例において、ビーコンバースト（１８０６、１８０８、１８１０）の各々は、異なる時間期間、例えば、ＴB1≠ＴB2≠ＴB3≠ＴB1を有し、合成ビーコン信号における、少なくとも２つのビーコンバースト信号は、異なる期間を有する。
【００９８】
図１９は、ワイヤレス端末がビーコン信号を送信し、動作モードにあるワイヤレス端末によって、例示的にエアーリンクリソースを区分することを例解する図１９００である。垂直軸１９０２は、周波数、例えばＯＦＤＭトーンを表示し、一方、水平軸１９０４は、時間を表示する。この例において、ビーコン送信リソース１９０６、続く他用途リソース１９０８、続くビーコン送信リソース１９０６’、続く他用途リソース１９０８’、続くビーコン送信リソース１９０６’’、続く他用途リソース１９０８’’、続くビーコン送信リソース１９０６’’’、続く他用途リソース１９０８’’’がある。図１９のビーコン送信リソースは、図１４のビーコンバーストと対応し、一方、図１９の他用途リソースは、図１４の非バースト間隔と対応する。
【００９９】
図２０は、例示的な他用途リソース、例えば、ワイヤレス端末動作の例示的なモードに対するリソース２０００を記述する。ここで、ワイヤレス端末は、例えば、アクティブ動作モードで、ワイヤレス端末は、ビーコン信号を送信し、ユーザデータを受信および／または送信することが出来る。他用途リソース２０００は、非バースト間隔２００２の間に発生し、ビーコンモニターリソース２００４、ユーザデータ送信／受信リソース２００６、およびサイレンスすなわち不使用リソース２００８を含む。ビーコンモニターリソース２００４は、エアーリンクリソース、例えば、周波数と時間との組み合わせを表示する。ここで、ワイヤレス端末は、他のビーコン信号の存在、例えば、他のワイヤレス端末および／または固定された位置レファレンスビーコン信号送信機からのビーコン信号の検出を行う。ユーザデータリソース２００６は、エアーリンクリソース、例えば、周波数と時間との組み合わせを表示する。ここで、ワイヤレス端末は、ユーザデータを送信、および／または受信することが出来る。サイレンスエアーリンクリソース２００８は、不使用エアーリンクリソースを表示し、例えば、ここでは、ワイヤレス端末は受信も送信も行わない。サイレンスリソース２００８の間、ワイヤレス端末は、スリープ状態にあることが出来、時々、実際に、スリープ状態となり、エネルギーを保存するために電力消費が低減される。
【０１００】
図２１は、２つの例示的なワイヤレス端末の動作モード、例えば、非アクティブモードとアクティブモードを例解し、ここで、ワイヤレス端末は、ビーコン信号を送信している。図２１００は、例示的な非アクティブ動作モードに対応し、一方、図２１５０は、アクティブ動作モードに対応する。
【０１０１】
例示的な非アクティブ動作モードにおいて、ワイヤレス端末は、ユーザデータを送信または受信しない。図２１００において、ワイヤレス端末によって使用されるエアーリンクリソースは、Ｎ個のトーン２１０８を占める。１つの実施形態において、Ｎは、百（１００）よりも大きいか、等しい。図２１００において、対応する時間期間Ｔ1inactive２１１０を有するビーコン送信バーストリソース２１０２、続く対応する時間期間Ｔ2inactive２１１２を有するビーコン情報のモニターおよび受信リソース２１０４、続く対応する時間期間Ｔ3inactive２１１４を有するサイレンスリソース２１０６がある。様々な実施形態において、Ｔ1inactive＜Ｔ2inactive＜Ｔ3inactiveである。ある面において、Ｔ2inactive≧４Ｔ1inactiveである。１つの実施形態においてＴ3inactive≧１０Ｔ2inactiveである。例えば、１つの例示的な実施形態において、Ｎ＞１００、例えば１１３であり、Ｔ1inactive＝５０ＯＦＤＭシンボル送信時間間隔、Ｔ2inactive＝２００ＯＦＤＭシンボル送信時間間隔、およびＴ3inactive＝２０００ＯＦＤＭシンボル送信時間間隔である。そのような実施形態において、ビーコン信号が、バーストビーコン信号リソースの高々１０％を占めることを許可される場合、ビーコンシンボルは、トータルリソースのおおよそ高々０．２２％を占める。
【０１０２】
例示的な、アクティブ動作モードにおいて、ワイヤレス端末は、ユーザデータを送信および受信することが出来る。図２１５０において、ワイヤレス端末によって使用されるエアーリンクリソースは、Ｎ個のトーン２１０８を占める。１つの実施形態において、Ｎは、百（１００）よりも大きいか、等しい。図２１５０において、対応する時間期間Ｔ1active２１６２を有するビーコン送信バーストリソース２１５２、続く対応する時間期間Ｔ2active２１６４を有するビーコン情報のモニターおよび受信リソース２１５４、続く対応する時間期間Ｔ3active２１６６を有するユーザデータ送信／受信リソース２１５６、対応する時間期間Ｔ4active２１６８を有するサイレンスリソース２１５８がある。様々な実施形態において、Ｔ1active＜Ｔ2active＜Ｔ3activeである。ある面で、Ｔ2active≧４Ｔ4activeである。１つの実施形態において、（Ｔ3active＋Ｔ4active）≧１０Ｔ2inactiveである。様々な実施形態において、Ｔ1inactive＝Ｔ1activeである。１つの実施形態において、少なくとも幾つかの異なるタイプの間隔の間の、ガード間隔がありうる。
【０１０３】
図２２は、２つのビーコンバーストを含む例示的な第１の時間間隔２２０９の間での、例示的なワイヤレス端末エアーリンクリソースの実用を例解する、図２２００および対応するレジェンド２２０２である。レジェンド２２０２は、真四角２２０４が、ＯＦＤＭトーンシンボル、エアーリンクリソースの基本送信単位を示すことを示す。レジェンド２２０２は、（ｉ）ビーコンシンボルが、影をつけた真四角２２０６によって示され、平均送信電力レベルＰBで送信される、（ｉｉ）ユーザデータシンボルが、レター“Ｄ”２２０８によって示され、平均送信電力レベルＰDを有するようなレベルで送信される、および（ｉｉｉ）ＰB≧２ＰDであることも示す。
【０１０４】
この例において、ビーコン送信リソース２２１０は、二十（２０）個のＯＦＤＭトーンシンボルを含み；ビーコンモニターリソース２２１２は、四十（４０）個のトーンシンボルを含み；ユーザデータ送信／受信リソース２２１４は、１００個のＯＦＤＭトーンシンボルを含み、およびビーコン送信リソース２２１６は、二十（２０）個のトーンシンボルを含む。
【０１０５】
ビーコン送信リソース２２１０および２２１６は、各々１つのビーコンシンボル２２０６を運ぶ。これは、ビーコンバーストシグナリングに対して、送信リソースの５％が割り当てられたことを示す。ユーザデータＴＸ／ＲＸリソース２２１４の百（１００）個のＯＦＤＭシンボルの内の、四十八（４８）個が、ワイヤレス端末によって送信される、ユーザデータシンボルを運ぶ。これは、４８／１８０のＯＦＤＭシンボルが、第１の時間間隔２２０９の間に、ワイヤレス端末によって使用されるということを示す。ユーザデータ部分の６番目（６th）のＯＦＤＭシンボル送信時間間隔に対して、ＷＴが、ＴＸから受信に切り替えると想定する。そうすると、ユーザデータシンボルは、４８／９０のＯＦＤＭトーンシンボル上で、第１の時間間隔の間に、送信用ワイヤレス端末を使用して送信される。１つの実施形態において、ワイヤレス端末がユーザデータを送信するとき、ワイヤレス端末は、ワイヤレス端末によって使用される送信リソースの少なくとも１０％上で、複数のビーコン信号バーストを含む時間の期間の間に、ユーザデータを送信する。
【０１０６】
ある面において、異なる時間で、ユーザデータ送信／受信リソースは、例えば、ユーザデータを含んで送信専用にとか、ユーザデータを含んで受信専用にとか、例えば、時間共有ベースで、受信と送信間で分配するとかして、異なるように使用することが出来、時々、実際に使用される。
【０１０７】
図２３は、２つのビーコンバーストを含む例示的な第１の時間間隔２３１５の間での、例示的なワイヤレス端末エアーリンクリソースの実用を例解する、図２３００および対応するレジェンド２３０２である。レジェンド２３０２は、真四角２３０４が、ＯＦＤＭトーンシンボル、エアーリンクリソースの基本送信単位を示すことを示す。レジェンド２３０２は、（ｉ）ビーコンシンボルが、大きな垂直の矢印２３０６によって示され、平均送信電力レベルＰBで送信される、（ｉｉ）ユーザデータシンボルが、小さな矢印２３０８、２３１０、２３１２、２３１４によって示され、これらは、それぞれ、異なる位相（Θ1、Θ2、Θ3、Θ4）に対応し、例えば、ＱＰＳＫに対応し、平均送信電力レベルＰDを有するようなレベルで送信される、および（ｉｉｉ）ＰB≧２ＰDであることも示す。
【０１０８】
この例において、ビーコン送信リソース２３１６は、二十（２０）個のＯＦＤＭトーンシンボルを含み、ビーコンモニターリソース２３１８は、（４０）個のＯＦＤＭトーンシンボルを含み、ユーザデータ送信／受信リソース２３２０は、１００個のＯＦＤＭトーンシンボルを含み、そしてビーコン送信リソース２３２２は、二十（２０）個のＯＦＤＭトーンシンボルを含む。
【０１０９】
ビーコン送信リソース２３１６および２３２２の各々は１個のビーコンシンボル２３０６を運ぶ。この実施形態において、ビーコンシンボルは同一の振幅と位相を有する。このビーコンシンボルの量は、ビーコンバーストシグナリングに対して割り当てられた送信リソースの５％を表示している。ユーザデータＴＸ／ＲＸリソース２３２０の１００個のＯＦＤＭシンボルの内の四十八（４８）個が、ユーザデータシンボルを運ぶ。この実施形態において、異なるデータシンボルは、異なる位相を有することが出来、時々、有する。１つの実施形態において、異なるデータシンボルは、異なる振幅を有することが出来、時々、有する。このデータシンボルの量は、第１の時間間隔２３１５の間に、ワイヤレス端末によって使用されるＯＦＤＭシンボルの４８／１８０を表示している。ユーザデータ部分の６番目（６th）のＯＦＤＭシンボル送信時間間隔に対して、ＷＴが、ＴＸから受信に切り替えると想定する。そうすると、ユーザデータシンボルは、４８／９０のＯＦＤＭトーンシンボル上で、第１の時間間隔の間に、送信用ワイヤレス端末を使用して送信される。１つの実施形態において、ワイヤレス端末がユーザデータを送信するとき、ワイヤレス端末は、ワイヤレス端末によって使用される送信リソースの少なくとも１０％上で、複数のビーコン信号バーストを含む時間の期間の間に、ユーザデータを送信する。
【０１１０】
ある面において、異なる時間で、ユーザデータ送信／受信リソースは、例えば、ユーザデータを含んで送信専用にとか、ユーザデータを含んで受信専用にとか、例えば、時間共有ベースで、受信と送信間で分配するとかして、異なるように使用することが出来、時々、実際に使用される。
【０１１１】
図２４は、ビーコン信号に関して代替的な記述表示を例解する。図２４００および関連するレジェンド２４０２は、例示的なビーコン信号を記述するために使用される。垂直軸２４１２は、周波数、例えば、ＯＦＤＭトーンインデックスを表示し、一方、水平軸２４１４は、ビーコンリソース時間インデックスを表示する。レジェンド２４０２は、ビーコン信号バーストが太線長方形２４０４で特定され、ビーコンシンボル送信単位２４０６が真四角のボックスで特定され、そして、ビーコンシンボルがボールドレター“Ｂ”２４１６で表示されることを特定する。ビーコン信号リソース２４１０は、１００個のビーコンシンボル送信単位２４０６を含む。３つのビーコンバースト信号２４０４が、時間インデックス値＝０、４、および８に対応して示される。各ビーコンバースト信号中で１つのビーコンシンボル２４１６が発生し、ビーコンシンボルの位置は、例えば、予め定められたパターンおよび／または式に従って、ビーコン信号内で、１つのバースト信号から次のバースト信号へと変化する。この実施形態において、ビーコンシンボル位置はスロープに従う。この例において、ビーコンバーストは、ビーコンバーストの期間の３倍で、お互いに分離される。様々な実施形態において、ビーコンバーストの期間の少なくとも２倍で、お互いに分離される。ある面において、ビーコンバーストは、例えば、複数の連続するビーコン時間インデックスに対して、同一のトーンが使用されるようにして、連続する２つあるいはそれより多いビーコンリソース時間間隔を占めることが出来る。ある面において、ビーコンバーストは、複数のビーコンシンボルを含む。幾つかのそのような実施形態において、ビーコンシンボルは、ビーコン信号リソースの１０％あるいはそれより少ないパーセントを占める。
【０１１２】
図２５は、例示的な携行可能なワイヤレス端末２５００、例えば移動ノードの図である。例示的な携行可能なワイヤレス端末２５００は、図１の任意のワイヤレス端末でありうる。
【０１１３】
例示的なワイヤレス端末２５００は、バス２５１４を介して相互に結合された、受信機モジュール２５０２、送信モジュール２５０４、デュプレックスモジュール２５０３、プロセッサ２５０６、ユーザＩ／Ｏデバイス２５０８、電力供給モジュール２５１０、およびメモリ２５１２を含み、様々なエレメントは、バスを通して、データおよび情報を交換することが出来る。
【０１１４】
受信機モジュール２５０２、例えば、ＯＦＤＭ受信機は、他のワイヤレス端末および／または固定位置ビーコン発信機から、例えば、ビーコン信号および／またはユーザデータ信号を受信する。
【０１１５】
送信モジュール２５０４、例えば、ＯＦＤＭ送信機は、他のワイヤレス端末に信号を送信し、その送信された信号は、ビーコン信号およびユーザデータ信号を含む。ビーコン信号は、ビーコン信号バーストのシーケンスを含み、各ビーコン信号バーストは、１つあるいはそれより多くのビーコンシンボルを含み、そして、各ビーコンシンボルは、ビーコンシンボル送信単位を占める。１つあるいはそれより多くのビーコンシンボルは、送信モジュール２５０４によって、各送信されたビーコン信号バーストに対して、送信される。
【０１１６】
様々な実施形態において、送信モジュール２５０４は、ビーコン信号を送信するＯＦＤＭ送信機であり、ビーコン信号は、周波数と時間の組み合わせであるリソースを使用して通信される。様々な他の実施形態において、送信モジュール２５０４は、ビーコン信号を送信するＣＤＭＡ送信機であり、ビーコン信号は、コードと時間の組み合わせであるリソースを使用して通信される。
【０１１７】
デュプレックスモジュール２５０３は、時分割デュプレックス（ＴＤＤ）スペクトラムシステム実用の一部として、受信機モジュール２５０２と送信機モジュール２５０４との間のアンテナ２５０５を切り替えるように制御される。デュプレックスモジュール２５０３は、アンテナ２５０５に結合され、アンテナを介して、ワイヤレス端末２５００は、信号２５８２を受信し、また信号２５８８を送信する。デュプレックスモジュール２５０３は、リンク２５０１を介して受信機モジュール２５０２に結合され、受信した信号２５８４が、リンクを通して運搬される。信号２５８４は、信号２５８２のフィルターされた表示である。信号２５８４は、信号２５８２と同一であり、例えば、モジュール２５０３は、フィルタリング無しの、パススルーデバイスとして機能する。デュプレックスモジュール２５０３は、リンク２５０７を介して送信機モジュール２５０４に結合され、送信信号２５８６が、リンクを通して運搬される。信号２５８８は、信号２５８６のフィルターされた表示である。ある実施形態において、信号２５８８は、信号２５８６と同一であり、例えば、デュプレックスモジュール２５０３は、フィルタリング無しの、パススルーデバイスとして機能する。
【０１１８】
ユーザＩ／Ｏデバイス２５０８は、例えば、マイクロフォン、キーボード、キーパッド、スイッチ、カメラ、スピーカ、ディスプレイ、等を含む。ユーザデバイス２５０８は、ユーザが、データ／情報を入力し、データ／情報出力にアクセスし、ならびに、ワイヤレス端末の少なくとも幾つかの動作を制御、例えば、パワーアップシーケンスの開始、通信セッションの確立の企て、通信セッションを終了することを許容する。
【０１１９】
電力供給モジュール２５１０は、携行可能なワイヤレス端末電力の源として実用されるバッテリー２５１１を含む。電力供給モジュール２５１０の出力は、様々なコンポーネント（２５０２、２５０３、２５０４、２５０６、２５０８、および２５１２）に電力をもたらすために、電力バス２５０９を介して、結合される。そうして、送信モジュール２５０４は、バッテリー電力を使用して、ビーコン信号を送信する。
【０１２０】
メモリ２５１２は、ルーチン２５１６と、データ／情報２５１８とを含む。プロセッサ２５０６、例えば、ＣＰＵは、ワイヤレス端末２５００の動作の制御と方法の実現とのために、ルーチン２５１６を実行し、メモリ２５１２中のデータ／情報２５１８を使用する。ルーチン２５１６は、ビーコン信号発生モジュール２５２０、ユーザデータ信号発生モジュール２５２２、送信電力制御モジュール２５２４、ビーコン信号送信制御モジュール２５２６、モード制御モジュール２５２８、およびデュプレックス制御モジュール２５３０を含む。
【０１２１】
ビーコン信号発生モジュール２５２０は、各ビーコン信号バーストが１つあるいはそれより多くのビーコンシンボルを含み、ビーコン信号がビーコン信号バーストのシーケンスを含むビーコン信号を発生するために、記憶されたビーコン信号特性情報２５３２を含むメモリ２５１２中のデータ／情報２５１８を使用する。
【０１２２】
ユーザデータ信号発生モジュール２５２２は、ユーザデータシンボルを含むユーザデータ信号を発生するために、ユーザデータ特性情報２５３４と、ユーザデータ２５４７とを含むデータ／情報２５１８を使用する。例えば、ユーザデータ２５４７を表示する情報ビットは、データシンボルのセット、例えば、ＯＦＤＭデータ変調シンボルに、コンステレーション情報２５６４に従ってマップされる。送信電力制御モジュール２５２４は、ビーコンシンボルとデータシンボルとの送信電力レベルを制御するために、ビーコン電力情報２５６２とユーザデータ電力情報２５６６とを含むデータ／情報２５１８を使用する。ある面において、第１の時間の期間の間、送信電力制御モジュール２５２４は、送信されるビーコンシンボルの、ビーコンシンボルあたりの平均電力レベルの少なくとも５０パーセントより低い、シンボルあたりの平均電力レベルで送信されるデータシンボルを制御する。ある面において、送信電力制御モジュール２５２４は、第１の時間の期間の間に、ユーザデータを送信するために使用されるシンボルの、シンボルあたりの平均送信電力レベルより少なくとも１０ｄＢ高い、シンボルあたりの平均電力レベルで、第１の時間の期間の間に送信される各ビーコンシンボルの、シンボルあたりの平均送信電力レベルを制御する。ある面において、送信電力制御モジュール２５２４は、第１の時間の期間の間に、ユーザデータを送信するために使用されるシンボルの、シンボルあたりの平均送信電力レベルより少なくとも１６ｄＢ高い、シンボルあたりの平均電力レベルで、第１の時間の期間の間に送信される各ビーコンシンボルの、シンボルあたりの平均送信電力レベルを制御する。１つの実施形態において、ビーコンシンボル電力および１つあるいはそれより多くのデータシンボル電力レベルは、ワイヤレス端末によって使用されるレファレンスについて、相互に関係し、レファレンスは、変化することが出来、また、時々、変化する。幾つかのそのような実施形態において、第１の時間の期間は、レファレンスレベルが変化しない間の、時間間隔である。
【０１２３】
ビーコン信号送信制御モジュール２５２６は、間隔を置いてビーコン信号バーストを送信するための、送信モジュール２５０４を制御するタイミング構造情報２５３６を含むデータ／情報２５１８を使用する。ある面において、ビーコン信号バーストのシーケンス中の、２つの隣接するビーコン信号バースト間の時間期間は、２つの隣接するビーコン信号バーストの何れかのビーコン信号バーストの期間の少なくとも５倍に制御される。様々な実施形態において、少なくとも幾つかのビーコン信号バーストは、異なる長さの期間を有する。
【０１２４】
モード制御モジュール２５２８は、モード情報２５４０によって特定される現時点の動作モードで、ワイヤレス端末の動作モードを制御する。ある面において、様々な動作モードは、オフモード、受信専用モード、非アクティブモード、およびアクティブモードを含む。非アクティブモードにおいて、ワイヤレス端末は、ビーコン信号を送信および受信することは出来るが、ユーザデータを送信することは許可されていない。アクティブモードにおいて、ワイヤレスは、ビーコン信号に加えて、ユーザデータ信号を送信および受信することが出来る。非アクティブモードにおいて、ワイヤレス端末は、アクティブ動作モードにおけるよりも、より長時間、低電力消費のサイレンス、例えばスリープ状態にある。
【０１２５】
デュプレックス制御モジュール２５３０は、アンテナ接続を、ＴＤＤシステムタイミング情報および／またはユーザ需要に応じて、受信機モジュール２５０２と送信モジュールとの間で切り替えるように、デュプレックスモジュール２５０３を制御する。タイミング構造におけるユーザデータ間隔は、例えば、受信または送信に対して利用可能であり、受信または送信の選択は、ワイヤレス端末需要の関数である。様々な実施形態において、デュプレックス制御モジュール２５３０は、また、受信機モジュール２５０２および／または送信モジュール２５０４中の少なくとも幾つかの回路を、電力を保存するために不使用のとき、シャットダウンするように動作する。
【０１２６】
データ／情報２５１８は、記憶されたビーコン信号特性情報２５３２、ユーザデータ特性情報２５３４、タイミング構造情報２５３６、エアーリンクリソース情報２５３８、モード情報２５４０、発生されたビーコン信号情報２５４２、発生されたデータ信号情報２５４４、デュプレックス制御信号情報２５４６、およびユーザデータ２５４７を含む。記憶されたビーコン信号特性情報２５３２は、１つあるいはそれより多くのビーコンバースト情報セット（ビーコンバースト１情報２５４８、    ・・・、ビーコンバーストＮ情報２５５０）、ビーコンシンボル情報２５６０、および電力情報２５６２を含む。
【０１２７】
ビーコンバースト１情報２５４８は、ビーコンシンボルを搬送するビーコン送信単位を特定する情報２５５６、およびビーコンバースト期間情報２５５８を含む。ビーコン信号バースト中の、どのビーコン送信単位が、ビーコンシンボルによって占有されるかを特定するに際して、ビーコンシンボルを搬送するビーコン送信単位を特定する情報２５５６は、ビーコン信号発生モジュール２５２０によって使用される。様々な実施形態において、他のビーコンバーストのビーコン送信単位は、それらの他のビーコン送信単位に関して、送信電力が印加されないで、例えば、零に設定される。ある面において、ビーコン信号バースト中のビーコンシンボルの数は、入手可能なビーコンシンボル送信単位の十（１０）パーセントより少ないパーセントを占有する。ある面において、ビーコン信号バースト中のビーコンシンボルの数は、入手可能なビーコン送信単位の十（１０）パーセントより少ないか、等しいパーセントを占有する。ビーコン信号バースト期間情報２５５８は、ビーコンバースト１の期間を規定する情報を含む。幾つかの実施形態において、ビーコンバーストの各々は、同一の期間を有し、一方、他の実施形態において、同一の合成ビーコン信号内の異なるビーコンバーストは、異なる期間を有することが出来、時々、有する。ある面において、ビーコンバーストのシーケンス中の１つのビーコンバーストは、異なる期間を有し、そして、これは同期化の目的に対して有効である。
【０１２８】
ビーコンシンボル情報２５６０は、ビーコンシンボルを規定する情報、例えば、ビーコンシンボルの変調値および／または特性を含む。様々な実施形態において、情報２５５６中のビーコンシンボルを搬送するために、各々の特定された位置に対して、同一のシンボル値、例えば、同一の振幅と位相が使用される。様々な実施形態において、情報２５５６中のビーコンシンボルを搬送するために、少なくとも幾つかの特定された位置に対して、異なるビーコンシンボル値を、使用することが出来、時々、使用される。例えば、ビーコンシンボル値は、同一の振幅を有するが、２つのポテンシャル位相の内の１つを有し、それにより、ビーコン信号を介した追加情報の通信を容易化する。電力情報２５６２は、例えば、ビーコンシンボル送信に関係して使用される電力利得スケーリングファクター情報を含む。
【０１２９】
ユーザデータ特性情報２５３４は、コンステレーション情報２５６４および電力情報２５６６を含む。コンステレーション情報２５６４は、例えば、ＱＰＳＫ、ＱＡＭ１６、ＱＡＭ６４、および／またはＱＡＭ２５６、等、ならびに、コンステレーションに関係付けられた変調シンボル値を特定する。電力情報２５６６は、例えば、データシンボル送信に関して使用される電力利得スケーリングファクター情報含む。
【０１３０】
タイミング構造情報２５３６は、様々な動作に関係付けられた間隔、例えば、ビーコン送信時間間隔、他のワイヤレス端末および／または固定位置ビーコン送信機からのビーコン信号をモニターするための間隔、ユーザデータ間隔、サイレンス例えばスリープ間隔を特定する情報を含む。タイミング構造情報２５３６は、送信タイミング構造情報２５７２を含み、これは、ビーコンバースト期間情報２５７４、ビーコンバーストスペーシング情報２５７６、パターン情報２５７８、およびデータシグナリング情報２５８０を含む。
【０１３１】
ある面において、ビーコンバースト期間情報２５７４は、ビーコンバーストの期間が一定数、例えば、百（１００）の連続ＯＦＤＭ送信時間間隔であるということを特定する。ある面において、ビーコンバースト期間情報２５７４は、例えば、パターン情報２５７８によって指定された予め定められたパターンに従って、ビーコンバーストの期間が変動するということを特定する。様々な実施形態において、予め定められたパターンは、ワイヤレス端末識別子の関数である。他の実施形態において、予め定められたパターンは、システム中の全てのワイヤレス端末に対して、同一である。ある面において、予め定められたパターンは、擬似ランダムパターンである。
【０１３２】
１つの実施形態において、ビーコンバースト期間情報２５７４およびビーコンバーストスペーシング情報２５７６は、ビーコンバーストの期間が、ビーコンバーストの終了から次のビーコンバーストの開始までの間隔より、少なくとも五十（５０）倍短いということを示す。１つの実施形態において、ビーコンバーストスペーシング情報２５７６は、ビーコンバースト間のスペーシングは、ワイヤレス端末がビーコン信号を送信している時間の期間の間、周期的に発生しているビーコンバーストに対して、一定であるということを示す。１つの実施形態において、ビーコンバーストスペーシング情報２５７６は、ワイヤレス端末が、アクティブであれ非アクティブであれ、ビーコンバーストは同一間隔スペーシングで送信されるということを示す。他の実施形態において、ビーコンバーストスペーシング情報２５７６は、ワイヤレス端末が、非アクティブモードであれアクティブモードであれ、ビーコンバーストはワイヤレス端末動作モードの関数としての異なる間隔スペーシングを使用して送信されるということを示す。
【０１３３】
エアーリンクリソース情報２５３８は、ビーコン送信リソース情報２５６８および他用途リソース情報２５７０を含む。１つの実施形態において、エアーリンクリソースは、例えば、ＴＤＤシステムのようなワイヤレス通信システムの一部として、周波数時間グリッドにおけるＯＦＤＭトーンシンボルの形で規定される。ビーコン送信リソース情報２５６８は、ビーコン信号に対して、ＷＴ ２５００に割り当てられたエアーリンクリソース、例えば、少なくとも１つのビーコンシンボルを含むビーコンバーストを送信するために使用されるＯＦＤＭトーンシンボルのブロックを特定する情報を含む。ビーコン送信リソース情報２５６８は、また、ビーコン送信単位を特定する情報を含む。幾つかの実施形態において、ビーコン送信単位は、単一のＯＦＤＭトーンシンボルである。１つの実施形態において、ビーコン送信単位は、ＯＦＤＭ送信単位のセット、例えば、隣接するＯＦＤＭトーンシンボルのセットである。他用途リソース情報２５７０は、他の目的、例えば、ビーコン信号モニター、ユーザデータ受信／送信のような目的に対して、ＷＴ ２５００によって使用されるエアーリンクリソースを特定する情報を含む。幾つかのエアーリンクリソースは、例えば、電力を保存するサイレンス状態、例えば、スリープ状態に従って、意図的に使用しないことが出来、時々、使用されない。幾つかの実施形態において、ビーコンシンボルは、ＯＦＤＭトーンシンボルのエアーリンクリソースを使用して送信され、そして、ビーコンシンボルは、複数のビーコン信号バーストと少なくとも１つのユーザデータ信号とを含む時間の期間の間に、ワイヤレス端末によって使用される送信リソースのトーンシンボルの１パーセントよりも少ないパーセントを占有する。様々な実施形態において、ビーコン信号は、時間の期間の一部中におけるトーンシンボルの０．３パーセントより少ないパーセントを占有し、時間の期間の一部は、１つのビーコン信号バーストと、連続するビーコン信号バースト間の１つの間隔とを含んでいる。様々な実施形態において、ビーコン信号は、時間の期間の一部中におけるトーンシンボルの０．１パーセントより少ないパーセントを占有し、時間の期間の一部は、１つのビーコン信号バーストと、連続するビーコン信号バースト間の１つの間隔とを含んでいる。様々な実施形態において、少なくとも幾つかの動作モード、例えば、アクティブ動作モードの間、送信モジュール２５０４は、ユーザデータを送信することが出来、そして、ワイヤレス端末がユーザデータを送信するとき、ユーザデータ信号送信および２つの隣接するビーコン信号バーストを含む時間の期間の間に、ワイヤレス端末によって使用される送信リソースの、少なくとも１０パーセントのトーンシンボル上でユーザデータは送信される。
【０１３４】
発生されたビーコン信号２５４２は、ビーコン信号発生モジュール２５２０の出力であり、一方、発生されたデータ信号２５４４は、データ信号発生モジュール２５２２の出力である。発生された信号（２５４２、２５４４）は、送信モジュール２５０４に向けられる。ユーザデータ２５４７は、例えば、オーディオ、音声、イメージ、テキスト、および／またはファイル、のデータ／情報を含み、ユーザ信号発生モジュール２５２２によって、入力として使用される。デュプレックス制御信号２５４６は、デュプレックス制御モジュール２５３０の出力を表示し、そして、出力信号２５４６は、アンテナ切り替えを制御するためにデュプレックスモジュール２５０３に向けられ、および／または、少なくとも幾つかの回路をシャットダウンし、電力を保存するために、受信機モジュール２５０２や送信機モジュール２５０４に向けられる。
【０１３５】
図２６は、通信デバイス、例えば、バッテリー電力ワイヤレス端末の例示的な動作方法フローチャート２６００の図である。動作は、ステップ２６０２において開始する。ここで、通信デバイスはオンとされ、初期化される。動作は、開始ステップ２６０２からステップ２６０４、そしてステップ２６０６へと進行する。
【０１３６】
進行中ベースで実行されるステップ２６０４において、通信デバイスは、時間情報を維持する。時間情報２６０５は、ステップ２６０４からの出力であり、そして、ステップ２６０６において使用される。ステップ２６０６において、通信デバイスは、時間期間がビーコン受信時間期間であるか、ビーコン送信時間期間であるか、または、サイレンス時間期間であるかを決定し、そして、決定に依存して、異なって進行する。時間期間が、ビーコン受信時間期間である場合、動作はステップ２６０６からステップ２６１０に進行し、ここで通信デバイスは、ビーコン信号検出動作を実行する。
【０１３７】
時間期間が、ビーコン送信時間期間である場合、動作はステップ２６０６からステップ２６２０に進行する。ここで、通信デバイスは、少なくともビーコン信号の一部を送信し、送信された部分は、少なくとも１つのビーコンシンボルを含んでいる。
【０１３８】
時間期間が、サイレンス時間期間である場合、ステップ２６０６からステップ２６２２に進行する。ここで、通信デバイスは、ビーコン信号を送信することと、検出するために動作することとを控える。ある実施形態において、通信デバイスは、ステップ２６２２におけるサイレンス、例えば、スリープモードに入り、バッテリー電力を保存する。
【０１３９】
ステップ２６１０に戻ると、動作はステップ２６１０からステップ２６１２に進行する。ステップ２６１２において、通信デバイスは、ビーコンが検出されているかを決定する。もしビーコンが検出されていれば、動作はステップ２６１２からステップ２６１４に進行する。しかし、もしビーコンが検出されていなければ、接続されたノードＡ２６１３を介して、ステップ２６１２からステップ２６０６に進行する。ステップ２６１４において、通信デバイスは、受信信号の検出された部分に基づいて、通信デバイス送信時間を調整する。ステップ２６１４から取得された調整情報２６１５は、ステップ２６０４における通信デバイスに対する時間情報を維持するに際して使用される。ある実施形態において、タイミング調整は、受信したビーコン信号部分を送信してきたデバイスによって使用されていると知られる時間期間の間に起こり、デバイスがビーコン信号を受信するように、ビーコン信号送信時間期間を調整する。動作は、ステップ２６１４からステップ２６１６に進行する。ここで、通信デバイスは、調整された通信デバイス送信タイミングに従って信号、例えば、ビーコン信号を送信する。それから、ステップ２６１８において、通信デバイスは、ビーコン信号の検出された部分が受信されたデバイスとの通信セッションを確立する。動作は、ステップ２６１８、２６２０、または２６２２の何れからでも、接続されたノードＡ２６１３を介して、ステップ２６０６に進行する。
【０１４０】
ある実施形態において、ステップ２６０４は、少なくとも１つのサブステップ２６０８および２６０９を含む。サブステップ２６０８において、通信デバイスは擬似ランダムに少なくとも１つのビーコン送信時間期間の開始と、ビーコン受信時間期間とを、それらの時間期間の循環シーケンスにおいて調整する。例えば、通信デバイスは、ある特定の時刻において、例えば、電源オンあるいは新しい地域侵入に従い、何れの他の通信デバイスに関しても同期されていないかもしれず、循環時間構造での限られたビーコン検出時間間隔の中で、別の通信デバイスからのビーコン信号を検出する確率を増すために、サブステップ２６０８を、１回か、それより多くの回数、実行することが出来る。こうして、サブステップ２６０８は、２つのピア間の相対的タイミングを、効率的にシフトすることが出来る。サブステップ２６０９において、通信デバイスは、ビーコン受信および送信時間期間が周期的ベースで起こるように設定する。
【０１４１】
様々な実施形態において、ビーコン受信時間期間は、ビーコン送信時間期間よりも長い。ある実施形態において、ビーコン受信および送信時間期間は、オーバーラップせず、ビーコン受信時間期間は、少なくともビーコン送信時間期間の２倍である。ある実施形態において、サイレンス時間期間は、ビーコン受信およびビーコン送信時間期間の間に起こる。様々な実施形態において、サイレンス期間は、ビーコン送信時間期間およびビーコン受信時間期間の内の１つの、少なくとも２倍である。
【０１４２】
図２７は、携行可能なワイヤレス端末２７００である例示的な通信デバイス、例えば、移動ノードの図である。例示的な携行可能なワイヤレス端末２７００は、図１の任意のワイヤレス端末でありうる。例示的なワイヤレス端末２７００は、例えば、移動ノード間ピア−ピア直接通信をサポートしている、時分割デュプレックス（ＴＤＤ）直交周波数分割マルチプレクックス（ＯＦＤＭ）ワイヤレス通信システムの一部分である通信デバイスである。例示的なワイヤレス端末２７００は、ビーコン信号を送信も受信も出来る。例示的なワイヤレス端末２７００は、検出されたビーコン信号に基づいて、タイミング同期化を確立するために、例えば、ビーコン信号を送信しているピアワイヤレス端末から、および／または固定ビーコン送信機から、タイミング調整を実行する。
【０１４３】
例示的なワイヤレス端末２７００は、バス２７１４を介して一緒に結合された、受信機モジュール２７０２、送信モジュール２７０４、デュプレックスモジュール２７０３、プロセッサ２７０６、ユーザＩ／Ｏデバイス２７０８、電力供給モジュール２７１０、およびメモリ２７１２を含み、様々なエレメントは、バスを通して、データおよび情報を交換することが出来る。
【０１４４】
受信機モジュール２７０２、例えば、ＯＦＤＭ受信機は、他のワイヤレス端末および／または固定位置ビーコン送信機から、例えば、ビーコン信号および／またはユーザデータ信号を受信する。
【０１４５】
送信モジュール２７０４、例えば、ＯＦＤＭ送信機は、他のワイヤレス端末に信号を送信し、送信された信号は、ビーコン信号およびユーザデータ信号を含んでいる。ビーコン信号は、ビーコン信号バーストのシーケンスを含み、各ビーコン信号バーストは、１つあるいはそれより多くのビーコンシンボルを含み、そして、各ビーコンシンボルは、ビーコンシンボル送信単位を占める。１つあるいはそれより多くのビーコンシンボルは、送信モジュール２７０４によって、各送信されたビーコン信号バーストに対して、送信される。送信モジュール２７０４は、ビーコン送信時間期間の間に、少なくともビーコン信号、例えば、ビーコンバースト信号の一部分を送信し、送信された部分は、少なくとも１つの、例えば、ユーザデータシンボルの電力レベルに関して、相対的に高い電力トーンのビーコンシンボルを含んでいる。
【０１４６】
様々な実施形態において、送信モジュール２７０４は、ビーコン信号を送信するＯＦＤＭ送信機であり、ビーコン信号は、周波数と時間の組み合わせであるリソースを使用して、通信されている。様々な他の実施形態において、送信モジュール２７０４は、ビーコン信号を送信するＣＤＭＡ送信機であり、ビーコン信号は、コードと時間の組み合わせであるリソースを使用して、通信されている。
【０１４７】
デュプレックスモジュール２７０３は、時分割デュプレックス（ＴＤＤ）実用の一部として、受信機モジュール２７０２と送信モジュール２７０４との間のアンテナ２７０５を切り替えるように制御される。デュプレックスモジュール２７０３は、アンテナ２７０５に結合され、アンテナを介して、ワイヤレス端末２７００は、信号２７７８を受信し、また信号２７８０を送信する。デュプレックスモジュール２７０３は、リンク２７０１を介して受信機モジュール２７０２に結合され、受信した信号２７８２が、リンクを通して運搬される。信号２７８２は、信号２７７８のフィルターされた表示である。ある実施形態において、信号２７８２は、信号２７７８と同一であり、例えば、デュプレックスモジュール２７０３は、フィルタリング無しの、パススルーデバイスとして機能する。デュプレックスモジュール２７０３は、リンク２７０７を介して送信モジュール２７０４に結合され、送信信号２７８４が、リンクを通して運搬される。信号２７８０は、ある実施形態において、信号２７８４のフィルターされた表示である。ある実施形態において、信号２７８０は、信号２７８４と同一であり、例えば、デュプレックスモジュール２７０３は、フィルタリング無しの、パススルーデバイスとして機能する。
【０１４８】
ユーザＩ／Ｏデバイス２７０８は、例えば、マイクロフォン、キーボード、キーパッド、スイッチ、カメラ、スピーカ、ディスプレイ、等を含む。ユーザデバイス２７０８は、ユーザが、データ／情報を入力し、データ／情報出力にアクセスし、ならびに、ワイヤレス端末の少なくとも幾つかの動作を制御、例えば、電源オンシーケンスの開始、通信セッションの確立の企て、通信セッションを終了することを許容する。
【０１４９】
電力供給モジュール２７１０は、携行可能なワイヤレス端末電力の源として実用されるバッテリー２７１１を含む。電力供給モジュール２７１０の出力は、様々なコンポーネント（２７０２、２７０３、２７０４、２７０６、２７０８、および２７１２）に電力をもたらすために、電力バス２７０９を介して、結合される。そうして、送信モジュール２７０４は、バッテリー電源を使用して、ビーコン信号を送信する。
【０１５０】
メモリ２７１２は、ルーチン２７１６と、データ／情報２７１８とを含む。プロセッサ２７０６、例えば、ＣＰＵは、ワイヤレス端末２７００の動作の制御と方法の実現とのために、ルーチン２７１６を実行し、メモリ２７１２中のデータ／情報２７１８を使用する。ルーチン２７１６は、ビーコン信号検出モジュール２７２０、サイレンス状態制御モジュール２７２２、送信時間調整モジュール２７２４、送信制御モジュール２７２６、通信セッション開始モジュール２７２８、ビーコン検出制御モジュール２７３０、タイミング調整モジュール２７３２、モード制御モジュール２７３４、ビーコン信号発生モジュール２７３６、ユーザデータ信号発生モジュール２７３８、ユーザデータ回復モジュール２７４０、およびデュプレックス制御モジュール２７４２を含む。
【０１５１】
ビーコン信号検出モジュール２７２０は、ビーコン受信時間期間の間、少なくともビーコン信号の一部の受信を検出するために、ビーコン信号検出動作を実行する。加えて、ビーコン信号検出モジュール２７２０は、検出されたビーコン信号部分に応じて、ビーコン信号部分の受信を示す、検出されたビーコンフラグ２７５０を設定する。検出されたビーコン信号部分２７５４は、ビーコン信号検出モジュール２７２０の出力である。加えて、ビーコン信号検出モジュール２７２０は、検出されたビーコン信号部分に応じて、ビーコン信号部分の受信を示す、検出されたビーコンフラグ２７５０を設定する。ある実施形態において、ビーコン信号検出モジュール２７２０は、エネルギーレベル比較の関数として検出を実行する。ある実施形態において、ビーコン信号検出モジュール２７２０は、検出されたビーコンシンボルパターン情報、例えば、ビーコンバーストに対応するモニターされたエアーリンクリソースの関数として検出を実行する。ビーコン信号検出モジュール２７２０は、検出されたビーコン信号部分から、例えば、情報源を特定する情報、例えば、ビーコン信号を送信したワイヤレス端末を特定する情報を回復する。例えば、異なるワイヤレス端末は、異なるビーコンバーストパターンおよび／またはシグナチャーを有することが出来、時々、有する。
【０１５２】
サイレンス状態制御モジュール２７２２は、例えば、ビーコン受信とビーコン送信時間期間の間に起こるサイレンス期間の間、ビーコン信号を検出するための送信も動作も行わないようにワイヤレス端末動作を制御する。
【０１５３】
送信時間調整モジュール２７２４は、通信デバイスの送信時間を、受信したビーコン信号の検出された部分に基づいて、調整する。例えば、通信システムが、例えば、アドホックネットワークであり、受信した信号部分は、別のワイヤレス端末からのものであると考えてみよう。別の例として、システムが、レファレンスとして働く固定位置ビーコン送信機を含み、検出された信号部分が、そのような送信機を源としており、送信時間調整モジュール２７２４が、そのレファレンスに関して同期するようにワイヤレス端末の送信時間を調整することを考えてみよう。代替的に、システムが、固定位置ビーコン送信機を含まないか、あるいは、固定位置ビーコン送信機が、そのようなビーコン信号を現時点で検出できず、検出されたビーコン信号部分は、別の固定位置ビーコン送信機からのものであるということを考えてみよう。そうすると、送信時間調整モジュール２７２４は、ビーコン信号を送信してきたピアワイヤレス端末に関して、同期するようにワイヤレス端末の送信時間を調整する。固定位置ビーコンおよびワイヤレス端末を含んだ、ある実施形態において、利用可能なとき、固定位置ビーコンは、粗いレベルのピア間システム同期化を達成するために使用され、ワイヤレス端末ビーコンは、高い度合いのピア間同期化を達成するために使用される。検出されたビーコン信号部分２７５６に基づいて検出されたタイミングオフセットは、送信時間調整モジュール２７２４の出力である。
【０１５４】
様々な実施形態において、送信時間調整モジュール２７２４は、デバイス、例えばビーコン信号受信に受信部分を送信した他のワイヤレス端末によって使用されると知られた時間期間の間に、ビーコン信号送信時間期間が起こるように調整する。これにより、送信時間調整モジュール２７２４は、ピアがビーコンを検出しようと企てている時間窓にヒットすることが予期される如く、ＷＴ２７００のビーコンが送信されるように設定する。
【０１５５】
送信制御モジュール２７２６は、調整された通信デバイス送信タイミングに従って、送信モジュール２７０４が、信号、例えばビーコン信号を送信するように制御する。記憶された通信セッション状態情報２７５８が、セッションアクティブフラグ２７６０が設定されることによって、確立されたセッションが続いていることを示すとき、送信制御モジュール２７２６は、送信モジュール２７０４がビーコン信号部分送信動作を繰り返すように制御する。ある実施形態において、送信制御モジュール２７２６は、ワイヤレス端末動作の非アクティブ、およびアクティブモードの両方において、ワイヤレス端末がビーコン信号部分送信動作を繰り返すように制御する。
【０１５６】
通信セッション開始モジュール２７２８は、別のワイヤレス端末との通信セッションを確立するための動作を制御するように使用される。そのワイヤレス端末から、ビーコン信号が受信されている。例えば、ビーコン信号検出に続いて、ビーコン信号が別のワイヤレス端末から供給されており、もし、ワイヤレス端末２７００が、別のワイヤレス端末と通信セッションを確立することを望むならば、モジュール２７２８は、通信セッション始動を開始、例えば、予め定められたプロトコルに従って、ハンドシェーキング信号を発生および処理するためにアクティブ化される。
【０１５７】
ビーコン検出制御モジュール２７３０は、ビーコン信号検出モジュール２７２０動作を制御する。例えば、記憶された通信セッション状態情報２７５８が、セッションアクティブフラグ２７６０が設定されることによって、確立されたセッションが続いていることを示すとき、ビーコン検出制御モジュール２７３０は、ビーコン信号検出モジュール２７２０が検出動作を繰り返すように制御する。ある実施形態において、ビーコン検出制御モジュール２７３０は、ワイヤレス端末動作の非アクティブ、およびアクティブモードの両方において、ワイヤレス端末がビーコン検出動作を繰り返すように制御する。
【０１５８】
タイミング調整モジュール２７３２は、擬似ランダムに少なくとも１つのビーコン送信時間期間の開始と、ビーコン受信時間期間とを、それらの時間期間の循環シーケンスにおいて調整する。擬似ランダムベースタイミングオフセット２７５２は、タイミング調整モジュール２７３２の出力である。タイミング調整モジュール２７３２は、ワイヤレス端末の、他の独立に動作されるワイヤレス端末に関するタイミング構造を、ワイヤレス端末とピアとが、限られたビーコン送信および／またはビーコン検出時間間隔の中で、お互いの存在を検出することが出来る可能性を増加するように、シフトするために使用される。
【０１５９】
モード検出モジュール２７３４は、第１および第２の動作モードにおいて、異なる時間の間、通信デバイスが動作するように制御する。ここで通信デバイスはビーコン信号を送信する。例えば、第１の動作モードは、非アクティブモードであり、ここで通信デバイスはビーコン信号を送信し、ビーコン信号を検出するが、ユーザデータを送信することは制約されている。第２の動作モードは、アクティブモードであり、ここで通信デバイスはビーコン信号を送信し、ビーコン信号を検出し、そしてユーザデータを送信することは許可されている。モード検出モジュール２７３４が通信デバイスの動作を制御できる、別の動作モードは、サーチモードであり、ここでワイヤレス端末は、ビーコン信号のサーチを行うが、送信は許可されない。
【０１６０】
ビーコン信号発生モジュール２７３６は、ビーコン信号部分２７４８、例えば、少なくとも１つのビーコンシンボルを含むビーコンバーストを発生し、これは送信モジュール２７０４によって送信される。ユーザデータ信号発生モジュール２７３８は、ユーザデータ信号２７７４、例えば、音声データ、他のオーディオデータ、イメージデータ、テキストデータ、ファイルデータ、等のようなユーザデータのコード化されたブロックを搬送する信号を発生する。ワイヤレス端末がアクティブモードにあるとき、ユーザデータ信号発生モジュール２７３８はアクティブであり、ユーザデータ送信／受信信号用に留保された時間間隔の間、発生されたユーザデータ信号２７７４は送信ジュール２７０４を介して送信される。ユーザデータ回復モジュール２７４０は、ワイヤレス端末２７００との通信セッションにおいて、ピアより受信した受信ユーザデータ信号２７７６からユーザデータを回復する。受信ユーザデータ信号２７７６は、ユーザデータ送信／受信信号用に留保された時間間隔の間、ワイヤレス端末がアクティブモードにあるとき、受信機モジュール２７０２を介して受信される。
【０１６１】
デュプレックス制御モジュール２７４２は、デュプレックスモジュール２７０３の動作を制御する。例えば、アンテナ２７０５が、受信時間間隔、例えば、ビーコンモニター時間間隔およびユーザデータ受信のための間隔に対する受信モジュール２７０２に結合されるように制御する。また、アンテナは、送信時間間隔、例えば、ビーコン送信時間間隔およびユーザデータ送信のための間隔に対する送信ジュール２７０４に結合される。デュプレックス制御モジュール２７４２は、また、少なくとも１つの受信機モジュール２７０２および送信モジュール２７０４における、少なくとも幾つかの回路を、時間間隔の間、電力オフするように制御し、それによりバッテリー電力を保存する。
【０１６２】
データ／情報２７１８は、現時点のモード情報２７４４、現時点の時間情報２７４６、発生されたビーコン信号部分２７４８、検出されたビーコンフラグ２７５０、擬似ランダムベースタイミングオフセット２７５２、検出されたビーコン信号部分２７５４、検出されたビーコン信号部分に基づいて決定されたタイミングオフセット２７５６、通信セッション状態情報２７５８、タイミング構造情報２７６４、モード情報２７６８、発生されたユーザデータ信号２７７４、および受信されたユーザデータ信号２７７６を含む。
【０１６３】
現時点のモード情報２７４４は、ワイヤレス端末の現時点の動作モード、サブモード、および／または動作の状態、例えば、ワイヤレス端末は受信はするが送信はしないモードにあるか、ワイヤレス端末はビーコン信号送信はするがユーザデータ送信は許可しない非アクティブモードにあるか、ワイヤレス端末はビーコン信号送信を行い、およびユーザデータ送信も許可されたアクティブモードにあるかを特定する情報を含む。
【０１６４】
現時点の時間情報２７４６は、ワイヤレス端末によって維持されている循環タイミング構造内での位置に関するワイヤレス端末時間、例えば、構造内のインデックスされたＯＦＤＭシンボル送信時間期間を特定する情報を含む。現時点の時間情報２７４６は、また、別のタイミング構造に関するワイヤレス端末の、例えば、別のワイヤレス端末や固定位置ビーコン送信機の、時間を特定する情報を含む。
【０１６５】
通信セッション状態情報２７５８は、セッションアクティブフラグ２７６０およびピアノード特定情報２７６２を含む。セッションアクティブフラグ２７６０は、セッションが依然としてアクティブであるか否かを示す。例えば、ＷＴ２７００との通信セッションにおけるピアノードが電力オフし、ワイヤレス端末２７００はピアのビーコン信号検出を止め、セッションアクティブフラグはクリアされる。ピアノード特定情報２７６２は、ピアを特定する情報を含む。様々な実施形態において、ピアノードＩＤ情報は、少なくとも部分的に、ビーコン信号を介して運ばれる。
【０１６６】
タイミング構造情報２７６４は、例えば、ビーコン送信間隔、ビーコン検出間隔、ユーザデータシグナリング間隔、およびサイレンス間隔のような、様々な間隔の、期間、順序化、およびスペーシングを規定する情報を含む。タイミング構造情報２７６４は、間隔のタイミング関係情報２７６６を含む。間隔のタイミング関係情報２７６６は、例えば、（ｉ）ビーコン受信時間期間は、ビーコン送信時間期間より長いということ、（ｉｉ）ビーコン受信およびビーコン送信時間は、オーバーラップしない、（ｉｉｉ）期間における、ビーコン受信時間期間は、ビーコン送信時間期間の少なくとも２倍であるということ、（ｉｖ）サイレンス期間は、ビーコン送信時間期間およびビーコン受信時間期間の１つの、少なくとも２倍であるということを規定する情報を含む。
【０１６７】
モード情報２７６８は、初期サーチモード情報２７６９、非アクティブモード情報２７７０、およびアクティブモード情報２７７２を含む。初期サーチモード情報２７６９は、ビーコン信号に対する初期拡張期間サーチモードを規定する情報を含む。ある実施形態において、初期サーチの期間は、ビーコンバースト信号のシーケンスを送信している他のワイヤレス端末による連続したビーコンバースト送信間の予期された間隔を超える。ある実施形態において、初期サーチモード情報２７６９は、電源オン時に初期サーチを実行するために使用される。加えて、幾つかの実施形態において、ワイヤレス端末は、例えば、非アクティブモードにおいて他のビーコン信号が検出されていない場合、および／または、ワイヤレス端末が、非アクティブモードを使用して達成されるよりも、より早い、および／または、より徹底したビーコンサーチを希望する場合、時折、非アクティブモードから初期サーチモードに入る。非アクティブモード情報２７７０は、ビーコン信号間隔、ビーコンモニター間隔、およびサイレンス間隔を含むワイヤレス端末動作の非アクティブモードを規定する。非アクティブモードは、電力節約モードであり、ワイヤレス端末は、サイレンスモードにおいて、エネルギーを保存するが、ワイヤレス端末は、ビーコン信号によって、その存在を示すことが出来、制限的期間ビーコンモニター間隔によって、他のワイヤレス端末の存在の状況認識を維持することが出来る。アクティブモード情報２７７２は、ビーコン信号送信間隔、ビーコンモニター間隔、ユーザデータTＸ／ＲＸ間隔、およびサイレンス間隔を含むワイヤレス端末動作のアクティブモードを規定する。
【０１６８】
図２８は、アドホックネットワークにおいて、お互いの存在を認識し、ワイヤレス端末ビーコン信号の使用を介して、タイミング同期化を達成した２つのワイヤレス端末に関する、例示的なタイムライン、イベントの流れ、および動作を例解する図２８００である。水平軸２８０１は、タイムラインを表示する。時刻２８０２において、ワイヤレス端末１は、電源オンとなり、ブロック２８０４によって示されるように、ビーコン信号に対する初期モニターを開始する。モニターは、時刻２８０６まで続き、その時点で、ワイヤレス端末は、初期サーチを完了し、結果は他の何れのワイヤレス端末も発見されない。そうすると、ワイヤレス端末１は、ブロック２８０８によって例解されるように、ワイヤレス端末１がビーコン信号バーストを送信するビーコン送信間隔と、ワイヤレス端末がビーコン信号をモニターするビーコンモニター間隔と、ワイヤレス端末が送信も受信もしないサイレンス間隔との繰り返しを含み、これにより電力を保存する非アクティブ動作モードに入る。
【０１６９】
それから、時刻２８１０において、ワイヤレス端末２は電源オンとなり、ブロック２８１２によって示されるように初期ビーコンモニターを開始する。それから、時刻２８１４において、ワイヤレス端末２は、ワイヤレス端末１からのビーコン信号を検出し、ワイヤレス端末１との通信セッションを確立しようと努めることを決め、また、ブロック２８１５によって示されるごとく、ワイヤレス端末１ビーコンモニター間隔の間、ワイヤレス端末１が、ワイヤレス端末２からのビーコン信号バーストを受信するように、時間オフセットを決める。
【０１７０】
時刻２８１６において、ワイヤレス端末２は、アクティブモードに入り、これは、ビーコン送信間隔と、ビーコンモニター間隔と、ユーザデータ間隔との繰り返しを含む。また、時刻２８１６において、ワイヤレス端末２は、ブロック２８１８によって指示されるごとく、ステップ２８１５の決定された時間オフセットに従ってビーコン信号を送信する。それから、ワイヤレス端末１は、ブロック２８２０によって示されるように、ワイヤレス端末２からのビーコン信号を検出し、アクティブモードに切り替える。
【０１７１】
２８１６と２８２４との時間期間の間、ワイヤレス端末１とワイヤレス端末２とは、通信セッションを確立するために信号を交換し、それから、ブロック２８２２で示されたように、ユーザデータ交換のセッションに参入する。加えて、この時間間隔の間、セッション中に受信されたビーコン信号は、同期化のタイミングと維持との更新に使用される。ワイヤレス端末１とワイヤレス端末２とは、通信セッションの間に移動する移動ノードであることが出来、時々、移動ノードである。
【０１７２】
時刻２８２４において、ブロック２８２６で示されるように、ワイヤレス端末１は電力ダウンである。それから、ブロック２８３０によって示されたように、時刻２８２８において、ワイヤレス端末２は、ワイヤレス端末１から信号が喪失され、ワイヤレス端末が、非アクティブモードに移行することを決定する。信号は、また、他の条件、例えば、チャネル条件がセッションを維持するのに不十分となったように、ワイヤレス端末１および２がお互いから十分遠くに離れたことによって喪失することがあり、時々、喪失する。
【０１７３】
矢印のシーケンス２８３２は、ワイヤレス端末１ビーコン信号バーストを例解し、一方、矢印のシーケンス２８３４は、ワイヤレス端末２ビーコン信号バーストを例解する。２つのワイヤレス端末間のタイミングは、ワイヤレス端末１から受信したビーコン信号の関数として、同期化されているということを観察すべきであり、ワイヤレス端末１のビーコン信号モニター間隔の間、ワイヤレス端末１は、ワイヤレス端末２からのビーコン信号バーストの検出が可能である。
【０１７４】
この例において、電源オンとなったワイヤレス端末は、初期ビーコンモニター期間の間、ビーコンが検出されるまで、あるいは初期ビーコンモニター期間が満了するまでの、いずれかが最初に来るまで、モニターを実行する。初期ビーコンモニター期間は、例えば、１つのビーコン送信間隔を含む１つの反復を超えた期間を有する延長されたモニター期間である。この例において、初期ビーコンモニター期間は、ビーコン信号が送信されるモードに参入するに先立って実行される。ワイヤレス端末が非アクティブモードにあり、非アクティブモードは、ビーコン送信間隔と、ビーコンモニター間隔と、サイレンス間隔とを含み、例えば、２つのワイヤレス端末が偶然同時に開始するような、特殊ケース条件をカバーするように、時折、長いビーコンモニター間隔期間に参入する。
【０１７５】
幾つかの他の実施形態において、電源オンに続いて、最初に延長されたビーコンモニター間隔を有することなく、ワイヤレス端末は非アクティブモードに入り、この非アクティブモードは、ビーコン送信間隔と、制限期間ビーコンモニター間隔とを含む。幾つかのそのような実施形態において、ワイヤレス端末は、自身のビーコンモニター間隔と、他のワイヤレス端末ビーコン送信間隔との間の整合を容易化するために、他のビーコン信号を探索しながら擬似ランダム時間シフトを実行することが出来、時々、実行する。
【０１７６】
図２９の図２９００は、例示的な実施形態に応じたビーコン信号に基づいた、２つのワイヤレス端末間の例示的な同期したタイミングを例解する。図２９０２は、ワイヤレス端末１に関するタイミング構造情報を例解し、一方、図２９０４は、ワイヤレス端末２に関するタイミング構造情報を例解する。図２９００は、例えば、図２８で、ワイヤレス端末１からのビーコン信号を、ワイヤレス端末２が検出したのに基づいて、ワイヤレス端末がタイミング同期した後に対応しうる。図２９０２は、ワイヤレス端末１ビーコン送信間隔２９０６、ワイヤレス端末１ビーコン受信時間間隔２９０８、ワイヤレス端末１ユーザデータＴＸ／ＲＸ間隔２９１０、およびＷＴ １サイレンス間隔２９１２を含む。図２９０４は、ワイヤレス端末２ビーコン送信間隔２９１４、ワイヤレス端末２ビーコン受信時間間隔２９１６、ワイヤレス端末２ユーザデータＴＸ／ＲＸ間隔２９１８、およびＷＴ ２サイレンス間隔２９２０を含む。ワイヤレス端末２は、そのタイミングを、ＷＴ ２ビーコン送信間隔２９１４の間に、ビーコン信号バーストを送信するとき、ＷＴ １が、そのビーコン受信間隔２９０８の間に、ビーコン信号バーストを受信するように調整したということを観察すべきである。ユーザデータシグナリング用に使用することが出来る、ユーザデータＴＸ／ＲＸ領域２９２２のオーバーラップした部分があるということも観察すべきである。このアプローチは、異なるワイヤレス端末に対して、同一のタイミング構造を維持し、同期化を達成するために、ワイヤレス端末のタイミングの１つの決定されたタイミングシフトを使用する。
【０１７７】
図３０の図３０００は、２つのワイヤレス端末間で、別の実施形態に従がうビーコン信号に基づいた例示的な同期タイミングを例解する。図３００２は、ワイヤレス端末１に関するタイミング構造情報を含み、一方、図３００４は、ワイヤレス端末２に関するタイミング構造情報を含む。図３０００は、例えば、ワイヤレス端末２が、ワイヤレス端末１からのビーコン信号を検出していることに基づき、ワイヤレス端末のタイミングが同期化された後は、図２８に対応しうる。図３００２は、ワイヤレス端末１ビーコン受信間隔３００６、ワイヤレス端末１ビーコン送信間隔３００８、ワイヤレス端末１ビーコン受信間隔３０１０、ワイヤレス端末１ユーザデータＴＸ／ＲＸ間隔３０１２、およびＷＴ １サイレンス間隔３０１４を含む。図３００４は、ワイヤレス端末２ビーコン受信間隔３０１６、ワイヤレス端末２ビーコン送信間隔３０１８、ワイヤレス端末２ビーコン受信間隔３０２０、ワイヤレス端末２ユーザデータＴＸ／ＲＸ間隔３０２２、およびＷＴ ２サイレンス間隔３０２４を含む。ワイヤレス端末２が、ワイヤレス端末２ビーコン送信間隔３０１８の間に、ビーコン信号バーストを送信するとき、ＷＴ １は、ワイヤレス端末１ビーコン受信間隔３０１０の間に、ビーコン信号バーストを受信することを観察すべきである。この実施形態において、ワイヤレス端末２のタイミング調整に続いて、ワイヤレス端末２は、ワイヤレス端末１によってワイヤレス端末１ビーコン送信間隔３００８の間に送信されたビーコンバーストを、ビーコン受信間隔３０１６の間に受信するということを、また観察することが出来る。ユーザデータシグナリングに使用することが出来るユーザデータＴＸ／ＲＸ領域３０２６のオーバーラップ部分があるということは、また観察されるべきである。このアプローチは、異なるワイヤレス端末に対して、同一のタイミング構造を維持し、同期化を達成するために、ワイヤレス端末のタイミングの１つの決定されたタイミングシフトを使用する。そして、両方のワイヤレス端末は、同期化に続いて、進行中ベースで、お互いからのビーコン信号を受信することが出来る。
【０１７８】
図３１の図３１００は、２つのワイヤレス端末間で、別の実施形態に従がうビーコン信号に基づいた例示的な同期タイミングを例解する。図３１０２は、ワイヤレス端末１に関するタイミング構造情報を含み、一方、図３１０４は、ワイヤレス端末２に関するタイミング構造情報を含む。図３１００は、例えば、ワイヤレス端末２が、ワイヤレス端末１からのビーコン信号を検出していることに基づき、ワイヤレス端末のタイミングが同期化された後は、図２８に対応しうる。図３１０２は、ワイヤレス端末１ビーコン送信間隔３１０６、ワイヤレス端末１ビーコン受信間隔３１０８、ワイヤレス端末１ユーザデータＴＸ／ＲＸ間隔３１１０、およびＷＴ １サイレンス間隔３１１２を含む。図３１０４は、ワイヤレス端末２ビーコン送信間隔３１１４、ワイヤレス端末２ビーコン受信間隔３１１６、ワイヤレス端末２ユーザデータＴＸ／ＲＸ間隔３１１８、およびＷＴ ２サイレンス間隔３１２０を含む。ワイヤレス端末２が、ＷＴ ２ビーコン送信間隔３１１６の間に、ビーコン信号バーストを送信するとき、ワイヤレス端末１は、ワイヤレス端末１ビーコン受信間隔３１０８の間に、ビーコン信号バーストを受信することを観察すべきである。この実施形態において、ワイヤレス端末２のタイミング調整に続いて、ワイヤレス端末２は、ワイヤレス端末１によってワイヤレス端末１ビーコン送信間隔３１０６の間に送信されたビーコンバーストを、ビーコン受信間隔３１１４の間に受信するということを、また観察することが出来る。ユーザデータシグナリングに使用することが出来るユーザデータＴＸ／ＲＸ領域３１１０、３１１８のオーバーラップ部分があるということは、また観察されるべきである。このアプローチは、２つのワイヤレス端末に対して、異なるタイミング構造を使用する。最初に他のビーコンの検出を実行し、内部タイミングを調整するワイヤレス端末、例えば、ＷＴ ２は、図３１０４の間隔順序を使用する。幾つかのそのようなケースにおいて、ワイヤレス端末２は、通信セッションを終了し、ビーコン信号送信を含む非アクティブ状態に入った途端に、図３１０２によって表示される順序タイミングシーケンスに行く。
【０１７９】
アドホックピアツーピア通信システム
アドホックピアツーピア通信システムの１つの例に従い、通信システムにあるワイヤレス端末間で、共有された周波数スペクトラムあるいは通信チャネルをより効率的に使用するために、リンク優先順位付け、リンクスケジューリング、および電力スケーリングを実行することが出来る。
【０１８０】
図３２は、ピアツーピア通信リンクを確立および／または維持するために、ワイヤレス端末によって使用されうるタイミングシーケンスの１つの例を例解する。タイミングシーケンス３２００は、データを送信する送信チャネルの確保を企てうるワイヤレス端末が中にあるリンクスケジューリングセグメント３２０２と、データを送信する際に使用される送信レートおよび／または電力の取得を企てうるワイヤレス端末が中にあるレートスケジューリングセグメント３２０４と、それから、取得された送信レートおよび／または電力で、望まれるデータを送信するために使用されるデータ送信セグメント３２０６と、受領確認に応答する受領確認セグメント３２０８とを含むことが出来る。
【０１８１】
リンク優先順位付け
１つの特徴に従い、送信機ワイヤレス端末と受信機ワイヤレス端末との間のピアツーピア通信リンクは、通信リンクに対して望まれるサービスの品質のような、他のワイヤレス端末との間の他の通信リンクベースの様々のファクターに相対して優先順位付けすることが出来る。例えば、音声通信を意図したピアツーピア通信リンクは、データ搬送を意図した通信リンクよりも高い優先順位付けをすることが出来る。
【０１８２】
例えば、ある周波数インデックスを、より高い優先度のリンクに割り当て、他の周波数インデックスを、より低い優先度のリンクに割り当てることにより、リンク優先度を実現することが出来る。例えば、各送信機ワイヤレス端末は、リンクを通して何を送信するかに依存して、（例えば、データあるいは音声送信に対応して）現時点のピアツーピア通信リンクに特定の周波数インデックスを割り当てる。というのは、全てのワイヤレス端末は、同一の優先度付けスキームを用いるので、ピアツーピア通信ネットワーク上での通信リンクは、お互いに相対して優先度付けをすることが出来る。
【０１８３】
リンクスケジューリングシステム
アドホックピアツーピア通信を確立するために周波数スペクトラムを共有しながらの環境において、複数のワイヤレス端末が動作することが出来るように、ピアツーピアリンクスケジューリングがもたらされる。アドホックピアツーピア通信は集中化コントローラによって中央で管理されていないため、近接したワイヤレス端末間での複数のピアツーピアリンク同士の干渉は問題である。しかし、リンクスケジューリングスキームは、集中化コントローラの助け無しで、異なるワイヤレス端末間のアドホックピアツーピア通信リンクの確立および／または維持を容易化する。図１−３２に例解されたアドホックピアツーピアネットワークの特徴は、様々なワイヤレス端末間のピアツーピア通信リンクを確立するために実現されうる。例えば、１つの例において、図３３および３４に例解されたリンクスケジューリングスキームは、図３２のリンクスケジューリングセグメント３２０２の間に実現されうる。
【０１８４】
図３３は、複数のワイヤレス端末が、リンクスケジューリングスキームに従って、可変電力ピアツーピア通信リンクをネゴシエートすることが出来る環境を例解する図である。ピアツーピアネットワーク３３００は、周波数スペクトラムを共有する複数のワイヤレス端末を含むことが出来る。共有された周波数スペクトラムは、１つあるいはそれより多くの送信チャネルおよび制御チャネルを含むことが出来、各送信チャネルは、対応の制御チャネルを有する。１つの例において、制御チャネルは、対応する送信チャネルを通した通信に対するトラフィック要求を送るために使用されうる。
【０１８５】
１つの例において、第１のワイヤレス端末ＷＴ Ａ３３０２は、第２のワイヤレス端末ＷＴ Ｂ３３０４に送信しようとしており、一方、第３のワイヤレス端末ＷＴ Ｃ３３０６は、第４のワイヤレス端末ＷＴ Ｄ３３０８に送信しようとしている。このピアツーピアネットワーク３３００において、送信チャネルと制御チャネルのペアーは、複数のワイヤレス端末ＷＴ Ａ、ＷＴ Ｂ、ＷＴ Ｃ、およびＷＴ Ｄによって共有される。そのような制御チャネルは、ワイヤレス端末ＷＴ Ａ、ＷＴ Ｂ、ＷＴ Ｃ、およびＷＴ Ｄが、ピアツーピア通信リンクをセットアップする際、例えば、発見および／またはページングフェーズにおいて、お互いを見つけ出し、および／または支援するようにすることが出来る。
【０１８６】
１つの特徴に従って、受信機譲歩および／または送信機譲歩は、ネットワーク３３００中のワイヤレス端末によって実現されうる。受信機譲歩において、雑音対信号比が小さすぎる場合、受信デバイスは、（例えば、制御チャネルトラフィック要求に応じた）エコーあるいは応答送信を送らず、それによりチャネル上へのトラフィックの送り出しが防止されるであろう。送信機譲歩において、送信デバイスは、自分からの送信が、共有したチャネルを使用している別のデバイスに、許容できない干渉を引き起こすであろうか否かを決定し、もしそうであれば、共有したチャネル上にはデータを送らないであろう。
【０１８７】
１つの例において、ワイヤレス端末ＷＴ Ａ３３０２は、トラフィックデータ送信に対する送信電力ＰAを決定することが出来る。電力ＰAは、固定である必要はなく、トラフィックタイプ、例えばサービスの品質（“ＱｏＳ”）条件のような、あるクライテリアに従って可変でありうる。ある実施形態において、ワイヤレス端末に対する送信機は、受信機に事前に通知することなく、電力を変動させることが出来る。１つの実施形態において、送信電力ＰAは、次の式に従って規定することが出来る。
【数１】
2010533445.tif 000003
【０１８８】
ここでＣおよびβは、正の定数であり、ｈABは、送信機ワイヤレス端末ＷＴ Ａ３３０２および受信機ワイヤレス端末ＷＴ Ｂ３３０４間のチャネル利得に対応する、１より小さいか等しい小数値である。定数Ｃは、特定のシステムにおける信号対雑音比ＳＮＲを最適化するように選択することが出来、定数βは、１つの実施形態において、０．５でありうる。ある実施形態において、送信機は、ピア発見および／またはページングフェーズにおいて、特定の受信機への送信電力を決定することが出来る。送信機は、以前の送信の間の、特定の受信機からの最近のチャネルフィードバックを検査することによって、送信電力を更新することも出来る。
【０１８９】
第１のワイヤレス端末ＷＴ Ａ３３０２は、第２のワイヤレス端末ＷＴ Ｂ３３０４に、トラフィック要求３３１０を送信することが出来る。第２のワイヤレス端末ＷＴ Ｂ３３０４は、受信した電力ＰｒA＝ＰA＊ｈABを有しうるトラフィック要求３３１０を受信する。ここで、ＰAは、ワイヤレス端末ＷＴ Ａ３３０２の送信電力であり、ｈABは、ＷＴ Ａ３３０２およびＷＴ Ｂ３３０４間のチャネル利得で、利得（ＷＴＡ−ＷＴＢ）と表示することも出来る。
【０１９０】
同時に、第３のワイヤレス端末ＷＴ Ｃ３３０６は、第４のワイヤレス端末ＷＴ Ｃ３３０８に、ＷＴ ＡからＷＴ Ｂへのトラフィック要求と同一の制御チャネル上で、トラフィック要求３３１４を送信することが出来る。トラフィック要求３３１４が、ワイヤレス媒体を通して、同一の制御チャネル上で送られるので、第２のワイヤレス端末ＷＴ Ｂ３３０４は、受信した電力ＰｒC＝ＰC＊ｈBCを有しうるトラフィック要求３３１４’も受信する。ここで、ＰCは、ワイヤレス端末ＷＴ Ａ３３０６の送信電力であり、ｈBCは、ＷＴ Ｃ３３０６およびＷＴ Ｂ３３０４間のチャネル利得で、利得（ＷＴＣ−ＷＴＢ）と表示することも出来る。
【０１９１】
もし、（ＷＴ Ｃから）受信した電力ＰｒCと、（ＷＴ Ａから）受信した電力ＰｒAとの間の比が、許容できる干渉閾値よりも大きい場合（即ち、ＰｒC／ＰｒA＞閾値）、第２のワイヤレス端末ＷＴ Ｂ３３０４は、第１のワイヤレス端末ＷＴ Ａ３３０２にエコーあるいは応答送信を送らないことにより、送信チャネルを第３のワイヤレス端末ＷＴ Ｃ３３０６に譲ることが出来る。例えば、ＷＴ ＣからＷＴ Ｄへのリンクが、ＷＴ ＡからＷＴ Ｂへのリンクよりも、より高い優先度である場合、これは当てはまる。
【０１９２】
そうでない場合、第２のワイヤレス端末ＷＴ Ｂ３３０４は、受信したトラフィック要求３３１０の中で受信された電力Ｐｒに反比例する送信電力ＰＢ（、例えば、信号力に基づいく電力）のエコー送信３３１２で、受信したトラフィック要求３３１０に対して応答することが出来る。例えば、１つの実施形態において、ＷＴ Ｂ３３０４からのエコーあるいは応答送信３３１２は、送信電力ＰB＝Ｃ／（ＰA＊ｈAB）に設定される。ここで、Ｃ＝１。
【０１９３】
共有された周波数スペクトラムが、ネットワーク３３００を通したワイヤレス通信に対して、複数のワイヤレス端末によって使用されるため、第３のワイヤレス端末ＷＴ Ｃ３３０６は、隣接する第２のワイヤレス端末ＷＴ Ｂ３３０４から、エコーあるいは応答送信３３１２’も受信することが出来る。エコー送信３３１２は、第１のワイヤレス端末ＷＴ Ａ３３０２に対して意図されているが、他のピアツーピアネットワーク３３００中の、ＷＴ Ｃ３３０６を含む他の隣接するワイヤレス端末も、エコー送信３３１２’を受信することが出来る。幾つかの構成において、第１のワイヤレス端末ＷＴ Ａ３３０２および第３のワイヤレス端末ＷＴ Ｃ３３０６は、共有された通信チャネルあるいは周波数の内で、同一の制御チャネルおよび／または送信チャネル（例えば、同一の周波数あるいは時間スロット）を使用することが出来ることに注目されたい。他の構成において、第１のワイヤレス端末ＷＴ Ａ３３０２および第３のワイヤレス端末ＷＴ Ｃ３３０６は、共有された通信チャネル内で、異なる制御チャネルおよび／または送信チャネルを使用することが出来るが、これらの異なる制御チャネルおよび／または送信チャネルは、十分に近く、（第１のワイヤレス端末に対する）１つのチャネルにおける送信からのエネルギーは、（別のワイヤレス端末に対する）別のチャネルにおける送信と干渉する。
【０１９４】
第３のワイヤレス端末ＷＴ Ｃ３３０６において、受信したエコー送信３３１２’は、受信電力Ｐｒ＝ｈBC（ＰA＊ｈAB）を有する。ここで、ＰAは、ＷＴ Ａ３３０２の送信電力であり、ｈABは、ＷＴ Ａ３３０２とＷＴ Ｂ３３０４の間のチャネル利得であり、ｈBCは、ＷＴ Ｂ３３０４とＷＴ Ｃ３３０６との間のチャネル利得で、利得（ＷＴＣ−ＷＴＢ）と表示することも出来る。送信端末が、受信したエコー送信に基づいて、送信譲歩を実行出来るようにするのは、エコー送信において、反比例の電力を使用することにある点に注目されたい。
【０１９５】
第３のワイヤレス端末ＷＴ Ｃ３３０６は、特定の送信チャネル、（即ち、使用されている制御チャネルに対応するチャネル）上で送信を行うべきか、あるいは、異なる端末が送信チャネルを使用出来るようにすべきかを確認するために、エコー送信３３１２’、（および、もしかすると、他のワイヤレス端末に対する他のエコー送信）を使用することが出来る。即ち、第３のワイヤレス端末ＷＴ Ｃ３３０６は、（特定の電力ＰCでの）自分の送信が、同一送信チャネル上でのＷＴ ＡおよびＷＴ Ｂ間の送信に悪影響を及ぼすであろうということを確認するために、エコー送信３３１２’を使用することが出来る。例えば、第２のワイヤレス端末ＷＴ Ｂ３３０４から、エコー送信３３１２’を受信次第、第３のワイヤレス端末ＷＴ Ｃ３３０６は、第２のワイヤレス端末ＷＴ Ｂ３３０４によって感知される、予期された干渉への信号雑音プラス雑音比を、次のように決定することが出来る。
【数２】
2010533445.tif 000004
【０１９６】
ここで、ＰCは、第３のワイヤレス端末ＷＴ Ｃ３３０６の提案された送信電力であり、（これは、固定されなくて良く、）ＳＩＮＲ閾値は、ネットワーク３３００に対して適切な、干渉プラス雑音比への特定の信号である。式２の残る条件は、第２のワイヤレス端末ＷＴ Ｂ３３０４からの、受信された電力（Ｐr）より派生する。式２が真（即ち、ＳＩＮＲ＞（ＰA＊ｈAB）／（ＰC＊ｈBC））であると評価した場合、第３のワイヤレス端末ＷＴ Ｃ３３０６は、ＷＴ Ｄ３３０８（、あるいは、ＷＴ ＡからＷＴ Ｂへの送信と同一の送信チャネル上で、ネットワーク中の、いかなる他の端末）への送信が、第１のワイヤレス端末ＷＴ Ａ３３０２から第２のワイヤレス端末ＷＴ Ｂ３３０４への送信について、マイナスに影響するということを決定する。従って、第３のワイヤレス端末ＷＴ Ｃ３３０６は、送信を、ＷＴ Ａ３３０２に譲るであろう。しかし、式２が偽（即ち、ＳＩＮＲ≦（ＰA＊ｈAB）／（ＰC＊ｈBC））であると評価した場合、第３のワイヤレス端末ＷＴ Ｃ３３０６は、ＷＴ Ｄ３３０８（、あるいは、ＷＴ ＡからＷＴ Ｂへの送信と同一の送信チャネル上で、ネットワーク中の、いかなる他の端末）への送信が、ＷＴ Ａ３３０２からＷＴ Ｂ３３０４への送信について、マイナスに影響しないということを決定する。従って、第３のワイヤレス端末ＷＴ Ｃ３３０６は、ＷＴ Ａ３３０２と同一の送信チャネル上で、送信を進めるであろう。
【０１９７】
１つの特徴に従い、第３のワイヤレス端末ＷＴ Ｃ３３０６は、ＷＴ Ａ３３０２がＷＴ Ｃ３３０６よりも、より高い優先度を有するときのみ、第１の送信チャネル上での送信を、第１のワイヤレス端末ＷＴ Ａ３３０２に譲るであろう。各送信ワイヤレス端末に対する優先度は、特定の優先度スキーム、例えば、周波数インデックス割り当てベースの優先度に基づくことが出来る。優先度ベースのアレンジにおいて、より低い優先度の端末あるいはデバイスは、より高い優先度の端末あるいはデバイスに譲るであろう。
【０１９８】
上述の通り、他のワイヤレス端末が、同一の受信機譲歩および送信機譲歩を実行することに注目されたい。例えば、第３のワイヤレス端末ＷＴ Ｃ３３０６は、第４のワイヤレス端末ＷＴ Ｄ３３０８に、電力ＰCでトラフィック要求３３１５を送ることが出来る。第４のワイヤレス端末ＷＴ Ｄ３３０８は、ＷＴ Ｃ３３０６からの送信が、ＷＴ Ａ３３０２からＷＴ Ｂ３３０４への送信と干渉しそうな場合、受信機譲歩を実行することが出来る。即ち、第４のワイヤレス端末ＷＴ Ｄ３３０８は、第３のワイヤレス端末ＷＴ Ｃ３３０６にエコー送信を送らず、それによって、通信リンクを拒否し、ＷＴ Ａ３３０２およびＷＴ Ｂ３３０４間の通信リンクに譲歩するであろう。例えば、ＷＴ Ｄ３３０８は、トラフィック要求３３１４を電力ＰC＊ｈDC（ここで、ｈDCは、ＷＴ ＣおよびＷＴ Ｄ間のチャネル利得である）で、また、トラフィック要求３３１０’を電力ＰA＊ｈAD（ここで、ｈADは、ＷＴ ＡおよびＷＴ Ｄ間のチャネル利得である）で受信することが出来る。もし、（ＰC＊ｈDC）＞（ＰA＊ｈAD）で、ＷＴ ＡおよびＷＴ Ｂ間の通信リンクがより高い優先度を有する場合、第４のワイヤレス端末ＷＴ Ｄ３３０８は、返信エコー送信を送らず、それによりチャネルをＷＴ ＡおよびＷＴ Ｂ間の通信リンクに譲歩するであろう。
【０１９９】
こうして、ピアツーピアネットワークシステム中のワイヤレス端末間で、受信機譲歩および／または送信機譲歩を実現することによって、リンクスケジューリングおよび優先度付けが達成されうる。
【０２００】
図３４は、アドホックピアツーピアネットワーク中の様々なワイヤレス端末の、リンクスケジューリングを容易化させる動作を例解する流れ図である。ここで、複数のワイヤレス端末は、通信チャネルを共有する。この例において、共有された通信チャネルは、制御チャネルおよび送信チャネルを含むと想定される。第１のワイヤレス端末ＷＴ Ａ３４０２は、送信電力ＰAを選択し、制御チャネルを通して、電力ＰAで、（即ち、ＰAに比例した電力部分で）のトラフィック要求３４０８を、電力ＰAで第２のワイヤレス端末ＷＴ Ｂ３４０４に送信することが出来る。そのようなトラフィック要求は、制御チャネルと関係した送信チャネルを通して、ＷＴ Ａ３４０２およびＷＴ Ｂ３４０４間のピアツーピア通信リンクを確立するために働くことが出来る。この例において、ＷＴ Ａ３４０２およびＷＴ Ｂ３４０４間のチャネル利得は、ｈABと表される。トラフィック要求３４０８を受信次第、第２のワイヤレス端末ＷＴ Ｂ３４０４は、トラフィック要求の受信した電力（ＰA＊ｈAB）が、より高い優先度の隣接する送信と干渉しそうであるかを決定することが出来る。もしそうであれば、第１のワイヤレス端末ＷＴ Ａへのエコーあるいは応答送信３４０９を送らない。そうでなければ、第２のワイヤレス端末ＷＴ Ｂは、１／（ＰA＊ｈAB）に比例する送信電力ＰBを取得３４１０することが出来る。第２のワイヤレス端末ＷＴ Ｂ３４０４は、それから、ＷＴ Ａからのトラフィック要求に応じて、応答あるいはエコー送信３４１２（３４１２ａあるいは３４１２ｂで表示）を、電力ＰBでブロードキャストすることが出来る。第１のワイヤレス端末ＷＴ Ａ３４０２は、それから、制御チャネルに関係した送信チャネルを通して、第２のワイヤレス端末ＷＴ Ｂ３４０４に送信３４１４することが出来る。
【０２０１】
エコー送信３４１２（３４１２ａあるいは３４１２ｂで表示）が、共有された通信チャネルを通してブロードキャストされるので、第３のワイヤレス端末ＷＴ Ｃ３４０６
のような他の隣接するデバイスは、エコー送信を受信しうる。もし、第３のワイヤレス端末ＷＴ Ｃ３４０６が、他のデバイスへ送信するために、同一の通信チャネル（あるいは、周波数スペクトラム）を使用することを意図している場合、ＷＴ ＡおよびＷＴ Ｂ間の送信に、許容できない干渉を引き起こしうる。従って、第３のワイヤレス端末ＷＴ Ｃ３４０６は、自分の送信（ＰC＊ｈBC）と、第２のワイヤレス端末ＷＴ Ｂによって受信されるＷＴ Ａからの送信（ＰA＊ｈAB）との間の、相対測定を確認するであろう。ここで、ＰCは、第３のワイヤレス端末ＷＴ Ｃについての送信電力である。第３のワイヤレス端末ＷＴ Ｃで受信されたエコー送信電力が、チャネル利得ｈBCおよびエコー送信電力ＰBあるいはｈBC／（ＰA＊ｈAB）に比例するので、比（ＰA＊ｈAB）／（ＰC＊ｈBC）が確認されうる。第３のワイヤレス端末ＷＴ Ｃ３４０６は、この比を、自分からの送信が、第１のワイヤレス端末ＷＴ Ａ３４０２から第２のワイヤレス端末ＷＴ Ｂ３４０４への送信の受信に悪影響を及ぼすかの指標として使用することが出来る。例えば、もし、比（ＰA＊ｈAB）／（ＰC＊ｈBC）が、干渉プラス雑音比ＳＩＮＲ閾値への信号より大きい場合、第３のワイヤレス端末ＷＴ Ｃ３４０６は、自分からの送信が、ＷＴ Ａ３４０２からＷＴ Ｂ３４０４への送信に、許容できない悪影響を及ぼすと結論し、送信チャネルを第１のワイヤレス端末ＷＴに譲る３４１６であろう。そうでなく、もし、比（ＰA＊ｈAB）／（ＰC＊ｈBC）が、ＳＩＮＲ閾値より小さいか等しい場合、第３のワイヤレス端末は、共有された送信チャネル上で、（例えば、ＷＴ Ｂあるいは別のデバイスへ）送信３４１８する。
【０２０２】
ピーツーピアネットワーク中の各ワイヤレス端末が、図３３および３４に例解されたプロシージャに従うようにすることで、干渉を避けることが出来る。というのは、より高い優先度のワイヤレス端末に干渉を引き起こすであろうワイヤレス端末は、共有された送信チャネルを通した送信を行わず、より高い優先度のワイヤレス端末が、代わりに、そのチャネルを使用出来るようにするためである。各送信ワイヤレス端末に対する送信優先度は、特定の優先度、例えば、周波数インデックス割り当てに基づいた優先度スキームに基づくであろう。優先度ベースのアレンジメントにおいて、より低い優先度の端末あるいはデバイスは、より高い優先度の端末あるいはデバイスに譲るであろう。
【０２０３】
送信電力スケーリング
リンク優先度付けおよび／またはリンクスケジューリングに加えて、ワイヤレス端末は、隣接するワイヤレス端末に干渉を引き起こすことを避けるために、その送信電力も調整する。幾つかの構成において、ワイヤレス端末は、可変電力送信機および受信機を含むことが出来る。
【０２０４】
幾つかの構成において、送信電力は、ワイヤレス端末によって取得され、その制御チャネルおよび対応する送信チャネルを通しての通信に対して、使用される。１つの例において、制御チャネルおよび送信チャネル中で、同一の送信電力が使用され、それによってリンクスケジューリングが容易化されることに注目されたい。
【０２０５】
送信電力は、異なる方法で決定することが出来る。例えば、送信電力は一定の電力Ｐoとか、制御された電力（例えば、電力Ｐo割るチャネル利得h）とか、電力Ｐoおよびチャネル利得hの関数（例えば、Ｐo／√h）とかでありうる。チャネル利得hは、零（０）と壱（１）との間の数、（例えば、０≦h≦１）であり、送信機ワイヤレス端末により、事前に、例えば、ピアツーピアリンクを確立するページングおよび発見フェーズの間に、取得されうる。
【０２０６】
第１のシナリオにおいて、ワイヤレス端末は、一定の電力Ｐoで送信するであろう。しかし、一定の電力Ｐo下で、ワイヤレス端末は、必要以上の干渉を生じさせるであろう。これは、一定の電力Ｐoは典型的に最長距離の通信範囲に対して選択されており、短距離通信では浪費されるためである。従って、通信リンクが一番高い優先度を有するのでない限り、一定の電力Ｐoの使用は、他の通信リンクとの干渉を引き起こすであろうから、頻繁に送信譲歩および／または受信譲歩を引き起こすであろう。よって、送信譲歩および／または受信譲歩は、他の通信リンクの方が好ましいとさせうるので、一定の電力Ｐoは、計画されたごく短い時間期間のみアクティブであろう。加えて、一定の電力Ｐoの使用は、また、しばしば移動または携行可能なワイヤレス端末について利用可能な限られた電力リソースの浪費でもある。
【０２０７】
第２のシナリオにおいて、ワイヤレス端末は、受信される電力が一定となるように、（チャネル利得hを考慮して）制御された電力Ｐo／hで送信することが出来る。このシナリオでは、電力は、チャネル利得に基づいて調整することが出来る。しかし、このアプローチの元では、制御された電力Ｐo／hは、特に、チャネルが散発的な干渉の影響を受けやすい場合、理想よりは低いであろう。
【０２０８】
第３のシナリオにおいて、ワイヤレス端末は、スケーリングされた電力Pscaled＝Po／ｆ（ｈ）（ここで、ｆ（ｈ）はチャネル利得の関数である）で送信するであろう。例えば、スケーリングされた電力Pscaledは、予め決められた一定電力Ｐoとか、測定されたチャネル利得の関数、例えば、チャネル利得に反比例のC＊Ｐo／hとか、チャネル利得の平方根に反比例のD＊（Ｐo／√h）とかでありうる。ここで、CおよびDは、（例えば、受信機および／または送信機アンテナについての）アンテナ利得に対する異なるスケーリングファクターでありうる。１つの実施形態において、送信電力を一定送信電力に関して調整することによって、ワイヤレス端末WT A３５０２は、他のワイヤレス端への干渉を減らすことが出来、結果として、計画した送信の機会をより頻繁に有することが出来る。
【０２０９】
図３５は、２つのワイヤレス端末間のピアツーピア通信リンクに対する送信電力スケーリングが、いかに実現されるかを例解するフロー図である。第１のワイヤレス端末WT A３５０２は、第２のワイヤレス端末WT B３５０４への通信チャネルに対するチャネル利得hAB３５０６を取得するであろう。ワイヤレス端末WT A３５０２は、一定電力Ｐoと、チャネル利得hABの関数とに基づいてスケーリングされた送信電力PAを取得３５０８するであろう。例えば、１つの例において、送信電力は、PA=／square_root（hAB）でありうる。
【０２１０】
選択的に、リンクスケジューリングは、ワイヤレス端末WT B３５０およびワイヤレス端末WT B３５０４間の通信リンクに対して実行３５０７することが出来る。例えば、そのようなリンクスケジューリングは、図３３と３４とに例解されるような送信機譲歩および／または受信機譲歩スキームに従って、ならびに／あるいは、図３２のリンクスケジューリングセグメント３２０２の間、実行することが出来る。
【０２１１】
第１のワイヤレス端末WT A３５０２は、それから、電力C＊PA３５１０で、パイロット信号を、第２のワイヤレス端末ＷＴ B３５０４に送信する。即ち、合計パイロット送信電力は、対応するデータトラフィックセグメントの合計送信電力と、固定の関係を有するであろう。例えば、パイロット信号の信号フォーマットによって、もし、パイロットが単一トーン信号であり、一方、データ信号は多数のトーンに拡散している場合、トーンあたりの電力は、パイロット信号に対する方が、データ信号に対する方よりも高いであろう。
【０２１２】
第２のワイヤレス端末ＷＴ B３５０４は、それから、受信した信号電力PA＊hABに基づいて、送信レートRABを取得あるいは選択３５１２する。この送信レートRABは、第１のワイヤレス端末ＷＴ A３５０２に送信３５１４され、それから、第１のワイヤレス端末は、共有された送信チャネル上で、電力PAで、そして送信レートRABで、送信３５１６することが出来る。
【０２１３】
図３６は、ピアツーピア通信リンクを通して可変電力送信出来るように構成されたワイヤレス端末を例解するためのブロック図である。ワイヤレス端末３６０２は、ともにアンテナ３６１０に結合された可変電力で可変レートの送信機３６０６および受信機３６０８、ならびに処理回路３６０４を含みうる。ワイヤレス端末３６０２は、また、アンテナ３６１０を通して他のワイヤレス端末とピアツーピア通信リンクを確立および／または維持されるように構成されたピアツーピアネットワークコントローラ３６１２を含みうる。１つの例において、ピアツーピアネットワークコントローラ３６１２は、ピアツーピア通信リンクを通してチャネル利得を取得するように適合されたチャネル利得モジュール３６１６に結合され、また、チャネル利得の関数としての送信電力を取得するように適合された送信電力モジュール３６１８に結合されうる。選択的に、ワイヤレス端末３６０２は、また、処理回路３６０４に結合され、アンテナ３６１０あるいは別のアンテナを介して、集中管理ネットワーク（例えば、WAN）と通信出来るように適合された広域ネットワーク（WAN）コントローラ３６１４を含むことも出来る。
【０２１４】
図３７は、可変電力ピアツーピアネットワークにおけるチャネルネゴシエーション制御に対する第１の（送信機）ワイヤレス端末中で動作出来る例示的な方法を例解する。さらに特定的には、この方法は、ピアツーピアネットワークにおけるチャネルレート選択制御に対する可変送信電力能力をもたらすことが出来る。チャネルネゴシエーション制御３７００の一部として、第１のワイヤレス端末と第２の（受信機）ワイヤレス端末間のピアツーピア通信チャネルに対するチャネル利得は、第１の（送信機）ワイヤレス端末によって取得３７０２されうる。第１のワイヤレス端末は、それから、チャネル利得の関数としての送信電力の決定および／またはスケーリング３７０４を行うことが出来る。１つの例において、チャネル利得は、少なくとも１００ミリ秒の時間間隔において測定されたチャネル利得の平均値でありうる。
【０２１５】
第１のワイヤレス端末は、決定された送信電力に比例するパイロット電力で、パイロット信号を送信３７０６しうる。パイロット信号は、スケーリングされた送信電力に比例しうる。例えば、パイロット信号は、C＊Pscaledの電力で送信されうる。ここで、Cは、知られた定数であり、またPscaledは、第２の（受信機）ワイヤレス端末との通信リンク上でのデータ送信に対して、第１のワイヤレス端末によって使用されるスケーリングされた送信電力である。１つの例示的な実施形態において、スケーリングされた送信電力は、必ずしも、意図した第２の（受信機）ワイヤレス端末に知られている必要は無く、従って、第１のワイヤレス端末は、第２の（受信機）ワイヤレス端末に通知することなく、トラフィックタイプ、例えば、ＱｏＳ条件や他のクライテリアに従って、送信電力を変動させることが出来る。
【０２１６】
応答して、第１のワイヤレス端末は、第２のワイヤレス端末からの送信レートフィードバックを受信３７０８することが出来、決定された送信電力および受信した送信レートフィードバックの関数として、データトラフィック信号中で使用されるであろうデータレートを決定３７１０する。１つの例において、レートスケジューリングは、図３２のレートスケジューリングセグメント３２０４の間に、実行することが出来る。第１のワイヤレス端末は、それから、データトラフィック信号を、決定された送信電力（および、送信レート）で、計画された時間期間の間に、第２のワイヤレス端末へ送信３７１２することが出来る。幾つかの例に従って、送信電力は、チャネル利得に反比例しうるか、チャネル利得の平方根に反比例しうる。
【０２１７】
送信電力は、通信チャネルを使用しようとしている他のワイヤレス端末による、通信チャネルを通したトラフィック需要に従って、変動、あるいは調整３７１４しうる。これは、例えば、（ａ）時間間隔中で使用される決定された送信電力を調整すること、（ｂ）時間間隔中で第２のワイヤレス端末へのデータトラフィック信号の合計スループットを測定すること、および／または（ｃ）後続の時間間隔中で使用される決定された送信電力の調整を決定することを含みうる。１つの例において、そのような送信電力の調整は、（ａ）時間間隔中で使用される決定された送信電力を増加させること、（ｂ）時間間隔中での第２のワイヤレス端末へのデータトラフィック信号の合計スループットが、増加したかを決定すること、（ｃ）時間間隔中での第２のワイヤレス端末へのデータトラフィック信号の合計スループットが、増加したと決定した場合、後続の時間間隔での決定された送信電力をさらに増加させること、および／または（ｄ）時間間隔中での第２のワイヤレス端末へのデータトラフィック信号の合計スループットが、減少したと決定した場合、後続の時間間隔での決定された送信電力を減少させることを含みうる。別の例において、送信電力の調整は、（ａ）時間間隔中で使用される決定された送信電力を減少させること、（ｂ）時間間隔中での第２のワイヤレス端末へのデータトラフィック信号の合計スループットが、増加したかを決定すること、（ｃ）時間間隔中での第２のワイヤレス端末へのデータトラフィック信号の合計スループットが、増加したと決定した場合、後続の時間間隔での決定された送信電力をさらに減少させること、および／または（ｄ）時間間隔中での第２のワイヤレス端末へのデータトラフィック信号の合計スループットが減少したと決定した場合、後続の時間間隔での決定された送信電力を増加させることを含みうる。
【０２１８】
通信チャネルは、分散リンクスケジューリングスキームに従って、複数の他のワイヤレス端末間で共有することが出来る。第１のワイヤレス端末は、通信チャネルを通した、第１の移動ワイヤレス端末と第２のワイヤレス端末間の通信リンクに対するリンクスケジューリングを、決定された送信電力に基づいて実行３７１６しうる。
【０２１９】
第１のワイヤレス端末は、例えば、図３３と３４とに例解されるような送信機譲歩および／または受信機譲歩スキームに従って、ならびに／あるいは、図３２のリンクスケジューリングセグメント３２０２の間、リンクスケジューリングを実行することが出来る。例えば、第１のワイヤレス端末は、（ａ）隣接する第３のワイヤレス端末から、第３のワイヤレス端末と通信中の第４のワイヤレス端末に宛てたトラフィック要求応答信号を受信すること、および／または（ｂ）第４のワイヤレス端末から受信したトラフィック要求応答信号の受信した電力と、決定された第１の移動ワイヤレス端末の送信電力との関数としてのパイロット信号およびデータトラフィック信号を送信するかを決定することによって、リンクスケジューリングを実行することが出来る。加えて、リンクスケジューリングは、また、（ａ）第２のワイヤレス端末に、決定された送信電力で、データトラフィック信号を送信するに先立って、トラフィック送信要求信号を送信すること、および／または（ｂ）第２のワイヤレス端末からトラフィック要求応答信号を受信することを含むことが出来る。
【０２２０】
さらに別の構成に従えば、第１の移動ワイヤレス端末中の回路は、第１の（送信機）ワイヤレス端末および第２の（受信機）ワイヤレス端末間の、ピアツーピア通信チャネルに対するチャネル利得を取得するために適合することが出来る。同一の回路、異なる回路、あるいは、同一の回路や異なる回路の第２のセクションは、チャネル利得の関数として、送信電力を決定するために適合されうる。加えて、同一の回路、異なる回路、あるいは、同一の回路や異なる回路の第３の部分は、決定された送信電力に比例するパイロット電力で、パイロット信号を送信するために適合されうる。同様に、同一の回路、異なる回路、あるいは、第４のセクションは、第２のワイヤレス端末から送信レートフィードバックを受信するために適合されうる。同一の回路または異なる回路の第５のセクションは、データトラフィック信号中で使用されるデータレートを、決定された送信電力と受信された送信レートフィードバックとの関数として、決定するために適合されうる。幾つかの構成において、送信電力は変動可能で調整することが出来る。従って、同一の回路または異なる回路の第６のセクションは、（ａ）時間間隔で使用される決定された送信電力を調整し、（ｂ）時間間隔で第２のワイヤレス端末へのデータトラフィック信号の合計スループットを測定し、および／または（ｃ）後続の時間間隔で使用されるであろう決定された送信電力の調整を決定するために適合されうる。同一の回路または異なる回路の第７のセクションは、通信リンクに関係した、決定された送信電力および優先度の少なくとも１つに基づき、通信チャネルを通した第１のワイヤレス端末および第２のワイヤレス端末間の通信リンクに対するリンクスケジューリングを実行するために適合されうる。技術分野の通常の熟練者であれば、一般的に、本開示において記述された大半の処理は、同様の様態で実現することが出来る。いずれの回路または回路セクションは、１つあるいはそれより多くのプロセッサを備える集積回路の部分として、単独または組み合わせで実現することが出来る。１つあるいはそれより多くの回路は、集積回路、アドバンスドＲＩＳＣマシーン（ＡＲＭ）プロセッサ、デジタル信号プロセッサ（ＤＳＰ）、汎用目的プロセッサ、等の上で実現することが出来る。
【０２２１】
図３８は、ピアツーピア通信リンクを通した、第２の（送信）端末の可変電力送信を容易化するように構成された第１の（受信機）ワイヤレス端末を例解するブロック図である。第１のワイヤレス端末３８０２は、ともにアンテナ３８１０に結合された送信機３８０６および受信機３８０８、ならびに処理回路３８０４を含みうる。第１のワイヤレス端末３８０２は、また、アンテナ３８１０を通して他のワイヤレス端末とピアツーピア通信リンクを確立および／または維持されるように構成されたピアツーピアネットワークコントローラ３８１２を含みうる。１つの例において、（例えば、図３３および３４に例解されるように、）第１の（受信機）ワイヤレス端末は、第１および第２のワイヤレス端末間の通信リンクに関係した、第２の（送信機）ワイヤレス端末から受信した送信電力、および／またはリンク優先度に基づいて、リンクスケジューリングを実行するために適合することが出来る。
【０２２２】
１つの例において、ピアツーピアネットワークコントローラ３８１２は、第２のワイヤレス端末によってもたらされるスケーリングされた送信電力に基づいて、送信レートを選択するために、送信レート計算機３８１６に結合することが出来る。選択された送信レートは、それから、第２の（送信機）ワイヤレス端末に送信される。第１の（受信機）ワイヤレス端末３８０２は、それから、通信リンクを通して、スケーリングされた送信電力と選択された送信レートとで、第２のワイヤレス端末より送信を受ける。選択的に、ワイヤレス端末３８０２は、また、処理回路３８０４に結合され、アンテナ３８１０あるいは別のアンテナを介して、集中管理ネットワーク（例えば、WAN）と通信出来るように適合された広域ネットワーク（WAN）コントローラ３８１４を含むことも出来る。
【０２２３】
図３９は、可変電力ピアツーピアネットワークにおけるチャネルネゴシエーション制御に対する、第１の（受信機）ワイヤレス端末中で動作可能な例示的な方法を例解する。さらに特定的には、この方法は、ピアツーピアネットワークにおけるチャネルレート選択制御に対する可変送信電力能力をもたらすことが出来る。チャネルネゴシエーション制御を開始３９００次第、通信リンク３９０２に関係した、受信したスケーリングされた送信電力および／またはリンク優先度に基づいて、第１の（受信機）ワイヤレス端末と第２の（送信機）ワイヤレス端末の間の通信リンクに対して、リンクスケジューリングを実行することが出来る。例えば、そのようなリンクスケジューリングは、図３３および３４とに例解されるような送信譲歩および／または受信譲歩スキームに従って、ならびに／あるいは、図３２のリンクスケジューリングセグメント３２０２の間、実行することが出来る。
【０２２４】
第１の（受信機）ワイヤレス端末は、第２の（送信機）ワイヤレス端末から、第１のワイヤレス端末と第２のワイヤレス端末間の通信リンクに対するチャネル利得の関数である信号力を有するパイロット信号を受信３９０４しうる。第１の（受信機）ワイヤレス端末は、それから、パイロット信号の信号力を測定３９０６し、受信されたパイロット信号の信号力に基づいて、通信チャネルを通して実行可能な送信レートを取得または選択しうる。送信レートは、それから、第２のワイヤレス端末に送信される。１つの例において、送信レートは、図３２のレートスケジューリングセグメント３２０４の間、決定しうる。
【０２２５】
第１の（受信機）ワイヤレス端末は、それから、第２の（送信機）ワイヤレス端末より、通信チャネルを通して、スケーリングされた送信電力と選択された送信レートで、通信を受信３９１０しうる。１つの例示的な実施形態において、スケーリングされた送信電力は、必ずしも、意図された受信機ワイヤレス端末に知られている必要は無く、そして、それゆえに、送信機ワイヤレス端末は、受信機に通知することなく、トラフィックタイプや、ＱｏＳ条件や、他のクライテリアに従って、送信電力を変動または調整することが出来る。
【０２２６】
幾つかの構成において、第１の（受信機）ワイヤレス端末は、異なるワイヤレス端末から、各パイロット信号が対応するワイヤレス端末の送信電力に等しい（または比例する）電力を有する、複数のパイロット信号を受信しうる。第１の（受信機）ワイヤレス端末は、全ての受信されたパイロット信号からの信号力を測定し、複数のパイロット信号に基づいて、（第２のワイヤレス端末との通信リンクに対して）実現可能な送信レートを計算または選択しうる。
【０２２７】
さらに別の構成に従えば、携行可能な（受信機）ワイヤレス端末中の回路は、第２のワイヤレス端末からのパイロット信号を受信するために適合することが出来る。受信されたパイロット信号は、スケーリングされた送信電力に比例する信号力を有し、ここで、スケーリングされた送信電力は、携行可能なワイヤレス端末と第２のワイヤレス端末間の通信チャネルに対するチャネル利得の関数である。同一の回路、異なる回路、あるいは、同一の回路や異なる回路の第２のセクションは、受信されたパイロット信号の信号力を取得するために適合されうる。同一の回路、異なる回路、あるいは、同一の回路や異なる回路の第３のセクションは、パイロット信号の受信された信号力に基づいて、通信チャネルを通した実行可能な送信レートを選択するために適合されうる。同一の回路、異なる回路、あるいは、第４のセクションは、第２のワイヤレス端末に、選択された送信レートを送信するために適合されうる。同一の回路、異なる回路、あるいは、同一の回路や異なる回路の第５のセクションは、通信チャネルを通して、スケーリングされた電力と選択された送信レートで、第２のワイヤレス端末から通信を受信するために適合されうる。同一の回路、異なる回路、あるいは、同一の回路や異なる回路の第６のセクションは、（ａ）隣接する送信機ワイヤレス端末から、複数の他のパイロット信号を受信し、（ｂ）複数のパイロット信号の各々の信号力を測定し、および／または（ｃ）信号力に基づいて、送信レートを計算するために適合されうる。同一の回路、異なる回路、あるいは、同一の回路や異なる回路の第７のセクションは、第２のワイヤレス端末からの通信に関係した、受信されたスケーリングされた送信電力と、通信リンクに関係したリンク優先度との少なくとも１つに基づき、通信チャネルを通した携行可能なワイヤレス端末および第２のワイヤレス端末間の通信リンクに対するリンクスケジューリングを実行するために適合されうる。技術分野の通常の熟練者であれば、一般的に、本開示において記述された大半の処理は、同様の様態で実現することが出来る。いずれの回路または回路セクションは、１つあるいはそれより多くのプロセッサを備える集積回路の部分として、単独または組み合わせで実現することが出来る。１つあるいはそれより多くの回路は、集積回路、アドバンスドRISCマシーン（ARM）プロセッサ、デジタル信号プロセッサ（DSP）、汎用目的プロセッサ、等の上で実現することが出来る。
【０２２８】
図３２−３９と関連して上で記述された例示的な実施形態において、ワイヤレス端末に対して、かなりの追加制御オーバーヘッドや処理の複雑性無しに、可変送信電力がもたらされる。ピアツーピアネットワークにおける可変送信電力により、システム電力効率が改良され、総合的スループットを増すことが出来、これにより、ユーザの経験が改良される。
【０２２９】
OFDM TDDシステムの文脈の中で記述されたが、様々な実施携帯の方法および装置は、多数の非OFDM、多数のTDDシステム、および／または多数の非セルラーシステムを含む通信システムの広い領域に応用可能である。
【０２３０】
様々な実施形態において、本出願で記述されたノードは、１つあるいはそれより多くの方法に対応するステップを実行するために、１つあるいはそれより多くのモジュールを使用して実現される。例えば、ビーコン信号を発生すること、ビーコン信号を送信すること、ビーコン信号を受信すること、ビーコン信号をモニターすること、受信したビーコン信号から情報を回復すること、タイミング調整を決定すること、タイミング調整を実現すること、動作モードを変更すること、通信セッションを開始すること、等。幾つかの実施形態において、様々な特徴がモジュールを使用して実現される。そのようなモジュールは、ソフトウェア、ハードウェア、またはソフトウェアとハードウェアの組み合わせを使用して実現することが出来る。上に記述された多数の方法や方法ステップは、メモリデバイス、例えば、RAM、フロッピー（登録商標）ディスク、等のような機械読み出し可能な媒体に含まれた、ソフトウェアのような機械実行可能な命令を使用して実現することが出来、結果、１つあるいはそれより多くのノードにおいて、追加のハードウェアあり、または無しで機械、例えば汎用目的コンピュータを制御出来、上に記述された方法の全てまたは部分を実現出来る。従って、なかんずく、様々な実施形態が、機械、例えばプロセッサと関係するハードウェアに、上に記述された１つあるいはそれより多くのステップを実行させる、機械実行可能な命令を含んだ機械読み出し可能な媒体に向けられる。
【０２３１】
上に記述された方法および装置への数々の追加的変形は、上記記述を考慮すれば、本分野の熟練者にとって明白である。そのような変形は、範囲内と考えられる。様々な実施形態の方法および装置は、アクセスノードと移動ノード間のワイヤレス通信リンクをもたらすために使用することが出来る、CDMA、直交周波数分割マルチプレックス（OFDM）、および／または様々な他のタイプの通信手法で使用することが出来、様々な実施形態で使用される。幾つかの実施形態において、アクセスノードは、OFDMおよび／またはCDMAを使用して移動ノードとの通信リンクを確立する基地局として実現される。様々な実施形態において、移動ノードは、受信機／送信機回路と、ロジックおよび／またはルーチンとを含み、様々な実施形態の方法を実現するための、ノートブックコンピュータ、パーソナルデジタルアシスタント（PDA）、あるいは他の携行可能なデバイスとして実現される。
【０２３２】
図１−４４において例解された１つあるいはそれより多くのコンポーネント、ステップ、および／または機能は、単一のコンポーネントや、ステップや、機能に、ないしは、数個のコンポーネントや、ステップや、機能中に具現されるように、再構成および／または結合することが出来る。追加のエレメント、コンポーネント、ステップ、および／または機能を追加することも出来る。図１、９、２５、２７、３２、３６、３８、４１および／また４３において例解された装置、デバイス、および／またはコンポーネントは、図２、３−８、１０−２４、２６、２８−３１、３３、３４−３５、３７、３９−４０、４２、および／または４４において記述された方法や、特徴や、ステップの少なくとも１つあるいはそれより多くを実行するように、構成または適合することが出来る。本出願において記述されたアルゴリズムは、ソフトウェアおよび／または埋め込みハードウェア中で効率的に実現することが出来る。
【０２３３】
本技術分野での熟練者は、本出願で開示された構成との関連で記述された様々な例解的なロジックブロック、モジュール、回路、およびアルゴリズムステップが、電子的ハードウェアや、コンピュータソフトウェアや、あるいは両者の組み合わせとして実現しうることをさらに認識するであろう。このハードウェアとソフトウェアの交換可能性を明快に例解するために、様々な例解的なコンポーネント、ブロック、モジュール、回路、およびステップが上で、機能性の形で一般的に記述された。そのような機能性が、ハードウェアとして、またはソフトウェアとして実現されるかは、総合的なシステムに課された特別な応用およびデザイン制約に依存する。
【０２３４】
本出願において記述された様々な特徴は、異なるシステム中に実現することが出来る。例えば、二次マイクロフォンカバー検出器は、単一回路やモジュール中で、分離回路やモジュール上で、１つあるいはそれより多くのプロセッサによって実行され、機械読み取り可能媒体やコンピュータ読み取り可能媒体中に組み込まれたコンピュータ読み取り可能命令によって実行され、ならびに／あるいは、ハンドヘルドデバイス、移動コンピュータ、および／または移動電話中に体現されて、実現することが出来る。
【０２３５】
前述の構成は、単に例に過ぎず、請求範囲を制限するように解釈されるものではないことに注目されるべきである。構成の記述は、例解を意図し、請求の範囲を制限するものではない。そのようであるので、本教示は、他のタイプの装置にも、難なく応用することが出来、本技術分野の熟練者にとって、多数の代替案、修正、および変形は明白である。
【図１】
2010533445.tif 000005
【図２】
2010533445.tif 000006
【図３】
2010533445.tif 000007
【図４】
2010533445.tif 000008
【図５】
2010533445.tif 000009
【図６】
2010533445.tif 000010
【図７】
2010533445.tif 000011
【図８】
2010533445.tif 000012
【図９】
2010533445.tif 000013
【図１０】
2010533445.tif 000014
【図１１】
2010533445.tif 000015
【図１２】
2010533445.tif 000016
【図１３】
2010533445.tif 000017
【図１４】
2010533445.tif 000018
【図１５】
2010533445.tif 000019
【図１６】
2010533445.tif 000020
【図１７】
2010533445.tif 000021
【図１８】
2010533445.tif 000022
【図１９】
2010533445.tif 000023
【図２０】
2010533445.tif 000024
【図２１】
2010533445.tif 000025
【図２２】
2010533445.tif 000026
【図２３】
2010533445.tif 000027
【図２４】
2010533445.tif 000028
【図２５】
2010533445.tif 000029
【図２６】
2010533445.tif 000030
【図２７】
2010533445.tif 000031
【図２８】
2010533445.tif 000032
【図２９】
2010533445.tif 000033
【図３０】
2010533445.tif 000034
【図３１】
2010533445.tif 000035
【図３２】
2010533445.tif 000036
【図３３】
2010533445.tif 000037
【図３４】
2010533445.tif 000038
【図３５】
2010533445.tif 000039
【図３６】
2010533445.tif 000040
【図３７】
2010533445.tif 000041
【図３８】
2010533445.tif 000042
【図３９】
2010533445.tif 000043
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
第１の移動ワイヤレス端末および第２のワイヤレス端末間のピアツーピア通信チャネルに対するチャネル利得を取得することと、
前記チャネル利得の関数として送信電力を決定することと、
データトラフィック信号を、前記決定された送信電力で、前記第２のワイヤレス端末に送信することとを具備し、第１の移動ワイヤレス端末上で動作出来る方法。
【請求項２】
データトラフィック信号を送信するのに先立って、前記決定された送信電力に比例するパイロット電力で、パイロット信号を送信することと、
前記第２のワイヤレス端末から送信レートフィードバックを受信することと、
前記データトラフィック信号中で使用されるであろうデータレートを、前記決定された送信電力と前記受信された送信レートフィードバックとの関数として決定することとをさらに具備する請求項１記載の方法。
【請求項３】
チャネル利得が、少なくとも１００ミリ秒の時間間隔において測定されたチャネル利得の平均値である請求項１記載の方法。
【請求項４】
前記通信チャネルを使用しようとしている他のワイヤレス端末による前記通信チャネルを通したトラフィック需要に従って、送信電力を変動させることをさらに具備する請求項１記載の方法。
【請求項５】
時間間隔において使用されるであろう前記決定された送信電力を調整することと、
前記時間間隔における前記第２のワイヤレス端末への前記データトラフィック信号の合計スループットを測定することと、
後続の時間間隔において使用されるであろう前記決定された送信電力の調整を決定することとをさらに具備する請求項１記載の方法。
【請求項６】
前記時間間隔において使用されるであろう前記決定された送信電力を増加させることと、
前記時間間隔における前記第２のワイヤレス端末への前記データトラフィック信号の前記合計スループットが増加したかを決定することと、
前記時間間隔における前記第２のワイヤレス端末への前記データトラフィック信号の前記合計スループットが増加したと決定した場合、前記後続の時間間隔において、前記決定された送信電力をさらに増加させることと、
前記時間間隔における前記第２のワイヤレス端末への前記データトラフィック信号の前記合計スループットが減少したと決定した場合、前記後続の時間間隔において、前記決定された送信電力を減少させることとをさらに具備する請求項５記載の方法。
【請求項７】
前記時間間隔において使用されるであろう前記決定された送信電力を減少させることと、
前記時間間隔における前記第２のワイヤレス端末への前記データトラフィック信号の前記合計スループットが増加したかを決定することと
前記時間間隔における前記第２のワイヤレス端末への前記データトラフィック信号の前記合計スループットが増加したと決定した場合、前記後続の時間間隔において、前記決定された送信電力をさらに減少させることと、
前記時間間隔における前記第２のワイヤレス端末への前記データトラフィック信号の前記合計スループットが減少したと決定した場合、前記後続の時間間隔において、前記決定された送信電力を増加させることとをさらに具備する請求項５記載の方法。
【請求項８】
前記決定された送信電力が、前記チャネル利得に反比例する請求項１記載の方法。
【請求項９】
前記決定された送信電力が、前記チャネル利得の平方根に反比例する請求項１記載の方法。
【請求項１０】
複数の他のワイヤレス端末間で前記通信チャネルが、分散リンクスケジューリングスキームに従って、共有されている請求項２記載の方法。
【請求項１１】
前記決定された送信電力に基づいて、前記通信チャネルを通して、前記第１の移動ワイヤレス端末および前記第２のワイヤレス端末間の通信リンクに対するリンクスケジューリングを実行することをさらに具備する請求項１０記載の方法。
【請求項１２】
リンクスケジューリングを実行することは、
第３のワイヤレス端末と通信中の第４のワイヤレス端末に向けられているトラフィック要求応答信号を、隣接する第３のワイヤレス端末から受信することと、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定することとをさらに含む請求項１１記載の方法。
【請求項１３】
前記データトラフィック信号を送信するに先立って、前記決定された送信電力で、前記第２のワイヤレス端末にトラフィック送信要求信号を送信することと、
前記第２のワイヤレス端末からトラフィック要求応答信号を受信することとをさらに具備する請求項１２記載の方法。
【請求項１４】
可変電力送信機と、
受信機と、
ピアツーピア通信チャネルを通して送信機および受信機によりピアツーピア通信を実行するように適合された処理回路とを具備し、
前記処理回路は、
第１の移動ワイヤレス端末および第２のワイヤレス端末間の前記ピアツーピア通信チャネルに対するチャネル利得を取得し、
前記チャネル利得の関数として送信電力を決定し、
前記決定された送信電力で、前記第２のワイヤレス端末に、データトラフィック信号を送信するように構成されている第１のワイヤレス移動端末。
【請求項１５】
データトラフィック信号を送信するのに先立って、前記決定された送信電力に比例するパイロット電力で、パイロット信号を送信し、
前記第２のワイヤレス端末から送信レートフィードバックを受信し、
前記データトラフィック信号中で使用されるであろうデータレートを、前記決定された送信電力と前記受信された送信レートフィードバックとの関数として決定するように前記処理回路がさらに構成されている請求項１４記載の端末。
【請求項１６】
チャネル利得が、少なくとも百（１００）ミリ秒の時間間隔において測定されたチャネル利得の平均値である請求項１４記載の端末。
【請求項１７】
前記通信チャネルを使用しようとしている他のワイヤレス端末による前記通信チャネルを通したトラフィック需要に従って、前記送信電力を変動させるように前記処理回路がさらに構成されている請求項１４記載の端末。
【請求項１８】
時間間隔において使用されるであろう前記決定された送信電力を調整し、
前記時間間隔における前記第２のワイヤレス端末への前記データトラフィック信号の合計スループットを測定し、
後続の時間間隔において使用されるであろう前記決定された送信電力の前記調整を決定するように前記処理回路がさらに構成された請求項１４記載の端末。
【請求項１９】
前記時間間隔において使用されるであろう前記決定された送信電力を増加させ、
前記時間間隔における前記第２のワイヤレス端末への前記データトラフィック信号の合計スループットが増加したかを決定し、
前記時間間隔における前記第２のワイヤレス端末への前記データトラフィック信号の合計スループットが増加したと決定した場合、前記後続の時間間隔において、前記決定された送信電力をさらに増加させ、
前記時間間隔における前記第２のワイヤレス端末への前記データトラフィック信号の合計スループットが減少したと決定した場合、前記後続の時間間隔において、前記決定された送信電力を減少させるように前記処理回路がさらに構成されている請求項１８記載の端末。
【請求項２０】
前記時間間隔において使用されるであろう前記決定された送信電力を減少させ、
前記時間間隔における前記第２のワイヤレス端末への前記データトラフィック信号の合計スループットが増加したかを決定し、
前記時間間隔における前記第２のワイヤレス端末への前記データトラフィック信号の前記合計スループットが増加したと決定した場合、前記後続の時間間隔において、前記決定された送信電力をさらに減少させ、
前記時間間隔における前記第２のワイヤレス端末への前記データトラフィック信号の合計スループットが減少したと決定した場合、前記後続の時間間隔において、前記決定された送信電力を増加させるように前記処理回路がさらに構成されている請求項１８記載の端末。
【請求項２１】
前記第１のワイヤレス端末の前記決定された送信電力が、前記チャネル利得に反比例するように規定されている請求項１４記載の端末。
【請求項２２】
前記第１のワイヤレス端末の前記決定された送信電力が、前記チャネル利得の平方根に反比例するように規定されている請求項１４記載の端末。
【請求項２３】
前記通信チャネルが、分散リンクスケジューリングスキームに従って、複数の他のワイヤレス端末間で共有されている請求項１５記載の端末。
【請求項２４】
通信リンクに関係した、スケーリングされた送信電力と優先度の少なくとも１つに基づいて、前記通信チャネルを通して、前記第１の移動ワイヤレス端末および前記第２のワイヤレス端末間の通信リンクに対するリンクスケジューリングを実行するように前記処理回路がさらに構成されている請求項２３記載の端末。
【請求項２５】
第３のワイヤレス端末と通信中の第４のワイヤレス端末に向けられているトラフィック要求応答信号を、隣接する第３のワイヤレス端末から受信し、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定するように前記処理回路がさらに構成されている請求項２３記載の端末。
【請求項２６】
前記データトラフィック信号を送信するに先立って、前記決定された送信電力で、前記第２のワイヤレス端末にトラフィック送信要求信号を送信し、
前記第２のワイヤレス端末からトラフィック要求応答信号を受信するように前記処理回路がさらに構成されている請求項２５記載の端末。
【請求項２７】
第１の移動ワイヤレス端末および第２のワイヤレス端末間のピアツーピア通信チャネルに対するチャネル利得を取得する手段と、
前記チャネル利得の関数として送信電力を決定する手段と、
データトラフィック信号を、前記決定された送信電力で、前記第２のワイヤレス端末に送信する手段とを具備する第１の移動ワイヤレス端末。
【請求項２８】
前記データトラフィック信号を送信するのに先立って、前記決定された送信電力に比例するパイロット電力で、パイロット信号を送信する手段と、
前記第２のワイヤレス端末から送信レートフィードバックを受信する手段と、
前記データトラフィック信号中で使用されるであろうデータレートを、前記決定された送信電力と前記受信された送信レートフィードバックとの関数として決定する手段とをさらに具備する請求項２７記載の端末。
【請求項２９】
前記通信チャネルを使用しようとしている他のワイヤレス端末による前記通信チャネルを通したトラフィック需要に従って、送信電力を変動させる手段をさらに具備する請求項２７記載の端末。
【請求項３０】
時間間隔において使用されるであろう前記決定された送信電力を調整する手段と、
前記時間間隔における前記第２のワイヤレス端末への前記データトラフィック信号の合計スループットを測定する手段と、
後続の時間間隔において使用されるであろう前記決定された送信電力の調整を決定する手段とをさらに具備する請求項２７記載の端末。
【請求項３１】
前記決定された送信電力が、前記チャネル利得に反比例する請求項２７記載の端末。
【請求項３２】
前記決定された送信電力に基づいて、前記通信チャネルを通して、前記第１の移動ワイヤレス端末および前記第２のワイヤレス端末間の通信リンクに対するリンクスケジューリングを実行する手段をさらに具備する請求項２８記載の端末。
【請求項３３】
前記リンクスケジューリングを実行する手段は、
第３のワイヤレス端末と通信中の第４のワイヤレス端末に向けられているトラフィック要求応答信号を、隣接する第３のワイヤレス端末から受信する手段と、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定する手段とをさらに含む請求項３２記載の端末。
【請求項３４】
前記データトラフィック信号を送信するに先立って、前記決定された送信電力で、前記第２のワイヤレス端末にトラフィック送信要求信号を送信する手段と、
前記第２のワイヤレス端末からトラフィック要求応答信号を受信する手段とをさらに具備する請求項３３記載の端末。
【請求項３５】
第１の移動ワイヤレス端末に対する送信電力スケーリングを容易化する回路であり、
第１の移動ワイヤレス端末および第２のワイヤレス端末間のピアツーピア通信チャネルに対するチャネル利得を取得し、
前記チャネル利得の関数として送信電力を決定し、
データトラフィック信号を、前記決定された送信電力で、前記第２のワイヤレス端末に送信するように適合されている回路。
【請求項３６】
前記データトラフィック信号を送信するのに先立って、前記決定された送信電力に比例するパイロット電力で、パイロット信号を送信し、
前記第２のワイヤレス端末から送信レートフィードバックを受信し、
前記データトラフィック信号中で使用されるであろうデータレートを、前記決定された送信電力と前記受信された送信レートフィードバックとの関数として決定するようにさらに適合されている請求項３５記載の回路。
【請求項３７】
時間間隔において使用されるであろう前記決定された送信電力を調整し、
前記時間間隔における前記第２のワイヤレス端末への前記データトラフィック信号の合計スループットを測定し、
後続の時間間隔において使用されるであろう前記決定された送信電力の調整を決定するようにさらに適合されている請求項３５記載の回路。
【請求項３８】
前記決定された送信電力に基づいて、前記通信チャネルを通して、前記第１の移動ワイヤレス端末および前記第２のワイヤレス端末間の通信リンクに対するリンクスケジューリングを実行するようにさらに適合されている請求項３６記載の回路。
【請求項３９】
リンクスケジューリングを実行することは、
第３のワイヤレス端末と通信中の第４のワイヤレス端末に向けられているトラフィック要求応答信号を、隣接する第３のワイヤレス端末から受信することと、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定することとをさらに含む請求項３８記載の回路。
【請求項４０】
リンクスケジューリングを実行することは、
前記データトラフィック信号を送信するに先立って、前記決定された送信電力で、前記第２のワイヤレス端末にトラフィック送信要求信号を送信することと、
前記第２のワイヤレス端末からトラフィック要求応答信号を受信することとをさらに含む請求項３９記載の回路。
【請求項４１】
プロセッサによって命令が実行されたとき、プロセッサに、
第１の移動ワイヤレス端末および第２のワイヤレス端末間のピアツーピア通信チャネルに対するチャネル利得を取得させ、
前記チャネル利得の関数として送信電力を決定させ、
データトラフィック信号を、前記決定された送信電力で、前記第２のワイヤレス端末に送信させるような、第１のワイヤレス端末に対する送信電力スケーリングを容易化する命令を具備する機械読み出し可能な媒体。
【請求項４２】
データトラフィック信号を送信するのに先立って、前記決定された送信電力に比例するパイロット電力で、前記パイロット信号を送信させ、
前記第２のワイヤレス端末から送信レートフィードバックを受信させ、
前記データトラフィック信号中で使用されるであろうデータレートを、前記決定された送信電力と前記受信された送信レートフィードバックとの関数として決定させる命令をさらに具備する請求項４１記載の機械読み出し可能な媒体。
【請求項４３】
通信チャネルを通して、通信チャネルを使用しようとしている他のワイヤレス端末によるトラフィック需要に従って、前記送信電力を調整させる命令をさらに具備する請求項４１記載の機械読み出し可能な媒体。
【請求項４４】
時間間隔において使用されるであろう前記決定された送信電力を調整させ、
前記時間間隔における前記第２のワイヤレス端末への前記データトラフィック信号の合計スループットを測定させ、
後続の時間間隔において使用されるであろう前記決定された送信電力の前記調整を決定させる命令をさらに具備する請求項４１記載の機械読み出し可能な媒体。
【請求項４５】
前記決定された送信電力に基づいて、前記通信チャネルを通して、前記第１の移動ワイヤレス端末および前記第２のワイヤレス端末間の通信リンクに対するリンクスケジューリングを実行させる命令をさらに具備する請求項４２記載の機械読み出し可能な媒体。
【請求項４６】
リンクスケジューリングを実行することは、
第３のワイヤレス端末と通信中の第４のワイヤレス端末に向けられているトラフィック要求応答信号を、隣接する第３のワイヤレス端末から受信することと、
前記第４のワイヤレス端末からの前記トラフィック要求応答信号の受信された電力と、前記第１の移動ワイヤレス端末の前記決定された送信電力との関数として、前記パイロット信号と前記データトラフィック信号とを送信するかを決定することとを含む請求項４５記載の機械読み出し可能な媒体。
【請求項４７】
リンクスケジューリングを実行することは、
前記データトラフィック信号を送信するに先立って、前記決定された送信電力で、前記第２のワイヤレス端末にトラフィック送信要求信号を送信することと、
前記第２のワイヤレス端末からトラフィック要求応答信号を受信することとを含む請求項４６記載の機械読み出し可能な媒体。
【国際調査報告】
2010533445.tif 000044
2010533445.tif 000045
2010533445.tif 000046